(57)【特許請求の範囲】
【請求項１】
所定の遊技が可能な遊技機であって、
光を透過可能な透光性を有するとともに、端面から内部に入射された光を反射して前面に出射させる反射部を有する導光板と、
前記導光板の内部に光を入射可能に設けられた導光板用発光手段と、
前記導光板の前方位置に設けられ、前記反射部を視認しやすくする第１状態と該第１状態よりも前記反射部を視認困難とする第２状態とに変更可能な変更手段と、
前記導光板以外の発光部を発光させるために設けられた非導光板用発光手段と、
前記遊技機で発生した異常を検出する異常検出手段と、
前記異常は、所定の基準で定められた重要度に基づき、少なくとも第１異常種別および前記第１異常種別よりも重要度の高い第２異常種別を含み、前記第１異常種別の場合には前記非導光板用発光手段の発光により前記異常を報知し、前記第２異常種別の場合には前記導光板用発光手段の発光および前記非導光板用発光手段の発光により前記異常を報知する異常報知手段と、
を備え、
前記導光板用発光手段により前記導光板の内部に光が入射されるときには前記変更手段を前記第１状態とすることが可能であり、前記導光板用発光手段により前記導光板の内部に光が入射されないときには前記変更手段を前記第２状態とすることが可能である
ことを特徴とする遊技機。
【請求項２】
所定の遊技が可能な遊技機であって、
光を透過可能な透光性を有するとともに、端面から内部に入射された光を反射して前面に出射させる反射部を有する導光板と、
前記導光板の内部に光を入射可能に設けられた導光板用発光手段と、
前記導光板の後方位置に設けられ、前記反射部を視認しやすくする第１状態と該第１状態よりも前記反射部を視認困難とする第２状態とに変更可能な変更手段と、
前記導光板以外の発光部を発光させるために設けられた非導光板用発光手段と、
前記遊技機で発生した異常を検出する異常検出手段と、
前記異常は、所定の基準で定められた重要度に基づき、少なくとも第１異常種別および前記第１異常種別よりも重要度の高い第２異常種別を含み、前記第１異常種別の場合には前記非導光板用発光手段の発光により前記異常を報知し、前記第２異常種別の場合には前記導光板用発光手段の発光および前記非導光板用発光手段の発光により前記異常を報知する異常報知手段と、
を備え、
前記導光板用発光手段により前記導光板の内部に光が入射されるときには前記変更手段を前記第１状態とすることが可能であり、前記導光板用発光手段により前記導光板の内部に光が入射されないときには前記変更手段を前記第２状態とすることが可能である
ことを特徴とする遊技機。
【請求項３】
所定の遊技が可能な遊技機であって、
光を透過可能な透光性を有するとともに、端面から内部に入射された光を反射して前面に出射させる反射部を有する導光板と、
前記導光板の内部に光を入射可能に設けられた導光板用発光手段と、
前記導光板の後方位置に設けられ、前記反射部を視認しやすくする第１状態と該第１状態よりも前記反射部を視認困難とする第２状態とに変更可能な変更手段と、
操作手段と、
前記導光板以外の発光部を発光させるために設けられた非導光板用発光手段と、
前記操作手段への操作にもとづいて発光強度を調整する発光強度調整手段と、
を備え、
前記導光板用発光手段により前記導光板の内部に光が入射されるときには前記変更手段を前記第１状態とすることが可能であり、前記導光板用発光手段により前記導光板の内部に光が入射されないときには前記変更手段を前記第２状態とすることが可能であり、
前記変更手段は、前記第２状態のときに前記反射部を視認困難にする発光を行う特定発光手段を含み、
前記発光強度調整手段は、前記非導光板用発光手段が発する光の発光強度は調整可能だが、前記特定発光手段が発する光の発光強度は調整不能である
ことを特徴とする遊技機。
【請求項４】
操作手段と、
前記導光板以外の発光部を発光させるために設けられた非導光板用発光手段と、
前記操作手段への操作にもとづいて発光強度を調整する発光強度調整手段と、
を備え、
前記発光強度調整手段は、前記非導光板用発光手段が発する光の発光強度は調整可能だが、前記導光板用発光手段が発する光の発光強度は調整不能である
ことを特徴とする請求項１〜３のいずれかに記載の遊技機。
【発明の詳細な説明】
【技術分野】
【０００１】
本発明は、所定の遊技が可能な遊技機に関する。
【背景技術】
【０００２】
従来、文字や絵柄などの表示情報を表すドットパターンが微細凹凸加工により形成された導光板が設けられ、この導光板の端面に設けられるＬＥＤから入射された光がドットパターンにより反射されることで、表示情報が視認可能に表示されるようにした遊技機がある。このような導光板には、例えば、装飾図柄変動演出中に大当りに当選している期待度が高いことを遊技者に示唆するために「チャンス！！」等の文字が表示されるようにしている（例えば、特許文献１参照）。
【先行技術文献】
【特許文献】
【０００３】
【特許文献１】特開２０１３−１１１１１５号公報
【発明の概要】
【発明が解決しようとする課題】
【０００４】
しかしながら、特許文献１にあっては、導光板の端面に設けられたＬＥＤの非点灯時において、このＬＥＤ以外のその他の光の入射によって導光板のドットパターンが見えてしまって、導光板を用いた演出を実行する前に、表示情報の内容が遊技者に気づかれてしまう場合があり、これら導光板を用いた演出の意外性が低下してしまうという問題がある。
【０００５】
本発明は、このような問題点に着目してなされたもので、導光板を用いた演出の意外性が低下してしまうことを防止できる遊技機を提供することを目的とする。
【課題を解決するための手段】
【０００６】
前記課題を解決するために、本発明の請求項１に記載の遊技機は、
所定の遊技が可能な遊技機（例えば、パチンコ遊技機１）であって、
光を透過可能な透光性を有するとともに、端面から内部に入射された光を反射して前面に出射させる反射部（例えば、反射部５１１）を有する導光板（例えば、後方導光板１１ｂ）と、
前記導光板の内部に光を入射可能に設けられた導光板用発光手段（例えば、後方導光板表示用ＬＥＤ６２ｂ）と、
前記導光板の前方位置（例えば、図１０に示すように後方導光板１１ｂの前面側）に設けられ、前記反射部を視認しやすくする第１状態（例えば、前方導光板１１ａを発光表示していない状態）と該第１状態よりも前記反射部を視認困難とする第２状態（例えば、前方導光板１１ａを発光表示している状態）とに変更可能な変更手段（例えば、前方導光板表示用ＬＥＤ６２ａ）と、
前記導光板以外の発光部を発光させるために設けられた非導光板用発光手段（例えば、左枠ＬＥＤ２８ｂや右枠ＬＥＤ２８ｃなど）と、
前記遊技機で発生した異常を検出する異常検出手段（例えば、変形例６における電波センサや磁気センサやドア開放センサなど）と、
前記異常は、所定の基準で定められた重要度に基づき、少なくとも第１異常種別および前記第１異常種別よりも重要度の高い第２異常種別を含み、前記第１異常種別の場合には前記非導光板用発光手段の発光により前記異常を報知し（例えば、変形例６における異常報知指定コマンドを受信した演出制御用マイクロコンピュータ８１（ＣＰＵ８６）が、左枠ＬＥＤ２８ｂや右枠ＬＥＤ２８ｃを発光させて異常報知を行う部分）、前記第２異常種別の場合には前記導光板用発光手段の発光および前記非導光板用発光手段の発光により前記異常を報知する異常報知手段（例えば、変形例６における異常報知指定コマンドを受信した演出制御用マイクロコンピュータ８１（ＣＰＵ８６）が、表示用ＬＥＤ６２ａ，６２ｂを発光させて導光板ユニット１１の発光表示を行うとともに、左枠ＬＥＤ２８ｂや右枠ＬＥＤ２８ｃを発光させて異常報知を行う部分）と、
を備え、
前記導光板用発光手段により前記導光板の内部に光が入射されるときには前記変更手段を前記第１状態とすることが可能であり（例えば、演出制御用マイクロコンピュータ８１（ＣＰＵ８６）が図１９に示す導光板ユニット制御処理において、現在の遊技状態が確変状態である場合は、前方導光板表示用ＬＥＤ６２ａを消灯するとともに、後方導光板表示用ＬＥＤ６２ｂを点灯して後方導光板１１ｂの遊技状態示唆用画像の発光表示を行う部分）、前記導光板用発光手段により前記導光板の内部に光が入射されないときには前記変更手段を前記第２状態とすることが可能である（例えば、演出制御用マイクロコンピュータ８１（ＣＰＵ８６）が図１９に示す導光板ユニット制御処理において、現在の遊技状態が確変状態でない場合は、後方導光板表示用ＬＥＤ６２ｂを消灯するとともに、前方導光板表示用ＬＥＤ６２ａを点灯して前方導光板１１ａの視認困難用画像の発光表示を行う部分）
ことを特徴としている。
この特徴によれば、異常の重要度に応じて、異常報知を適切に実行することが可能となる。
本発明の手段１の遊技機は、
所定の遊技が可能な遊技機（例えば、パチンコ遊技機１）であって、
光を透過可能な透光性を有するとともに、端面から内部に入射された光を反射して前面に出射させる反射部（例えば、反射部５１１）を有する導光板（例えば、後方導光板１１ｂ）と、
前記導光板の内部に光を入射可能に設けられた導光板用発光手段（例えば、後方導光板表示用ＬＥＤ６２ｂ）と、
前記導光板の前方位置（例えば、図１０に示すように後方導光板１１ｂの前面側）に設けられ、前記反射部を視認しやすくする第１状態（例えば、前方導光板１１ａを発光表示していない状態）と該第１状態よりも前記反射部を視認困難とする第２状態（例えば、前方導光板１１ａを発光表示している状態）とに変更可能な変更手段（例えば、前方導光板表示用ＬＥＤ６２ａ）と、
を備え、
前記導光板用発光手段により前記導光板の内部に光が入射されるときは前記変更手段を前記第１状態とし（例えば、演出制御用マイクロコンピュータ８１（ＣＰＵ８６）が図１９に示す導光板ユニット制御処理において、現在の遊技状態が確変状態である場合は、前方導光板表示用ＬＥＤ６２ａを消灯するとともに、後方導光板表示用ＬＥＤ６２ｂを点灯して後方導光板１１ｂの遊技状態示唆用画像の発光表示を行う部分）、前記導光板用発光手段により前記導光板の内部に光が入射されないときは前記変更手段を前記第２状態とする（例えば、演出制御用マイクロコンピュータ８１（ＣＰＵ８６）が図１９に示す導光板ユニット制御処理において、現在の遊技状態が確変状態でない場合は、後方導光板表示用ＬＥＤ６２ｂを消灯するとともに、前方導光板表示用ＬＥＤ６２ａを点灯して前方導光板１１ａの視認困難用画像の発光表示を行う部分）
ことを特徴としている。
これらの特徴によれば、導光板を用いた演出を行わないときは変更手段を第２状態にすることで反射部の視認が困難になり、反射部によって構成される表示内容が遊技者に気づかれ難くなるので、変更手段を第１状態にして反射部の視認を可能にするとともに導光板の内部に光を入射して導光板を用いた演出を実行する際に、この導光板を用いた演出の意外性が低下してしまうことを防止できる。
【０００７】
本発明の請求項２の遊技機は、
所定の遊技が可能な遊技機（例えば、パチンコ遊技機１）であって、
光を透過可能な透光性を有するとともに、端面から内部に入射された光を反射して前面に出射させる反射部（例えば、変形例５における反射部）を有する導光板（例えば、変形例５における前方導光板１１ｃ）と、
前記導光板の内部に光を入射可能に設けられた導光板用発光手段（例えば、変形例５における前方導光板表示用ＬＥＤ）と、
前記導光板の後方位置（例えば、図３９に示すように前方導光板１１ｃの後面側）に設けられ、前記反射部を視認しやすくする第１状態（例えば、後方導光板１１ｄを発光表示していない状態）と該第１状態よりも前記反射部を視認困難とする第２状態（例えば、後方導光板１１ｄを発光表示している状態）とに変更可能な変更手段（例えば、後方導光板表示用ＬＥＤ）と、
前記導光板以外の発光部を発光させるために設けられた非導光板用発光手段（例えば、左枠ＬＥＤ２８ｂや右枠ＬＥＤ２８ｃなど）と、
前記遊技機で発生した異常を検出する異常検出手段（例えば、変形例６における電波センサや磁気センサやドア開放センサなど）と、
前記異常は、所定の基準で定められた重要度に基づき、少なくとも第１異常種別および前記第１異常種別よりも重要度の高い第２異常種別を含み、前記第１異常種別の場合には前記非導光板用発光手段の発光により前記異常を報知し（例えば、変形例６における異常報知指定コマンドを受信した演出制御用マイクロコンピュータ８１（ＣＰＵ８６）が、左枠ＬＥＤ２８ｂや右枠ＬＥＤ２８ｃを発光させて異常報知を行う部分）、前記第２異常種別の場合には前記導光板用発光手段の発光および前記非導光板用発光手段の発光により前記異常を報知する異常報知手段（例えば、変形例６における異常報知指定コマンドを受信した演出制御用マイクロコンピュータ８１（ＣＰＵ８６）が、表示用ＬＥＤ６２ａ，６２ｂを発光させて導光板ユニット１１の発光表示を行うとともに、左枠ＬＥＤ２８ｂや右枠ＬＥＤ２８ｃを発光させて異常報知を行う部分）と、
を備え、
前記導光板用発光手段により前記導光板の内部に光が入射されるときには前記変更手段を前記第１状態とすることが可能であり（例えば、変形例５において、演出制御用マイクロコンピュータ８１（ＣＰＵ８６）が導光板ユニット制御処理において、現在の遊技状態が確変状態である場合は、後方導光板表示用ＬＥＤを消灯するとともに、前方導光板表示用ＬＥＤを点灯して前方導光板１１ｃの遊技状態示唆用画像の発光表示を行う部分）、前記導光板用発光手段により前記導光板の内部に光が入射されないときには前記変更手段を前記第２状態とすることが可能である（例えば、変形例５において、演出制御用マイクロコンピュータ８１（ＣＰＵ８６）が導光板ユニット制御処理において、現在の遊技状態が確変状態でない場合は、前方導光板表示用ＬＥＤを消灯するとともに、後方導光板表示用ＬＥＤを点灯して後方導光板１１ｄの視認困難用画像の発光表示を行う部分）
ことを特徴としている。
この特徴によれば、異常の重要度に応じて、異常報知を適切に実行することが可能となる。
本発明の手段２の遊技機は、
所定の遊技が可能な遊技機（例えば、パチンコ遊技機１）であって、
光を透過可能な透光性を有するとともに、端面から内部に入射された光を反射して前面に出射させる反射部（例えば、変形例５における反射部）を有する導光板（例えば、変形例５における前方導光板１１ｃ）と、
前記導光板の内部に光を入射可能に設けられた導光板用発光手段（例えば、変形例５における前方導光板表示用ＬＥＤ）と、
前記導光板の後方位置（例えば、図３９に示すように前方導光板１１ｃの後面側）に設けられ、前記反射部を視認しやすくする第１状態（例えば、後方導光板１１ｄを発光表示していない状態）と該第１状態よりも前記反射部を視認困難とする第２状態（例えば、後方導光板１１ｄを発光表示している状態）とに変更可能な変更手段（例えば、後方導光板表示用ＬＥＤ）と、
を備え、
前記導光板用発光手段により前記導光板の内部に光が入射されるときは前記変更手段を前記第１状態とし（例えば、変形例５において、演出制御用マイクロコンピュータ８１（ＣＰＵ８６）が導光板ユニット制御処理において、現在の遊技状態が確変状態である場合は、後方導光板表示用ＬＥＤを消灯するとともに、前方導光板表示用ＬＥＤを点灯して前方導光板１１ｃの遊技状態示唆用画像の発光表示を行う部分）、前記導光板用発光手段により前記導光板の内部に光が入射されないときは前記変更手段を前記第２状態とする（例えば、変形例５において、演出制御用マイクロコンピュータ８１（ＣＰＵ８６）が導光板ユニット制御処理において、現在の遊技状態が確変状態でない場合は、前方導光板表示用ＬＥＤを消灯するとともに、後方導光板表示用ＬＥＤを点灯して後方導光板１１ｄの視認困難用画像の発光表示を行う部分）
ことを特徴としている。
これらの特徴によれば、導光板を用いた演出を行わないときは変更手段を第２状態にすることで反射部の視認が困難になり、反射部によって構成される表示内容が遊技者に気づかれ難くなるので、変更手段を第１状態にして反射部の視認を可能にするとともに導光板の内部に光を入射して導光板を用いた演出を実行する際に、この導光板を用いた演出の意外性が低下してしまうことを防止できる。
【０００８】
本発明の請求項３の遊技機は、
所定の遊技が可能な遊技機（例えば、パチンコ遊技機１）であって、
光を透過可能な透光性を有するとともに、端面から内部に入射された光を反射して前面に出射させる反射部（例えば、変形例５における反射部）を有する導光板（例えば、変形例５における前方導光板１１ｃ）と、
前記導光板の内部に光を入射可能に設けられた導光板用発光手段（例えば、変形例５における前方導光板表示用ＬＥＤ）と、
前記導光板の後方位置（例えば、図３９に示すように前方導光板１１ｃの後面側）に設けられ、前記反射部を視認しやすくする第１状態（例えば、後方導光板１１ｄを発光表示していない状態）と該第１状態よりも前記反射部を視認困難とする第２状態（例えば、後方導光板１１ｄを発光表示している状態）とに変更可能な変更手段（例えば、後方導光板表示用ＬＥＤ）と、
操作手段（例えば、設定切替スイッチ３００、操作レバー６００、操作ボタン５１６）と、
前記導光板以外の発光部を発光させるために設けられた非導光板用発光手段（例えば、左枠ＬＥＤ２８ｂや右枠ＬＥＤ２８ｃなど）と、
前記操作手段への操作にもとづいて発光強度を調整する発光強度調整手段（例えば、演出制御用マイクロコンピュータ８１（ＣＰＵ８６）が図１５に示すサブＣＰＵメイン処理において、Ｓｓ１９ａを実行することで音量及び光量を該遊技者設定値に設定する部分や、Ｓｓ１９ｂを実行することで、設定切替スイッチ３００にセットされているチャンネルに対応する音量の初期値及び光量の初期値を設定する部分）と、
を備え、
前記導光板用発光手段により前記導光板の内部に光が入射されるときには前記変更手段を前記第１状態とすることが可能であり（例えば、変形例５において、演出制御用マイクロコンピュータ８１（ＣＰＵ８６）が導光板ユニット制御処理において、現在の遊技状態が確変状態である場合は、後方導光板表示用ＬＥＤを消灯するとともに、前方導光板表示用ＬＥＤを点灯して前方導光板１１ｃの遊技状態示唆用画像の発光表示を行う部分）、前記導光板用発光手段により前記導光板の内部に光が入射されないときには前記変更手段を前記第２状態とすることが可能であり（例えば、変形例５において、演出制御用マイクロコンピュータ８１（ＣＰＵ８６）が導光板ユニット制御処理において、現在の遊技状態が確変状態でない場合は、前方導光板表示用ＬＥＤを消灯するとともに、後方導光板表示用ＬＥＤを点灯して後方導光板１１ｄの視認困難用画像の発光表示を行う部分）、
前記変更手段（例えば、演出制御用マイクロコンピュータ８１（ＣＰＵ８６）が図１９に示す導光板ユニット制御処理を実行する部分）は、前記第２状態のときに前記反射部（例えば、反射部５１１）を視認困難にする発光を行う特定発光手段（例えば、演出制御用マイクロコンピュータ８１（ＣＰＵ８６）が図１９に示す導光板ユニット制御処理のＳ４０９において、前方導光板１１ａを発光表示させる前方導光板表示用ＬＥＤ６２ａを点灯する部分）を含み、
前記発光強度調整手段は、前記非導光板用発光手段が発する光の発光強度は調整可能だが、前記特定発光手段が発する光の発光強度は調整不能である（例えば、演出制御用マイクロコンピュータ８１（ＣＰＵ８６）が図１５に示すサブＣＰＵメイン処理のＳｓ１９ａやＳｓ１９ｂにおいて遊技者設定値やホール設定値が設定されて左枠ＬＥＤ２８ｂや右枠ＬＥＤ２８ｃなどの光量が調整されても、導光板ユニット１１の光量は１００％に維持されることで、前方導光板表示用ＬＥＤ６２ａの光量は調整不能である部分）
ことを特徴としている。
この特徴によれば、非導光板用発光手段の発光強度を操作手段により調整可能とし、かつ特定発光手段の発光強度が調整されてしまうことがないので、導光板の反射部を視認困難とする特定発光手段の発光強度が低下してしまうことを防ぐことができる。
本発明の手段３の遊技機は、請求項１〜２、手段１〜２のいずれかに記載の遊技機であって、
前記変更手段（例えば、演出制御用マイクロコンピュータ８１（ＣＰＵ８６）が図１９に示す導光板ユニット制御処理を実行する部分）は、前記第２状態のときに前記反射部（例えば、反射部５１１）を視認困難にする発光を行う特定発光手段（例えば、演出制御用マイクロコンピュータ８１（ＣＰＵ８６）が図１９に示す導光板ユニット制御処理のＳ４０９において、前方導光板１１ａを発光表示させる前方導光板表示用ＬＥＤ６２ａを点灯する部分）を含む、
ことを特徴としている。
この特徴によれば、例えば、反射部を視認困難にする隠蔽用のシャッタ等の可動部材を設けて、この可動部材の位置を移動させることにより反射部を視認可能にしたり視認困難にしたりすることと比較して、変更手段を配置するスペースの省スペース化を図ることができる。
【０００９】
本発明の手段４の遊技機は、手段３に記載の遊技機であって、
操作手段（例えば、設定切替スイッチ３００、操作レバー６００、操作ボタン５１６）と、
前記導光板以外の発光部を発光させるために設けられた非導光板用発光手段（例えば、左枠ＬＥＤ２８ｂや右枠ＬＥＤ２８ｃなど）と、
前記操作手段への操作にもとづいて発光強度を調整する発光強度調整手段（例えば、演出制御用マイクロコンピュータ８１（ＣＰＵ８６）が図１５に示すサブＣＰＵメイン処理において、Ｓｓ１９ａを実行することで音量及び光量を該遊技者設定値に設定する部分や、Ｓｓ１９ｂを実行することで、設定切替スイッチ３００にセットされているチャンネルに対応する音量の初期値及び光量の初期値を設定する部分）と、
を備え、
前記発光強度調整手段は、前記非導光板用発光手段が発する光の発光強度は調整可能だが、前記特定発光手段が発する光の発光強度は調整不能である（例えば、演出制御用マイクロコンピュータ８１（ＣＰＵ８６）が図１５に示すサブＣＰＵメイン処理のＳｓ１９ａやＳｓ１９ｂにおいて遊技者設定値やホール設定値が設定されて左枠ＬＥＤ２８ｂや右枠ＬＥＤ２８ｃなどの光量が調整されても、導光板ユニット１１の光量は１００％に維持されることで、前方導光板表示用ＬＥＤ６２ａの光量は調整不能である部分）
ことを特徴としている。
この特徴によれば、非導光板用発光手段の発光強度を操作手段により調整可能とし、かつ特定発光手段の発光強度が調整されてしまうことがないので、導光板の反射部を視認困難とする特定発光手段の発光強度が低下してしまうことを防ぐことができる。
【００１０】
本発明の請求項４の遊技機は、請求項１〜３、手段１〜４のいずれかに記載の遊技機であって、
操作手段（例えば、設定切替スイッチ３００、操作レバー６００、操作ボタン５１６）と、
前記導光板以外の発光部を発光させるために設けられた非導光板用発光手段（例えば、左枠ＬＥＤ２８ｂや右枠ＬＥＤ２８ｃなど）と、
前記操作手段への操作にもとづいて発光強度を調整する発光強度調整手段（例えば、演出制御用マイクロコンピュータ８１（ＣＰＵ８６）が図１５に示すサブＣＰＵメイン処理において、Ｓｓ１９ａを実行することで音量及び光量を該遊技者設定値に設定する部分や、Ｓｓ１９ｂを実行することで、設定切替スイッチ３００にセットされているチャンネルに対応する音量の初期値及び光量の初期値を設定する部分）と、
を備え、
前記発光強度調整手段は、前記非導光板用発光手段が発する光の発光強度は調整可能だが、前記導光板用発光手段が発する光の発光強度は調整不能である（例えば、演出制御用マイクロコンピュータ８１（ＣＰＵ８６）が図１５に示すサブＣＰＵメイン処理のＳｓ１９ａやＳｓ１９ｂにおいて遊技者設定値やホール設定値が設定されて左枠ＬＥＤ２８ｂや右枠ＬＥＤ２８ｃなどの光量が調整されても、導光板ユニット１１の光量は１００％に維持されることで、後方導光板表示用ＬＥＤ６２ｂの光量は調整不能である部分）
ことを特徴としている。
この特徴によれば、非導光板用発光手段の発光強度を操作手段により調整可能とし、かつ導光板用発光手段の発光強度が調整されてしまうことがないので、導光板の内部に光を入射させるために用いる導光板用発光手段の発光強度が低下してしまうことを防ぐことができる。
【００１１】
本発明の手段５に記載の遊技機は、請求項３、手段１〜４のいずれかに記載の遊技機であって、
前記導光板以外の発光部を発光させるために設けられた非導光板用発光手段（例えば、左枠ＬＥＤ２８ｂや右枠ＬＥＤ２８ｃなど）と、
前記遊技機で発生した異常を検出する異常検出手段（例えば、変形例６における電波センサや磁気センサやドア開放センサなど）と、
前記異常は、所定の基準で定められた重要度に基づき少なくとも第１異常種別、および前記第１異常種別よりも重要度の高い第２異常種別を含み、前記第１異常種別の場合には前記非導光板用発光手段の発光により前記異常を報知し（例えば、変形例６における異常報知指定コマンドを受信した演出制御用マイクロコンピュータ８１（ＣＰＵ８６）が、左枠ＬＥＤ２８ｂや右枠ＬＥＤ２８ｃを発光させて異常報知を行う部分）、前記第２異常種別の場合には前記導光板用発光手段の発光および前記非導光板用発光手段の発光により前記異常を報知する異常報知手段（例えば、変形例６における異常報知指定コマンドを受信した演出制御用マイクロコンピュータ８１（ＣＰＵ８６）が、表示用ＬＥＤ６２ａ，６２ｂを発光させて導光板ユニット１１の発光表示を行うとともに、左枠ＬＥＤ２８ｂや右枠ＬＥＤ２８ｃを発光させて異常報知を行う部分）と、
を備える
ことを特徴としている。
この特徴によれば、異常の重要度に応じて、異常報知を適切に実行することが可能となる。
【００１２】
本発明の手段６に記載の遊技機は、請求項１〜４、手段１〜５のいずれかに記載の遊技機であって、
前記導光板（例えば、図３５に示す変形例４における前方導光板１１ａ及び後方導光板１１ｂ）の後方位置に該導光板から離間して設けられ、前記反射部により形成された前方表示画像（例えば、変形例４における前方導光板１１ａ及び後方導光板１１ｂの画像）と同様の後方表示画像（例えば、変形例４における液晶パネル１２に表示される画像）が表示される後方表示手段（例えば、変形例４における液晶パネル１２）を備え、
前記後方表示手段は、前記導光板用発光手段が前記導光板の内部に光を入射して前記前方表示画像の表示が行われるときは遊技者から見て該前方表示画像と重なる重畳領域（例えば、変形例４の図３６に示すように遊技者が前方導光板１１ａ及び後方導光板１１ｂの画像Ｇ１，Ｇ２を視認したときの視点位置の立体角の範囲内）に前記後方表示画像を表示する（例えば、変形例４の図３８に示すように前方導光板１１ａ及び後方導光板１１ｂの画像と液晶パネル１２に表示される画像とが重複して表示される部分）
ことを特徴としている。
この特徴によれば、導光板に表示される前方表示画像に後方表示手段に表示される後方表示画像を重ねることにより目立たせることができる。
【００１３】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１４】
【図１】実施例におけるパチンコ遊技機を示す正面図である。
【図２】パチンコ遊技機を示す背面図である。
【図３】パチンコ遊技機の構成を示すブロック図である。
【図４】演出制御基板における回路構成例を示すブロック図である。
【図５】演出制御基板における各回路及び部材の配置を示す簡略図である。
【図６】設定切替スイッチを示す図である。
【図７】設定切替スイッチにおける設定態様を示す図である。
【図８】導光板ユニットを斜め前方から見た状態を示す斜視図である。
【図９】導光板ユニットの内部構造を示す分解斜視図である。
【図１０】導光板ユニットを示す要部拡大断面図である。
【図１１】演出制御コマンドの内容の一例などを示す説明図である。
【図１２】タイマ割込処理を示すフローチャートである。
【図１３】特別図柄プロセス処理の一例を示すフローチャートである。
【図１４】特別図柄プロセス処理の一例を示すフローチャートである。
【図１５】サブＣＰＵメイン処理の一例を示すフローチャートである。
【図１６】サブＣＰＵタイマ割込処理の一例を示すフローチャートである。
【図１７】電源断検出処理の一例を示すフローチャートである。
【図１８】演出制御プロセス処理の一例を示すフローチャートである。
【図１９】導光板ユニット制御処理の一例を示すフローチャートである。
【図２０】演出図柄変動開始処理の一例を示すフローチャートである。
【図２１】演出図柄変動停止処理の一例を示すフローチャートである。
【図２２】（Ａ）は、前方導光板の画像を示す図であり、（Ｂ）は、後方導光板の画像を示す図である。
【図２３】（Ａ）は、通常時に導光板ユニットに表示される画像を示す図であり、（Ｂ）は、確変時に導光板ユニットに表示される画像を示す図である。
【図２４】演出設定調整処理の一例を示すフローチャートである。
【図２５】演出設定調整処理の一例を示すフローチャートである。
【図２６】設定無効化処理の一例を示すフローチャートである。
【図２７】演出設定値の設定例を示す図である。
【図２８】演出調整設定処理において演出表示装置に表示される画面を示す図である。
【図２９】変形例１における遊技システムを示す図である。
【図３０】演出表示装置において２次元コードが表示される画面を示す図である。
【図３１】演出表示装置においてパスワードを受け付ける画面を示す図である。
【図３２】パチンコ遊技機と携帯端末のやりとり図である。
【図３３】変形例２における特別演出処理の一例を示すフローチャートである。
【図３４】変形例３における装飾ＬＥＤ、ステージ装飾ＬＥＤ、天ランプモジュール、左枠ＬＥＤ、右枠ＬＥＤ、バックライトから出力される光量の設定と導光板ユニットの輝度（光量）の設定との関係を示す図である。
【図３５】変形例４における導光板ユニットを示す縦断側面図である。
【図３６】（Ａ）は、液晶パネルと導光板ユニットと遊技者の視線との関係を示す説明図であり、（Ｂ）は、液晶パネル及び導光板ユニットを遊技者から見た状態を示す説明図である。
【図３７】（Ａ）は、通常時に液晶パネルに表示される画像を示す図であり、（Ｂ）は、確変時に液晶パネルに表示される画像を示す図である。
【図３８】（Ａ）は、通常時における液晶パネルと前方導光板の画像を重ねて表示した状態を示す図であり、（Ｂ）は、確変時における液晶パネルと後方導光板の画像を重ねて表示した状態を示す図である。
【図３９】変形例５における導光板ユニットを示す縦断側面図である。
【図４０】（Ａ）は、通常時に導光板ユニットに表示される画像を示す図であり、（Ｂ）は、確変時に導光板ユニットに表示される画像を示す図である。
【発明を実施するための形態】
【００１５】
本発明に係る遊技機を実施するための形態を実施例に基づいて以下に説明する。
【実施例】
【００１６】
まず、本発明の遊技機の一例であるパチンコ遊技機の全体の構成について説明する。図１はパチンコ遊技機１を正面からみた正面図である。尚、以下の説明において、図１の手前側（遊技者側）をパチンコ遊技機１の前面側（前方側）、奥側（内方側）を背面側（後方側）として説明する。尚、本実施例におけるパチンコ遊技機１の前面とは、遊技者側からパチンコ遊技機１を見たときに該遊技者と対向する対向面である。尚、本実施例におけるフローチャートの各ステップの説明において、例えば「ステップＳ１」と記載する箇所を「Ｓ１」と略記する場合がある。
【００１７】
パチンコ遊技機１は、縦長の方形状に形成された外枠１００と、外枠１００に開閉可能に取り付けられた前面枠１０１と、で主に構成されている。前面枠１０１の前面には、ガラス扉枠１０２及び下扉枠１０３がそれぞれ一側を中心に開閉可能に設けられている。
【００１８】
図１及び図２に示すように、ガラス扉枠１０２の下方に取り付けられた下扉枠１０３の前面上部には、遊技媒体（遊技球）としてのパチンコ球（打球）を貯留可能な遊技球貯留部としての上皿３が、パチンコ遊技機１の前方（パチンコ遊技機１の前面方向）に向けて突設されている。また、この上皿３の下方には、後述する操作レバー６００が揺動自在に軸支されるとともに、上面に下皿４が、パチンコ遊技機１の前方に向けて突設されている。その右側方には、パチンコ球を発射する打球操作ハンドル（操作ノブ）５が設けられている。
【００１９】
操作レバー６００は、遊技者が把持する操作桿を含み、操作桿の所定位置（例えば遊技者が操作桿を把持したときに操作手の人差し指が掛かる位置など）には、トリガースイッチが内設されたトリガボタンが設けられている。トリガボタンは、遊技者が操作レバー６００の操作桿を操作手（例えば左手など）で把持した状態において、所定の操作指（例えば人差し指など）で押引操作することなどにより所定の指示操作ができるように構成されていればよい。操作レバー６００の下部における下皿４の本体内部などには、操作桿に対する傾倒操作を検知するために四方向に配置されたレバースイッチ５１０ａ〜５１０ｄが設けられていればよい。
【００２０】
また、上皿３を形成する部材には、例えば上皿３本体の上面における手前側の所定位置（例えば操作レバー６００の上方）などに、遊技者が押下操作などにより所定の指示操作を可能な操作ボタン５１６が設けられている。操作ボタン５１６は、遊技者からの押下操作などによる所定の指示操作を、機械的、電気的、あるいは、電磁的に、検出できるように構成されていればよい。操作ボタン５１６の設置位置における上皿の本体内部などには、操作ボタン５１６に対してなされた遊技者の操作行為を検知するボタンスイッチ５１６ａ（図３を参照）が設けられていればよい。
【００２１】
下扉枠１０３の前面左右側には、後述する左右一対のスピーカ２７ａ，２７ｂが配設されている。
【００２２】
ガラス扉枠１０２の背面には、前面枠１０１に対して着脱可能に取り付けられた遊技盤６が配置されている。尚、遊技盤６は、それを構成する板状体と、その板状体に取り付けられた種々の部品とを含む構造体である。また、遊技盤６の前面には遊技領域７が形成されている。
【００２３】
遊技領域７の中央付近には、それぞれが演出用の演出図柄（演出図柄ともいう）を変動（可変）表示する複数の変動表示領域を含む演出表示装置（演出図柄表示装置）９が、遊技盤６に設けられた開口を介して目視できるように、該遊技盤６の背面に設けられている。
【００２４】
また、遊技領域７の上部付近には、導光板ユニット１１が配置されている。後述するように、この導光板ユニット１１は、所定の表示画像が描画された導光板１１ａ，１１ｂ（図８参照）を有しており、遊技状態に応じた表示画像が発光表示される。尚、本実施例では、通常時（非確変状態）である場合に、導光板ユニット１１に格子模様の画像が表示される（図２３（Ａ）参照）。また、遊技状態が確変状態である場合に、導光板ユニット１１に「確変モード」などの文字列で構成される画像が表示され（図２３（Ｂ）参照）、遊技者に対して現在の遊技状態が確変状態であることを示唆するようにしている。
【００２５】
遊技盤６の所定箇所には、各々を識別可能な複数種類の識別情報としての特別図柄を変動表示（可変表示ともいう）する特別図柄表示器８（図３参照）が設けられている。演出表示装置９には、例えば「左」、「中」、「右」の３つの変動表示領域（図柄表示エリア）がある。演出表示装置９は、特別図柄表示器８による特別図柄の変動表示期間中に、装飾用（演出用）の図柄であって、各々を識別可能な複数種類の識別情報としての演出図柄の変動（可変）表示を行う。演出表示装置９、導光板ユニット１１は、後述する演出制御基板８０に搭載されている演出制御用マイクロコンピュータ８１（図３参照）等の各デバイスによって制御される。
【００２６】
特別図柄表示器８は、例えば０〜９の数字を変動表示可能な簡易で小型の表示器（例えば７セグメントＬＥＤ）で実現されている。特別図柄表示器８には、第１識別情報としての第１特別図柄を変動表示する第１特別図柄表示器８ａと、第２識別情報としての第２特別図柄を変動表示する第２特別図柄表示器８ｂが設けられている。
【００２７】
第１特別図柄の変動表示は、変動表示の実行条件である第１始動条件が成立（例えば、遊技球が後述する第１始動口１５ａに入賞したこと）した後、変動表示の開始条件（例えば、保留記憶数が０でない場合であって、第１特別図柄の変動表示が実行されていない状態であり、かつ、大当り遊技が実行されていない状態）が成立したことにもとづいて開始され、変動表示時間（変動時間）が経過すると表示結果（停止図柄）を導出表示する。また、第２特別図柄の変動表示は、変動表示の実行条件である第２始動条件が成立（例えば、遊技球が後述する第２始動口１５ｂに入賞したこと）した後、変動表示の開始条件（例えば、保留記憶数が０でない場合であって、第２特別図柄の変動表示が実行されていない状態であり、かつ、大当り遊技が実行されていない状態）が成立したことにもとづいて開始され、変動表示時間（変動時間）が経過すると表示結果（停止図柄）を導出表示する。尚、入賞とは、入賞口などのあらかじめ入賞領域として定められている領域に遊技球が入ったことである。また、表示結果を導出表示するとは、図柄（識別情報の例）を最終的に停止表示させることである。
【００２８】
これら第１特別図柄表示器８ａと第２特別図柄表示器８ｂにおける変動表示と演出表示装置９における演出図柄の変動（可変）表示とは、後述するように、該第１特別図柄表示器８ａと第２特別図柄表示器８ｂにおける変動表示が開始されること連動して開始され、該第１特別図柄表示器８ａと第２特別図柄表示器８ｂにおける変動表示が停止されること連動して停止されるように同期しており、これら演出表示装置９における識別情報である演出図柄の変動（可変）表示も、変動表示の実行条件である第１始動条件または第２始動条件が成立（例えば、遊技球が後述する第１始動口１５ａまたは第２始動口１５ｂに入賞したこと）した後、変動表示の開始条件（例えば、保留記憶数が０でない場合であって、第１特別図柄または第２特別図柄の変動表示が実行されていない状態であり、かつ、大当り遊技が実行されていない状態）が成立したことにもとづいて開始され、変動表示時間（変動時間）が経過すると表示結果（演出図柄の組合せによる停止図柄）を導出表示する。
【００２９】
また、演出表示装置９は、本実施例では、液晶パネル９ｃと該液晶パネル９ｃを後方から照らすバックライト９ｄとを有する液晶表示モジュールにて形成されており（図３参照）、該液晶表示モジュールの液晶パネルにより表示部９ａが形成されている。このように、本実施例では液晶表示モジュールを使用しているが、本発明はこれに限定されるものではなく、これら演出表示装置９は、演出図柄等を所定の解像度で表示することのできるものであれば、液晶以外の画像表示形態の表示装置、例えば、ＣＲＴ（Cathode Ray Tube）、ＦＥＤ（Field Emission Display）、ＰＤＰ（Plasma Display Panel）、ドットマトリクスＬＥＤ、有機或いは無機のエレクトロルミネッセンス（ＥＬ）パネル等の表示装置により構成されてもよい。特別図柄表示器８による特別図柄の変動表示期間中に、演出図柄の変動表示（可変表示）を行う。
【００３０】
演出表示装置９の下方には、パチンコ球を受け入れ可能な入賞領域としての第１始動口１５ａ及び第２始動口１５ｂを有する始動入賞装置１５が設けられている。始動入賞装置１５では、上部に第１始動口１５ａが設けられ、その下部に第２始動口１５ｂが設けられている。第２始動口１５ｂの左右には、開閉動作をすることが可能な態様で一対の可動片１３，１３が設けられている。第１始動口１５ａは、上方を向いて開口しており、常にパチンコ球の進入（受け入れ）が可能な状態となっている。一方、第２始動口１５ｂは、上方に第１始動口１５ａの周囲の構造物が設けられ、左右に可動片１３，１３が設けられているため、可動片１３，１３が閉状態であるときにパチンコ球の進入（受け入れ）が不可能な状態となり、可動片１３，１３が開状態であるときにパチンコ球の進入（受け入れ）が可能な状態となる。このように、第１始動口１５ａは入賞のしやすさが変化せず、第２始動口１５ｂは可動片１３，１３の開閉動作によって入賞のしやすさが変化する。
【００３１】
尚、始動入賞装置１５は、可動片１３，１３が閉状態になっている状態において、第２始動口１５ｂに入賞はしづらいものの、入賞することは可能である（すなわち、パチンコ球が入賞しにくい）ように構成されていても良い。また、始動入賞装置１５は、始動口として、入賞のしやすさが変化しない第１始動口１５ａのみが設けられたものであっても良く、可動片１３，１３の開閉動作によって入賞のしやすさが変化する第２始動口１５ｂのみが設けられたものであっても良い。
【００３２】
始動入賞装置１５の可動片１３，１３は、後述する開放条件が成立したときに、ソレノイド１６によって駆動されることにより、閉状態から所定期間開状態とされた後、閉状態とされる。始動入賞装置１５の可動片１３，１３が開状態となることにより、パチンコ球が第２始動口１５ｂに入賞し易くなり（始動入賞し易くなり）、遊技者にとって有利な状態（第１の状態）となる。一方、始動入賞装置１５の可動片１３，１３が閉状態となることにより、パチンコ球が第２始動口１５ｂに入賞しなくなり（始動入賞しにくくなり）、遊技者にとって不利な状態（第２の状態）となる。第１始動口１５ａに入った入賞球は、遊技盤６の背面に導かれ、第１始動口スイッチ１４ａによって検出される。また、第２始動口１５ｂに入った入賞球は、遊技盤６の背面に導かれ、第２始動口スイッチ１４ｂによって検出される。
【００３３】
遊技盤６の所定箇所には、第１始動口スイッチ１４ａまたは第２始動口スイッチ１４ｂに入った有効入賞球の記憶数すなわち保留記憶（始動記憶または始動入賞記憶ともいう）数を表示する特別図柄保留記憶表示器１８（図２参照）が設けられている。特別図柄保留記憶表示器１８は、保留記憶数を入賞順に各４個まで表示する。特別図柄保留記憶表示器１８は、第１始動口１５ａまたは第２始動口１５ｂに始動入賞があるごとに、保留記憶の記憶データが１増えて、点灯状態のＬＥＤの数を１増やす。そして、特別図柄保留記憶表示器１８は、特別図柄表示器８で変動表示が開始されるごとに、保留記憶の記憶データが１減って、点灯状態のＬＥＤの数を１減らす（すなわち１つのＬＥＤを消灯する）。具体的には、特別図柄保留記憶表示器１８は、特別図柄表示器８で変動表示が開始されるごとに、点灯状態をシフトする。尚、この例では、第１始動口１５ａまたは第２始動口１５ｂへの入賞による保留記憶数に上限数（４個まで）が設けられている。しかし、これに限らず、保留記憶数の上限数は、４個以上の値にしても良く、４個よりも少ない値にしても良い。
【００３４】
始動入賞装置１５の下部には、ソレノイド２１によって開閉される開閉板を用いた特別可変入賞球装置２０が設けられている。特別可変入賞球装置２０は、開閉板によって開閉される大入賞口が設けられており、大当り遊技状態において開閉板が遊技者にとって有利な開状態（第１の状態）に制御され、大当り遊技状態以外の状態において開閉板が遊技者にとって不利な閉状態（第２の状態）に制御される。このように、特別可変入賞球装置２０は、大当り遊技状態となるときに開放条件が成立する。特別可変入賞球装置２０に入賞し遊技盤６の背面に導かれた入賞球のうち一方（Ｖ入賞領域：特別領域）に入った入賞球及び他方の領域に入ったパチンコ球は、そのままカウントスイッチ２３で検出される。遊技盤６の背面には、大入賞口内の経路を切り替えるためのソレノイド２１ａ（図３参照）も設けられている。
【００３５】
パチンコ球がゲート３２を通過しゲートスイッチ３２ａで検出されると、複数種類の識別情報としての普通図柄を変動表示する普通図柄表示器１０における変動表示が開始される。この実施例では、図示しない左右のＬＥＤ（点灯時に図柄が視認可能になる）が交互に点灯することによって変動表示が行なわれ、例えば、変動表示の終了時に左側のＬＥＤが点灯すれば当りになる。そして、普通図柄表示器１０における停止図柄が所定の図柄（当り図柄）となったときに、始動入賞装置１５の可動片１３，１３の開放条件が成立し、始動入賞装置１５における可動片１３，１３が所定回数、所定時間だけ開状態になる。普通図柄表示器１０の近傍には、ゲート３２を通過した有効通過球の記憶数、すなわち、始動通過記憶数を表示する４つのＬＥＤによる表示部を有する普通図柄保留記憶表示器４１（図３参照）が設けられている。ゲート３２へのパチンコ球の通過があるごとに、始動通過記憶の記憶データが１増えて、普通図柄保留記憶表示器４１は点灯するＬＥＤを１増やす。そして、普通図柄表示器１０における変動表示が開始されるごとに、始動通過記憶の記憶データが１減って、点灯するＬＥＤを１減らす。
【００３６】
遊技盤６には、パチンコ球を受け入れて入賞を許容する入賞装置の入賞領域として、第１通常入賞口２９、第２通常入賞口３０よりなる複数の通常入賞口が設けられる。第１通常入賞口２９へのパチンコ球の入賞は、第１入賞口スイッチ２９ａによって検出される。第２通常入賞口３０へのパチンコ球の入賞は、第２入賞口スイッチ３０ａによって検出される。尚、第１始動口１５ａ、第２始動口１５ｂ、及び、大入賞口も、パチンコ球を受け入れて入賞を許容する入賞装置の入賞領域を構成する。また、遊技領域７の左右周辺には、遊技中に点滅表示される装飾ＬＥＤ２５ａが内蔵される装飾発光部２５Ｌ，２５Ｒが設けられ、下部には、入賞しなかったパチンコ球を回収するアウト口２６がある。
【００３７】
遊技領域７の外側の左右上部には、効果音を発する２つのスピーカ２７Ｌ，２７Ｒが設けられ、左右下部には、効果音を発する２つのスピーカ２７ａ，２７ｂが設けられている。尚、以下の説明では、スピーカ２７Ｌ，２７Ｒ，２７ａ，２７ｂと総称してスピーカ２７と表記する場合がある。遊技領域７の外周には、回転体用ＬＥＤ等の各種ＬＥＤが内蔵される天ランプモジュール５３０と、左枠ＬＥＤ２８ｂ（図３参照）が内蔵される左発光部２８Ｌ及び右枠ＬＥＤ２８ｃ（図３参照）が内蔵される右発光部２８Ｒが設けられている。更に、遊技領域７における各構造物（大入賞口等）の周囲には装飾ＬＥＤが設置されている。これら回転体用ＬＥＤ、左枠ＬＥＤ２８ｂ及び右枠ＬＥＤ２８ｃ及び装飾用ＬＥＤは、パチンコ遊技機１に設けられている装飾発光体の一例である。
【００３８】
そして、この例では、左発光部２８Ｌの所定箇所に、賞球払出中に点灯する賞球ＬＥＤ５１が設けられ、右枠ＬＥＤ２８ｃの所定箇所に、補給球が切れたときに点灯する球切れＬＥＤ５２が設けられている。
【００３９】
賞球ＬＥＤ５１、球切れＬＥＤ５２、装飾ＬＥＤ２５ａ、左枠ＬＥＤ２８ｂ、右枠ＬＥＤ２８ｃ、天ランプモジュール５３０内の各ＬＥＤ等の各種発光手段は、主基板３１から出力される演出制御コマンドに基づき演出制御用マイクロコンピュータ８１から出力されるシリアル信号に基づいて点灯制御（ＬＥＤ制御）されるとともに、装飾ＬＥＤ２５ａ、左枠ＬＥＤ２８ｂ、右枠ＬＥＤ２８ｃ、天ランプモジュール５３０内の各ＬＥＤについては、発光する光の光量（輝度）も制御（調整）される。また、スピーカ２７Ｌ，２７Ｒ，２７ａ，２７ｂからの音発生制御（音制御）も、演出制御用マイクロコンピュータ８１により実施される。
【００４０】
遊技者の打球操作ハンドル５の操作により図示しない打球発射装置から発射されたパチンコ球は、打球誘導レール（図示略）を通って遊技領域７に入り、その後、遊技領域７を流下してくる。パチンコ球が、第１始動口１５ａに入り第１始動口スイッチ１４ａで検出されるか、または、第２始動口１５ｂに入り第２始動口スイッチ１４ｂで検出されると、特別図柄の変動表示を開始できる状態であれば、特別図柄表示器８において特別図柄が変動表示を始める。特別図柄の変動表示を開始できる状態でなければ、保留記憶数を１増やす。
【００４１】
特別図柄表示器８並びに演出表示装置９における図柄の変動表示は、変動表示が行なわれるごとに設定された変動表示時間が経過したときに停止する。停止時の図柄（停止図柄）が特定表示結果としての大当り図柄（大当り表示結果ともいう）であると、大当りとなり、大当り遊技状態に移行する。大当り遊技状態においては、特別可変入賞球装置２０が、一定時間経過するまで、または、所定個数（例えば１０個）のパチンコ球が入賞するまで開放する。そして、特別可変入賞球装置２０の開放中にパチンコ球がＶ入賞領域に入賞しカウントスイッチ２３で検出されると、継続権が発生し特別可変入賞球装置２０の開放が再度行なわれる。継続権の発生は、例えば１５ラウンドのような所定回数を上限値として許容される。このような制御は、繰返し継続制御と呼ばれる。繰返し継続制御において、特別可変入賞球装置２０が開放されている状態がラウンドと呼ばれる。
【００４２】
停止時の特別図柄表示器８並びに演出表示装置９における図柄が大当り図柄のうちの予め定められた特別な大当り図柄（確変大当り図柄）である場合には、大当り遊技状態後に大当りとすると判定される確率（大当り確率）が、大当り遊技状態と異なる通常状態である通常遊技状態よりも高くなる確率変動状態（以下、確変状態と呼ぶ）という遊技者にとって更に有利な状態になる。以下、確変状態は、高確率状態（高確状態と略称で呼ぶ場合もある）ともいう。また、非確変状態は、低確率状態（低確状態と略称で呼ぶ場合もある）ともいう。
【００４３】
また、特別図柄表示器８並びに演出表示装置９での変動表示の停止時における図柄の表示結果が、確変大当り図柄である場合には、大当り遊技状態後に変動時間短縮状態である時短状態に所定期間に亘り制御される。時短状態とは、通常遊技状態に比べて、特別図柄表示器８、演出表示装置９、及び、普通図柄表示器１０のそれぞれの変動表示時間（変動開始時から表示結果の導出表示時までの時間）を短縮して早期に表示結果を導出表示させる制御状態をいう。更に、時短状態中には、普通図柄表示器１０における停止図柄が当り図柄になる確率が高められるとともに、始動入賞装置１５の可動片１３，１３の開放時間が長くされ、開放回数が増加させられる。時短状態中では、図柄の変動表示時間が短縮されるので、後述する保留記憶数が早期に消化され、保留記憶数の上限（例えば「４」）を超えて発生した始動入賞が無効になってしまう状態を減少でき、短期間に頻繁に表示結果を導出表示して早期に大当り表示結果を導出表示しやすくなるので、時間効率的な観点で変動表示の表示結果が大当り図柄の表示結果となりやすくなり、遊技者にとって有利な遊技状態となる。このように、確変大当りの場合は、大当り遊技状態の終了後の所定期間において、高確率状態かつ時短状態に制御されることとなる。大当り遊技状態の終了後の所定期間に亘る時短状態は、次の大当り遊技状態が発生するか、または、特別図柄及び演出図柄の変動表示が所定回数（１００回）行なわれるまでの、いずれか早い方の条件が成立するまで継続される。
【００４４】
また、入賞に応じたパチンコ球の払出しの面から考えると、時短状態は、非時短状態と比べて、普通図柄の変動表示時間が短縮され、普通図柄表示器１０における停止図柄が当り図柄になる確率が高められ、当り時における始動入賞装置１５の可動片１３，１３の開放時間が長くされ、当り時における始動入賞装置１５の可動片１３，１３の１度の開放回数が多くされることに基づいて、通常遊技状態と比べて始動入賞装置１５の可動片１３，１３が開放状態となりやすい。従って、時短状態では、第２始動口１５ｂへの入賞（始動入賞が有効である場合と無効である場合との両方を含む）が生じやすくなるため、遊技領域７へ打込んだパチンコ球数（打込球数）に対して、入賞に応じた賞球として払出されるパチンコ球数（払出球数）の割合が、通常遊技状態と比べて多くなる。一般的に、発射球数に対する入賞による賞球の払出球数の割合は、「ベース」と呼ばれる。例えば、１００球の打込球数に対して４０球の払出球数があったときには、ベースは４０（％）となる。この実施例の場合では、例えば通常遊技状態のような非時短状態よりもベースが高い時短状態を高ベース状態と呼び、逆に、そのような高ベース状態と比べてベースが低い通常遊技状態のような非時短状態を低ベース状態と呼ぶ。
【００４５】
このように、発射球数に対する入賞による賞球の払出球数の割合が一般的に「ベース」と呼ばれるが、例えば１分間等の単位時間におけるパチンコ球の最大発射数は、一定数に制限されている。このため、「ベース」は、単位時間において、遊技領域に設けられた複数の入賞口への入賞による賞球の払出球数の合計値によっても示すことができる。例えば、単位時間におけるパチンコ球の最大発射数を１００球とすると、単位時間における入賞による賞球の払出球数の合計値は、一般的な「ベース」の値と一致することとなる。このような関連性に基づいて、本実施例では、第１始動口１５ａ、第２始動口１５ｂ、第１通常入賞口２９、第２通常入賞口３０のそれぞれを異常監視対象入賞口としており、該異常監視対象入賞口の入賞による賞球の払出球数の合計値は、ベースと呼ばれ、入賞に関する異常監視の対象として用いられる。
【００４６】
確変状態（高確率状態）と非確変状態（低確率状態）とのどちらの状態であるかは、確変状態においてセットされるフラグである確変フラグがセットされているか否かに基づいて判断される。また、時短状態（高ベース状態）と非時短状態（低ベース状態）とのどちらの状態であるかは、時短状態においてセットされるフラグである時短フラグがセットされているか否かに基づいて判断される。
【００４７】
また、前述の時短状態に制御されていない状態においては、特別図柄の保留記憶数が所定個数以上となるごとに、特別図柄及び演出図柄の変動表示時間を短縮する記憶変動短縮状態に制御する記憶変動短縮制御が行なわれる。記憶変動短縮制御は、特別図柄の保留記憶数が所定個数未満となった段階で終了する。従って、時短状態に制御されていない状態においても、特別図柄及び演出図柄の変動表示時間が短縮される場合がある。
【００４８】
演出表示装置９において変動表示される演出図柄は、特別図柄表示器８における特別図柄の変動表示の装飾効果を高めるために、特別図柄の変動表示と所定の関係を有して変動表示される装飾的な意味合いがある図柄である。このような図柄についての所定の関係には、例えば、特別図柄の変動表示が開始されたときに演出図柄の変動表示が開始する関係、及び、特別図柄の変動表示の終了時に特別図柄の表示結果が導出表示されるときに演出図柄の表示結果が導出表示されて演出図柄の変動表示が終了する関係等が含まれる。特別図柄表示器８により予め定められた大当り図柄が表示結果として導出表示されるときには、演出表示装置９により、左、中、右図柄がゾロ目となる大当り図柄の組合せが表示結果として導出表示される。このような特別図柄による大当り図柄の表示結果及び演出図柄による大当り図柄の組合せの表示結果は、大当り表示結果という。
【００４９】
特別図柄表示器８と演出表示装置９とは変動表示結果が前述したような対応関係になるため、以下の説明においては、これらをまとめて変動表示部と呼ぶ場合がある。
【００５０】
次に、リーチ表示態様（リーチ）について説明する。本実施例におけるリーチ表示態様（リーチ）とは、停止した図柄が大当り図柄の一部を構成しているときに未だ停止していない図柄については変動表示が行なわれていること、及び、すべてまたは一部の図柄が大当り図柄のすべてまたは一部を構成しながら同期して変動表示している状態である。
【００５１】
例えば、演出表示装置９において、図柄が停止することで大当りとなる有効ライン（本実施例の場合は横１本の有効ライン）が予め定められ、その有効ライン上の一部の表示領域に予め定められた図柄が停止しているときに未だ停止していない有効ライン上の表示領域において変動表示が行なわれている状態（例えば、演出表示装置９における左、中、右の変動表示領域のうち左、右の表示領域に同一の図柄が停止表示されている状態で中の表示領域は未だ変動表示が行なわれている状態）、及び、有効ライン上の表示領域のすべてまたは一部の図柄が大当り図柄のすべてまたは一部を構成しながら同期して変動表示している状態（例えば、演出表示装置９における左、中、右の表示領域のすべてに変動表示が行なわれており、常に同一の図柄が揃っている状態で変動表示が行なわれている状態）をリーチ表示態様またはリーチという。
【００５２】
また、リーチの際に、通常と異なる演出がＬＥＤや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（例えば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別（特定）のリーチをスーパーリーチという。
【００５３】
また、演出表示装置９については、大当りを発生させる契機となる変動表示において、大当りとなる可能性がある旨を報知する擬似連等の大当り予告演出が行なわれる場合がある。
【００５４】
この実施例の場合は、大当りとして、後述するように非確変大当り及び確変大当りというような複数種類の大当りが設けられている。以下の説明においては、大当りの種類を特定せずに単に「大当り」と示すときは、これら複数種類の大当りを代表して示す場合である。
【００５５】
非確変大当りは、大当り遊技状態の終了後に前述した確変状態にならず、かつ、時短状態にならないことにより、低確率状態、かつ、低ベース状態となる大当り（非確変大当り）である。このような、低確率状態かつ低ベース状態となった状態は、低確低ベース状態と呼ばれる。確変大当りは、大当り遊技状態の終了後に確変状態になり、かつ、所定期間に亘り時短状態になる高確率状態、かつ、高ベース状態となる大当りである。このような、高確率状態かつ高ベース状態となった状態は、高確高ベース状態と呼ばれる。確変大当りとなった後においては、所定期間が経過すると時短状態が終了し、高確率状態、かつ、低ベース状態になる。このような、高確率状態かつ低ベース状態となった状態は、高確低ベース状態と呼ばれる。
【００５６】
次に、パチンコ遊技機１の背面の構造について図２及び図５を参照して説明する。図２は、遊技機を背面から見た背面図である。図２に示すように、パチンコ遊技機１の背面側では、演出表示装置９を制御する演出制御用マイクロコンピュータが搭載された演出制御基板８０を含む変動表示制御ユニット（図示略）、遊技制御用マイクロコンピュータ等が搭載された主基板３１、音声出力基板（図示略）、ランプドライバ基板（図示略）、及び球払出制御を行う払出制御用マイクロコンピュータ等が搭載された払出制御基板３７等の各種基板が設置されている。尚、主基板３１は基板収納ケース１５０に収納されており、演出制御基板８０は基板収納ケース２７０に収納されている。これら基板収納ケース１５０，２７０は、いずれも透光性を有するアクリル板等の部材により構成されている。
【００５７】
更に、パチンコ遊技機１背面側には、ＤＣ３０Ｖ、ＤＣ２１Ｖ、ＤＣ１２Ｖ及びＤＣ５Ｖ等の各種電源電圧を作成する電源回路が搭載された電源基板９０が設けられている。電源基板９０には、パチンコ遊技機１における主基板３１及び各電気部品制御基板（演出制御基板８０及び払出制御基板３７）やパチンコ遊技機１に設けられている各電気部品（電力が供給されることによって動作する部品）への電力供給を実行あるいは遮断するための電力供給許可手段としての電源スイッチ、主基板３１の遊技制御用マイクロコンピュータ１５６のＲＡＭ５５をクリアするためのクリアスイッチが設けられている。更に、電源スイッチの内側（基板内部側）には、交換可能なヒューズが設けられている。
【００５８】
尚、この実施例では、主基板３１は遊技盤側に設けられ、払出制御基板３７は遊技枠側に設けられている。このような構成であっても、後述するように、主基板３１と払出制御基板３７との間の通信をシリアル通信で行うことによって、遊技盤を交換する際の配線の取り回しを容易にしている。
【００５９】
尚、各制御基板には、制御用マイクロコンピュータを含む制御手段が搭載されている。制御手段は、遊技制御手段等からのコマンドとしての指令信号（制御信号）に従って遊技機に設けられている電気部品（遊技用装置：球払出装置９７、演出表示装置９、ランプやＬＥＤ（発光ダイオード）などの発光体、スピーカ２７等）を制御する。以下、主基板３１を制御基板に含めて説明を行うことがある。その場合には、制御基板に搭載される制御手段は、遊技制御手段と、遊技制御手段等からの指令信号に従って遊技機に設けられている電気部品を制御する手段とのそれぞれを指す。また、主基板３１以外のマイクロコンピュータが搭載された基板をサブ基板ということがある。尚、球払出装置９７は、遊技球を誘導する通路とステッピングモータ等により駆動されるスプロケット等によって誘導された遊技球を上皿や下皿に払い出すための装置である。
【００６０】
パチンコ遊技機１の背面には、各種情報をパチンコ遊技機１の外部に出力するための各端子を備えたターミナル基板９１が設置されている。ターミナル基板９１には、例えば、大当り遊技状態の発生を示す大当り情報等の情報出力信号（例えば、始動口信号等）を外部出力するための情報出力端子が設けられている。
【００６１】
貯留タンク３８に貯留された遊技球は誘導レールを通り、カーブ樋を経て払出ケース９７ａで覆われた球払出装置９７に至る。球払出装置９７の上方には、遊技媒体切れ検出手段としての球切れスイッチ４３が設けられている。球切れスイッチ４３が球切れを検出すると、球払出装置９７の払出動作が停止する。球切れスイッチ４３が遊技球の不足を検知すると、遊技機設置島に設けられている補給機構からパチンコ遊技機１に対して遊技球の補給が行なわれる。
【００６２】
入賞にもとづく景品としての遊技球や球貸し要求にもとづく遊技球が多数払出されて上皿３が満杯になると、遊技球は、余剰球誘導通路を経て下皿４に導かれる。更に遊技球が払出されると、感知レバー（図示略）が貯留状態検出手段としての満タンスイッチ（図示略）を押圧して、貯留状態検出手段としての満タンスイッチ１９がオンする。その状態では、球払出装置内の払出モータの回転が停止して球払出装置の動作が停止するとともに打球発射装置の駆動も停止する。
【００６３】
図３は、主基板３１における回路構成の一例を示すブロック図である。尚、図３には、パチンコ遊技機１に搭載されている払出制御基板３７、及び、演出制御基板８０も示されている。主基板３１には、プログラムに従ってパチンコ遊技機１を制御する基本回路（遊技制御手段に相当）となる遊技制御用マイクロコンピュータ１５６と、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａからの信号の他、電源断信号及びクリア信号等の各種信号を遊技制御用マイクロコンピュータ１５６に与える入力回路５８と、始動入賞装置１５の可動片１３，１３を開閉するソレノイド１６、特別可変入賞球装置２０を開閉するソレノイド２１、及び、大入賞口内の経路を切り替えるためのソレノイド２１ａを遊技制御用マイクロコンピュータ１５６からの指令に従って駆動する出力回路５９と、が搭載されている。
【００６４】
遊技制御用マイクロコンピュータ１５６は、ゲーム制御（遊技進行制御）用のプログラム等を記憶するＲＯＭ５４、ワークメモリとして使用される記憶手段（変動データを記憶する変動データ記憶手段）としてのＲＡＭ５５、及びプログラムに従って制御動作を行うプロセッサであるＣＰＵ５６、及び、Ｉ／Ｏポート５７を含む。遊技制御用マイクロコンピュータ１５６は、１チップマイクロコンピュータである。
【００６５】
遊技制御用マイクロコンピュータ１５６においては、ＣＰＵ５６がＲＯＭ５４に格納されているプログラムに従って制御を実行する。従って、以下に説明するような遊技制御用マイクロコンピュータ１５６が実行する（または、処理を行う）ということは、具体的にはＣＰＵ５６がプログラムに従って制御を実行することである。このことは、主基板３１以外の他の基板に搭載されているマイクロコンピュータについても同様である。また、遊技制御手段は、ＣＰＵ５６を含む遊技制御用マイクロコンピュータ１５６で実現されている。
【００６６】
また、遊技制御用マイクロコンピュータ１５６は、クロック信号を発生させるクロック回路、システムリセット手段として機能するリセットコントローラ、乱数回路、及び、ＣＰＵ５６に割込要求信号を送出するＣＴＣを内蔵する。
【００６７】
乱数回路は、特別図柄及び演出図柄の変動表示の表示結果により大当りとするか否かを判定するための判定用の乱数を発生するために用いられるハードウェア回路である。この乱数回路は、初期値（例えば、０）と上限値（例えば、６５５３５）とが設定された数値範囲内で、数値データを、設定された更新規則に従って更新させていき、ランダムなタイミングで発生する始動入賞時が数値データの読出（抽出）時であることに基づいて、読出される数値データが乱数値となる乱数発生機能を有する。
【００６８】
遊技制御用マイクロコンピュータ１５６は、第１始動口スイッチ１４ａまたは第２始動口スイッチ１４ｂへの始動入賞が生じたときに乱数回路から数値データを乱数値ＭＲ１として読出し、その数値データに基づいて特定の表示結果としての大当り表示結果にするか否か、すなわち、大当りとするか否かを判定する。そして、大当りとすると判定したときに、遊技状態を遊技者にとって有利な特定遊技状態としての大当り遊技状態に移行させる。尚、大当りとするか否かの判定は、実際には特別図柄及び演出図柄の変動表示の開始時に、始動入賞時に抽出した乱数値に基づいて実行される。また、乱数回路が発生させた乱数は、確変とするか否かを決定するための確変判定用乱数や、特別図柄の変動パターンを決定する変動パターン決定用乱数など、大当りとするか否かの判定以外の判定用乱数として用いても良い。
【００６９】
クロック回路は、システムクロック信号をＣＰＵ５６に出力し、このシステムクロック信号を分周して生成した所定の周期の基準クロック信号ＣＬＫを、各乱数回路に出力する。リセットコントローラは、ローレベルの信号が一定期間入力されたとき、ＣＰＵ５６及び各乱数回路に所定の初期化信号を出力して、遊技制御用マイクロコンピュータ１５６をシステムリセットする。
【００７０】
また、ＲＡＭ５５は、その一部または全部が電源基板９０（図２参照）において作成されるバックアップ電源によってバックアップされている揮発性記憶手段としてのバックアップＲＡＭである。すなわち、パチンコ遊技機１に対する電源電力の供給が停止したときである電源断時でも、所定期間（バックアップ電源としてのコンデンサが放電してバックアップ電源が電力供給不能になるまで）は、ＲＡＭ５５の一部または全部の内容は保存される。特に、少なくとも、遊技の制御状態に応じたデータ（特別図柄プロセスフラグ等）と未払出賞球数を示すデータとは、バックアップデータとして、ＲＡＭ５５に保存される。制御状態に応じたデータとは、停電等が生じた後に復旧した場合に、そのデータに基づいて、制御状態を停電等の発生前に復旧させるために必要なデータである。
【００７１】
更に、電源基板９０からの電源電圧が所定値以下に低下したことを示す電源断信号が入力回路５８に入力される。電源断信号は、入力回路５８を介して、遊技制御用マイクロコンピュータ１５６の入力ポートに入力される。また、遊技制御用マイクロコンピュータ１５６の入力ポートには、ＲＡＭの内容をクリアすることを指示するためのクリアスイッチが操作されたことを示すクリア信号が入力回路５８に入力される。クリア信号は、入力回路５８を介して、遊技制御用マイクロコンピュータ１５６の入力ポートに入力される。
【００７２】
また、複数のスイッチのそれぞれは、入力回路５８を介して、遊技制御用マイクロコンピュータ１５６の入力ポートに接続されている。これにより、遊技制御用マイクロコンピュータ１５６は、複数のスイッチのそれぞれから各スイッチの入力状態を示す入力検出信号を受ける。
【００７３】
また、遊技制御用マイクロコンピュータ１５６が搭載する出力回路７８は、ＣＰＵ５６が出力する演出制御コマンドを演出制御基板８０に送信（出力）する。また、出力回路７８は、ＣＰＵ５６が出力する制御信号を、特別図柄表示器８や特別図柄保留記憶表示器１８、普通図柄表示器１０、普通図柄保留記憶表示器４１に送信（出力）する。
【００７４】
遊技制御用マイクロコンピュータ１５６は、演出制御基板８０に表示制御、音制御、及び、ＬＥＤ制御を含む演出制御を指令するための制御信号としての演出制御コマンド（演出制御信号）を、出力回路７８を介して送信する。
【００７５】
遊技制御用マイクロコンピュータ１５６が演出制御基板８０に対して送信する演出制御コマンドには、客待ちデモ指定コマンドや変動表示コマンドが含まれる。
【００７６】
客待ちデモ指定コマンドは、遊技制御用マイクロコンピュータ１５６が客待ちデモンストレーション時の表示を指定する演出制御コマンド（客待ちデモ指定コマンド）であり、特別図柄の変動が終了してから所定時間が経過したことに応じて送出され、該客待ちデモ指定コマンドが演出制御基板８０に対して送出されたときには、演出表示装置９に所定の客待ちデモ画面が表示される。つまり、通常においては、遊技者が交替するときには、遊技者が不在となる期間が存在するので、これら客待ちデモ指定コマンドは、遊技者が交替することで遊技者が不在となったと想定されるときに出力される。
【００７７】
また、変動表示コマンドは、特別図柄の変動表示に対応して演出表示装置９において変動表示される演出図柄の変動パターンを指定するために、変動開始時に送信される演出制御コマンドであり、変動開始を指定するためのコマンドである。
【００７８】
演出制御基板８０には、遊技制御用マイクロコンピュータ１５６からの演出制御コマンドを受信し、演出表示装置９の表示制御や導光板ユニット１１の表示制御や効果音（演出音）の出力制御を行う演出制御用マイクロコンピュータ８１等の電気部品制御手段が搭載されているとともに、時刻情報やカレンダ情報等を出力可能なＲＴＣ（リアルタイムクロック）２００や、パチンコ遊技機１における後述する各種設定を設定するための設定切替スイッチ３００（図２参照）とが搭載されている。
【００７９】
この実施例では、演出制御基板８０に搭載されている演出制御用マイクロコンピュータ８１が、遊技制御用マイクロコンピュータ１５６からの演出制御コマンドを受信し、演出図柄を変動表示する演出表示装置９の表示制御や導光板ユニット１１の表示制御や輝度制御、並びにスピーカ２７Ｌ，２７Ｒ，２７ａ，２７ｂからの音出力制御を行う。
【００８０】
また、演出制御基板８０に搭載されている演出制御用マイクロコンピュータ８１が、レバースイッチ５１０ａ〜５１０ｄやボタンスイッチ５１６ａからの検出信号を検知することで、操作レバー６００の操作や操作ボタン５１６の遊技者による操作を検知する。
【００８１】
また、演出制御用マイクロコンピュータ８１は、遊技盤６に設けられているステージ装飾ＬＥＤ２５ｂの表示制御を行うとともに、枠側に設けられている賞球ＬＥＤ５１、球切れＬＥＤ５２、左枠ＬＥＤ２８ｂ、右枠ＬＥＤ２８ｃ、並びに天ランプモジュール５３０内の各ＬＥＤの点灯制御を行う。また、該設定切替スイッチ３００が操作されることで演出表示装置９に各種設定画面を表示する。設定切替スイッチ３００は、図２及び図５に示すように、演出制御基板８０にパチンコ遊技機１の背面方向を向くように配置されており、基板収納ケース２７０に形成された切欠部２７０ａを介して基板収納ケース２７０の外方から操作可能となっている。よって、これら設定切替スイッチ３００は、パチンコ遊技機１を開放して背面を露出させることのできる遊技場の店員や管理者のみが操作できる。
【００８２】
次に、導光板ユニット１１の構造について図８から図１０を参照して詳述する。図８に示すように、導光板ユニット１１は、演出表示装置９よりも小型で補助的な表示装置となっており、遊技盤６に設けられる装飾部材の一部として構成され、正面視で四角形状をなすユニットとなっている。図９に示すように、導光板ユニット１１は、光を透過可能な透光性を有して前方側に配置される前方導光板１１ａと、同様に光を透過可能な透光性を有して後方側に配置される後方導光板１１ｂとを有している。この各導光板１１ａ，１１ｂは、前後に重畳して配置されている。該導光板１１ａ，１１ｂを介して演出表示装置９の表示画面を前面側から視認することができる。
【００８３】
尚、本実施例では、前方導光板１１ａが前面側に配置され、後方導光板１１ｂが背面側に配置されているが、両導光板１１ａ，１１ｂの離間距離は数ミリ程度となっており、遊技者の視点位置から各導光板１１ａ，１１ｂまでの距離は略同一となっている。
【００８４】
また、図９及び図１０に示すように、導光板ユニット１１は、各導光板１１ａ，１１ｂの端面に光を入射可能に設けられる発光体としての表示用ＬＥＤ６２ａ，６２ｂと、各導光板１１ａ，１１ｂの背面に所定の画像（静止画像）を表す態様にて設けられ、各導光板１１ａ，１１ｂの端面から内部に入射された表示用ＬＥＤ６２ａ，６２ｂからの入射光を誘導して前面から出射させることで画像を表示する反射部５１０，５１１と、各導光板１１ａ，１１ｂと表示用ＬＥＤ６２ａ，６２ｂとの間に配置され、該表示用ＬＥＤ６２ａ，６２ｂからの入射光を各導光板１１ａ，１１ｂ側に誘導しながら板厚方向に集光して各導光板１１ａ，１１ｂの端面に向けて出射する前レンズ５０７ａ及び後レンズ５０７ｂと、非透光性を有する合成樹脂材により四角枠状に形成されたフレーム枠体５０４と、から主に構成されている。
【００８５】
尚、表示用ＬＥＤ６２ａ，６２ｂは、前方導光板１１ａに対応する前側の表示用ＬＥＤ６２ａと、後方導光板１１ｂに対応する後側の表示用ＬＥＤ６２ｂとで構成されている。以下、前方導光板表示用ＬＥＤ６２ａ及び後方導光板表示用ＬＥＤ６２ｂと称する場合がある。また、各表示用ＬＥＤ６２ａ，６２ｂは、各導光板１１ａ，１１ｂの上端面に沿って左右方向に複数個並んで配置されている。更に、本実施例では、導光板ユニット１１を発光表示する際には、前列側または後列側の表示用ＬＥＤ６２ａ，６２ｂのいずれか一方を点灯するようになっており、前方導光板１１ａの画像または後方導光板１１ｂの画像を互いに切り替えて表示する。尚、前列側の表示用ＬＥＤ６２ａと後列側の表示用ＬＥＤ６２ａとを同時に点灯させるようにしても良い。
【００８６】
フレーム枠体５０４は、左フレーム５０４ａ及び右フレーム５０４ｂと、これら左フレーム５０４ａ及び右フレーム５０４ｂの下端間を連結する下フレーム５０４ｃ及び上端間を連結する上フレーム５０４ｄと、により四角枠状に形成されている。左フレーム５０４ａ、右フレーム５０４ｂ及び下フレーム５０４ｃは一体化され上向きコ字形に形成されているとともに、上フレーム５０４ｄは、左フレーム５０４ａ及び右フレーム５０４ｂの上端にネジＮ１により着脱可能に取り付けられ、上辺を開放可能に設けられている。
【００８７】
左フレーム５０４ａ、右フレーム５０４ｂ及び下フレーム５０４ｃの内側面には、前方導光板１１ａが差し込まれる差込溝５０８ａと、後方導光板１１ｂが差し込まれる差込溝５０８ｂと、が長手方向にわたり連続して、かつ平行に形成されており、図９に示すように上フレーム５０４ｄを取り外すことで、各導光板１１ａ，１１ｂを上方から差込溝５０８ａ、５０８ｂ内に差し込み及び上方に抜き取り可能とされている。
【００８８】
このように各導光板１１ａ，１１ｂを左フレーム５０４ａ、右フレーム５０４ｂ及び下フレーム５０４ｃから取り外し可能に設けることで、各導光板１１ａ，１１ｂを容易に交換することができるため、例えば表面が汚れたり傷付いたり、あるいは表示画像が異なる他の導光板１１ａ，１１ｂへ交換する場合において、各導光板１１ａ，１１ｂのみを容易に交換することができる。
【００８９】
図９に示すように、前方導光板１１ａ及び後方導光板１１ｂは、所定の前後幅寸法（板厚（例えば、５ｍｍ））を有するアクリルやポリカーボネートなどの透明な合成樹脂板により正面視で横長の長方形状に形成されている。尚、導光板１１ａ，１１ｂは、透光性を有していれば必ずしも透明でなくても良く、例えば、着色されていても良いし、半透明とされていても良い。
【００９０】
尚、前方導光板１１ａの背面には、表示用ＬＥＤ６２ａからの光を反射して前面から出射させるための反射部５１０が形成されている。図２２（ａ）に示すように、前方導光板１１ａには、反射部５１０より格子模様の画像が形成されている。この格子模様の画像は、遊技とは無関係で無意味な画像が望ましく、前方導光板１１ａの全面に亘って描画されている。
【００９１】
また、後方導光板１１ｂの背面には、表示用ＬＥＤ６２ｂからの光を反射して前面から出射させるための反射部５１１が形成されている。図２２（ｂ）に示すように、後方導光板１１ｂには、反射部５１１により「確変モード」などの文字列で構成される画像が形成されている。
【００９２】
尚、前方導光板１１ａの格子模様の画像は、後述するように、後方導光板１１ｂの画像の視認を困難にするための画像であり、以下、前方導光板１１ａの格子模様の画像を視認困難用画像と称する場合がある。また、後方導光板１１ｂの画像を、現在の遊技状態を示唆する遊技状態示唆用画像と称する場合がある。また、本発明における「困難」という用語は、画像を遊技者が視認できる状態を抑制することのみならず、画像を遊技者が視認することを不可能にすることも含んでいる。
【００９３】
これら反射部５１０，５１１は、前方導光板１１ａと後方導光板１１ｂとがフレーム枠体５０４に差し込まれた状態で前後に重畳する位置に配置される。
【００９４】
これら反射部５１０，５１１は、導光板１１ａ，１１ｂ内を導光される光の進行方向の断面視が一定ピッチの略三角波形状をなす凹凸状態（粗面）に形成されている。具体的には、スタンパーやインジェクションにより導光板１１ａ，１１ｂの背面に凹凸部をつける成型方式にて構成されているが、例えばアクリル板に白色インクで反射ドットを印刷したシルク印刷方式や、アクリル板と反射板とをドット状の粘着材で貼り付けた貼着ドット方式や、溝加工方式等により反射部を構成しても良い。
【００９５】
尚、本実施例では、導光板１１ａ，１１ｂの背面における反射部５１０，５１１を光の進行方向の断面視が略三角波形状の凹凸部としているが、本発明はこれに限定されるものではなく、これら反射部５１０，５１１の断面形状を略半円形状等、光を前面に向けて反射可能な反射面を構成するものであれば種々に変形可能である。尚、これら反射部５１０，５１１は枠線で囲まれた文字や模様の画像として表されているが、実際には枠線はなく、ドット等の集まりにより文字や模様の画像が形成されている。
【００９６】
また、本実施例では、導光板１１ａ，１１ｂにより表示可能とする画像として、文字や模様が例示されているが、これら以外にも、絵柄、記号、あるいは図柄等の装飾も含む他の画像を表示可能としても良い。
【００９７】
また、上フレーム５０４ｄの上面開口には、表示用ＬＥＤ６２ａ，６２ｂが下面に設けられたＬＥＤ基板５１４が嵌合されている。このＬＥＤ基板５１４を配置することで、上フレーム５０４ｄに形成された前後のレンズ溝５１２ａ，５１２ｂの上面開口に表示用ＬＥＤ６２ａ，６２ｂが対向して配置される。尚、レンズ溝５１２ａ，５１２ｂには、前レンズ５０７ａ及び後レンズ５０７ｂが配置される。
【００９８】
各表示用ＬＥＤ６２ａ，６２ｂから出射された出射光は、レンズ５０７ａ，５０７ｂの上端面に入射される。ここで、レンズ５０７ａ，５０７ｂの上端面の前後幅寸法Ｌ２と発光面の前後幅寸法Ｌ４とはほぼ同寸であるため（Ｌ２≒Ｌ４）、各表示用ＬＥＤ６２ａ，６２ｂからの出射光は、前後方向に拡散せずにほぼ上端面に入射される（図１０の部分拡大図参照）。
【００９９】
レンズ５０７ａ，５０７ｂの上端面からレンズ５０７ａ，５０７ｂの内に入射された入射光は、下方の導光板１１ａ，１１ｂに向けて誘導される。ＬＥＤの光は指向性が高いが、レンズ５０７ａ，５０７ｂの上端面を通して入射されることで、入射光は左右方向に放射状に拡散される。そして、レンズ面として形成された下端面を通過する際に、鉛直下方に向けて屈折して出射されるようになっている（図１０の部分拡大図参照）。
【０１００】
これにより、指向性が高い表示用ＬＥＤ６２ａ，６２ｂからの出射光を、レンズ５０７ａ，５０７ｂによりある程度左右方向に放射状に拡散させて発光領域を広げることが可能となるとともに、下端面から出射される光は鉛直下方に導光されて放射状に拡がることはないので、各表示用ＬＥＤ６２ａ，６２ｂに対応する鉛直下方領域のみを部分的に発光させることが可能となる。
【０１０１】
また、入射光は、下方の導光板１１ａ，１１ｂに向けて誘導されながら、前後（板厚）方向に全反射を繰り返し、該前後方向の略中央位置に向けて集光される。このように、表示用ＬＥＤ６２ａ，６２ｂからの光を前後幅（板厚）方向に拡散させることなく集光して導光板１１ａ，１１ｂの上端面に導くことができる。
【０１０２】
そして、入射光が反射部５１０，５１１に到達したときに、この反射部５１０，５１１により入射光が前面側に向けて反射されることで、遊技者からは、それぞれの反射部５１０，５１１に対応する箇所が反射光により発光されることで、所定の画像が表示されるようになる。
【０１０３】
尚、前列側の表示用ＬＥＤ６２ａを点灯させた場合は、前方導光板１１ａの画像（図２２（Ａ））が表示され、後列側の表示用ＬＥＤ６２ｂを点灯させた場合は、後方導光板１１ｂの画像（図２２（Ｂ））が表示される。
【０１０４】
図１１（Ａ）は、この実施例で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。尚、図１１（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【０１０５】
図１１（Ａ）に示す例において、コマンド８００１Ｈは、第１特別図柄表示器８ａにおける第１特図を用いた特図ゲームにおける変動開始を指定する第１変動開始コマンドである。コマンド８００２Ｈは、第２特別図柄表示器８ｂにおける第２特図を用いた特図ゲームにおける変動開始を指定する第２変動開始コマンドである。コマンド８１ＸＸＨは、特図ゲームにおける特別図柄の変動表示に対応して演出表示装置９で変動表示される演出図柄などの変動パターンを指定する変動パターン指定コマンドである。ここで、ＸＸＨは不特定の１６進数であることを示し、演出制御コマンドによる指示内容に応じて任意に設定される値であればよい。変動パターン指定コマンドでは、指定する変動パターンなどに応じて、異なるＥＸＴデータが設定される。
【０１０６】
コマンド８ＣＸＸＨは、特別図柄や演出図柄などの変動表示結果を指定する変動表示結果通知コマンドである。変動表示結果通知コマンドでは、例えば図１１（Ｂ）に示すように、変動表示結果が「ハズレ」であるか「大当り」であるかの判定結果（事前判定結果）や、変動表示結果が「大当り」となる場合の大当り種別を複数種類のいずれとするかの判定結果（大当り種別判定結果）に応じて、異なるＥＸＴデータが設定される。より具体的には、コマンド８Ｃ００Ｈは、変動表示結果が「ハズレ」となる旨の事前判定結果を示す第１変動表示結果通知コマンドである。コマンド８Ｃ０１Ｈは、変動表示結果が「大当り」で大当り種別が「非確変」となる旨の事前判定結果及び大当り種別判定結果を通知する第２変動表示結果通知コマンドである。コマンド８Ｃ０２Ｈは、変動表示結果が「大当り」で大当り種別が「確変」となる旨の事前判定結果及び大当り種別判定結果を通知する第３変動表示結果通知コマンドである。コマンド８Ｃ０３Ｈは、変動表示結果が「大当り」で大当り種別が「突確」となる旨の事前判定結果及び大当り種別判定結果を通知する第４変動表示結果通知コマンドである。コマンド８Ｃ０４Ｈは、変動表示結果が「小当り」となる旨の事前判定結果を示す第５変動表示結果通知コマンドである。
【０１０７】
コマンド８Ｆ００Ｈは、演出表示装置９で演出図柄の変動停止（確定）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。具体的な一例として、コマンド９５００Ｈを時短制御と確変制御がいずれも行われない遊技状態（低確低ベース状態、通常状態）に対応した第１遊技状態指定コマンドとし、コマンド９５０１Ｈを時短制御が行われる一方で確変制御は行われない遊技状態（低確高ベース状態、時短状態）に対応した第２遊技状態指定コマンドとする。また、コマンド９５０２Ｈを確変制御が行われる一方で時短制御は行われない遊技状態（高確低ベース状態、時短なし確変状態）に対応した第３遊技状態指定コマンドとし、コマンド９５０３Ｈを時短制御と確変制御がともに行われる遊技状態（高確高ベース状態、時短付確変状態）に対応した第４遊技状態指定コマンドとする。
【０１０８】
尚、後述するように、本実施例では、遊技状態指定コマンドが演出制御基板８０に送信されることで、演出制御用マイクロコンピュータ８１のＣＰＵ８６が現在の遊技状態を把握できるようになっている。そして、演出制御用マイクロコンピュータ８１のＣＰＵ８６は、導光板ユニット制御処理において、現在の遊技状態に応じて導光板ユニット１１の制御を実行するようになっている（図１９参照）。
【０１０９】
コマンドＡ０ＸＸＨは、大当り遊技状態や小当り遊技状態の開始を示す演出画像の表示を指定する当り開始指定コマンド（「ファンファーレコマンド」ともいう）である。コマンドＡ１ＸＸＨは、大当り遊技状態や小当り遊技状態において、大入賞口が開放状態となっている期間であることを通知する大入賞口開放中通知コマンドである。コマンドＡ２ＸＸＨは、大当り遊技状態や小当り遊技状態において、大入賞口が開放状態から閉鎖状態に変化した期間であることを通知する大入賞口開放後通知コマンドである。コマンドＡ３ＸＸＨは、大当り遊技状態や小当り遊技状態の終了時における演出画像の表示を指定する当り終了指定コマンドである。
【０１１０】
当り開始指定コマンドや当り終了指定コマンドでは、例えば変動表示結果通知コマンドと同様のＥＸＴデータが設定されることなどにより、事前決定結果や大当り種別決定結果に応じて異なるＥＸＴデータが設定されてもよい。あるいは、当り開始指定コマンドや当り終了指定コマンドでは、事前決定結果及び大当り種別決定結果と設定されるＥＸＴデータとの対応関係を、変動表示結果通知コマンドにおける対応関係とは異ならせるようにしてもよい。大入賞口開放中通知コマンドや大入賞口開放後通知コマンドでは、例えば通常開放大当り状態や短期開放大当り状態におけるラウンドの実行回数（例えば「１」〜「１５」）に対応して、異なるＥＸＴデータが設定される。
【０１１１】
コマンドＢ１００Ｈは、第１始動口１５ａを通過（進入）した遊技球が第１始動口スイッチ１４ａにより検出されて始動入賞（第１始動入賞）が発生したことに基づき、第１特別図柄表示器８ａにおける第１特図を用いた特図ゲームを実行するための第１始動条件が成立したことを通知する第１始動口入賞指定コマンドである。コマンドＢ２００Ｈは、第２始動口１５ｂを通過（進入）した遊技球が第２始動口スイッチ１４ｂにより検出されて始動入賞（第２始動入賞）が発生したことに基づき、第２特別図柄表示器８ｂにおける第２特図を用いた特図ゲームを実行するための第２始動条件が成立したことを通知する第２始動口入賞指定コマンドである。
【０１１２】
コマンドＣ１ＸＸＨは、始動入賞記憶表示エリアなどにて特図保留記憶数を特定可能に表示するために、第１特図保留記憶数を通知する第１保留記憶数通知コマンドである。コマンドＣ２ＸＸＨは、始動入賞記憶表示エリアなどにて特図保留記憶数を特定可能に表示するために、第２特図保留記憶数を通知する第２保留記憶数通知コマンドである。第１保留記憶数通知コマンドは、例えば第１始動入賞口を遊技球が通過（進入）して第１始動条件が成立したことに基づいて、第１始動口入賞指定コマンドが送信されるときに、主基板３１から演出制御基板８０に対して送信される。第２保留記憶数通知コマンドは、例えば第２始動入賞口を遊技球が通過（進入）して第２始動条件が成立したことに基づいて、第２始動口入賞指定コマンドが送信されるときに、主基板３１から演出制御基板８０に対して送信される。また、第１保留記憶数通知コマンドや第２保留記憶数通知コマンドは、第１開始条件と第２開始条件のいずれかが成立したときに、特図ゲームの実行が開始されることなどに対応して送信されるようにしてもよい。
【０１１３】
第１保留記憶数通知コマンドは、第１始動入賞の発生により第１始動条件が成立したときに、第１特図保留記憶数の増加を通知するものとして送信される。また、第２保留記憶数通知コマンドは、第２始動入賞の発生により第２始動条件が成立したときに、第２特図保留記憶数の増加を通知するものとして送信される。
【０１１４】
この実施例では、保留記憶情報として、第１始動入賞口と第２始動入賞口とのいずれに始動入賞したかを指定する第１始動口入賞指定コマンドや第２始動口入賞指定コマンドを送信するとともに、第１特図保留記憶数や第２特図保留記憶数を指定する第１保留記憶数通知コマンドや第２保留記憶数通知コマンドを送信する。尚、保留記憶数が増加したときに、第１特図保留記憶数または第２特図保留記憶数が増加したことを示す保留記憶数加算指定コマンド（第１保留記憶数加算指定コマンドまたは第２保留記憶数加算指定コマンド）を送信する一方、保留記憶数が減少したときに、第１特図保留記憶数または第２特図保留記憶数が減少したことを示す保留記憶数減算指定コマンド（第１保留記憶数減算指定コマンドまたは第２保留記憶数減算指定コマンド）を送信するようにしてもよい。
【０１１５】
第１保留記憶数通知コマンドや第２保留記憶数通知コマンドに代えて、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【０１１６】
コマンドＣ４ＸＸＨ及びコマンドＣ６ＸＸＨは、入賞時判定結果の内容を示す演出制御コマンド（入賞時判定結果指定コマンド）である。このうち、コマンドＣ４ＸＸＨは、入賞時判定結果として、変動表示結果が「大当り」となるか否かや「小当り」となるか否か、大当り種別の判定結果を示す図柄指定コマンドである。また、コマンドＣ６ＸＸＨは、入賞時判定結果として、変動パターン種別決定用の乱数値がいずれの決定値の範囲となるかの判定結果（変動パターン種別の判定結果）を示す変動カテゴリコマンドである。
【０１１７】
この実施例では、第１始動口スイッチ通過処理または第２始動口スイッチ通過処理（図１３参照）において、始動入賞の発生に基づき、変動表示結果が「大当り」に決定されるか否かや「小当り」に判定されるか否か、大当りの種別、変動パターン種別判定用の乱数値がいずれの決定値の範囲になるかを判定する。そして、図柄指定コマンドのＥＸＴデータに、変動表示結果が「大当り」や「小当り」に決定されることを指定する値や、大当り種別を指定する値を設定し、演出制御基板８０に対して送信する制御を行う。また、変動カテゴリコマンドのＥＸＴデータに判定結果としての乱数値が含まれる決定値の範囲を指定する値を設定し、演出制御基板８０に対して送信する制御を行う。演出制御基板８０に搭載された演出制御用マイクロコンピュータ８１のＣＰＵ８６は、図柄指定コマンドに設定されている値に基づいて、変動表示結果が「大当り」や「小当り」に決定されるか否か、大当り種別を認識できるとともに、変動カテゴリコマンドに設定されている値に基づいて、変動パターン種別決定用の乱数値が所定範囲の決定値に含まれる場合には変動パターン種別を認識できる。
【０１１８】
尚、図１１に示す演出制御コマンドは、本パチンコ遊技機１において主基板３１から演出制御基板８０に送信される演出制御コマンドの一部を示すものであり、これらの演出制御コマンド以外の演出制御コマンドが、演出制御基板８０に送信される。
【０１１９】
図４に示すように、演出制御基板８０は、ＣＰＵ８６、ＲＡＭ８５を含む演出制御用マイクロコンピュータ８１を搭載している。演出制御基板８０において、ＣＰＵ８６は、内蔵のＲＯＭ８４に格納されたプログラムに従って動作し、入力回路２６０を介して演出制御コマンドを受信する。このうち、ＲＯＭ８４には、各種の演出において演出表示装置９に表示する画像に関するデータや表示の開始タイミングや終了タイミング等のタイムチャート等が演出の種別毎に記憶されている。また、ＣＰＵ８６は、演出制御コマンドにもとづいて、ＶＤＰ（ビデオディスプレイプロセッサ）２６２に、演出表示装置９に表示する画像の生成やバックライトの発光強度の調整等の演出表示装置９の表示制御を行わせる表示制御処理を実施する。
【０１２０】
この実施例では、演出制御用マイクロコンピュータ８１と共動して演出表示装置９の表示制御を行うＶＤＰ２６２が演出制御基板８０に搭載されているとともに、前述したように、ＲＴＣ２００や設定切替スイッチ３００も搭載されている。
【０１２１】
ＶＤＰ２６２は、図４に示すように、スプライト画像として用いる画像要素データとしてのキャラクタ（人物、動物、文字、図形、記号等の画像データ、ＣＧデータとも呼ぶ）などのデータが格納されるＣＧＲＯＭ２０５、フレームバッファ領域（ＶＲＡＭ領域）として使用されるＳＤＲＡＭ２１０（シンクロナスＤＲＡＭ）とともに表示制御回路を構成する。
【０１２２】
ＣＰＵ８６は、受信した演出制御コマンドに従ってＣＧＲＯＭ（図示せず）から必要なデータを読み出すための指令をＶＤＰ２６２に出力する。ＣＧＲＯＭは、演出表示装置９に表示されるキャラクタ画像データや動画像データ、具体的には、人物、文字、図形や記号等（飾り図柄を含む）、及び背景画像のデータをあらかじめ格納しておくためのＲＯＭである。ＶＤＰ２６２は、ＣＰＵ８６の指令に応じて、ＣＧＲＯＭから画像データを読み出す。そして、ＶＤＰ２６２は、読み出した画像データにもとづいて表示制御を実行する。
【０１２３】
また、この実施例では、演出制御用マイクロコンピュータ８１（ＣＰＵ８６）と共動して、各スピーカ２７Ｒ，２７Ｌ，２７ａ，２７ｂから出力する音を生成する音声処理ＩＣ１７３とＤ／ＡコンバータＩＣ１７７並びに該Ｄ／ＡコンバータＩＣ１７７にてアナログ信号に変換された音信号（生成音）を増幅するデジタルアンプ１７５が演出制御基板８０に搭載されており、ＣＰＵ８６は、主基板３１からの演出制御コマンドにもとづいて音番号（ＩＤ）データを音声処理ＩＣ１７３に出力して、該音番号（ＩＤ）データに対応する音を音声処理ＩＣ１７３に生成させる。
【０１２４】
音声処理ＩＣ１７３は、演出制御用マイクロコンピュータ８１から音番号データが入力されると、該入力された音番号データに応じた音声や効果音を、各スピーカ２７Ｒ，２７Ｌ，２７ａ，２７ｂ毎に個別に生成しデジタルアンプ１７５に出力する。デジタルアンプ１７５は、Ｄ／ＡコンバータＩＣ１７７の出力レベルを、演出制御用マイクロコンピュータ８１（ＣＰＵ８６）により設定されている音量レベルに応じた音量に増幅して各スピーカ２７Ｒ，２７Ｌ，２７ａ，２７ｂに出力する。
【０１２５】
音声処理ＩＣ１７３には、図４に示すように、音データＲＯＭ１７４がローカルに接続されている。この音データＲＯＭ１７４には、音番号（ＩＤ）データに対応付けて該音番号（ＩＤ）データが該当する演出コマンドにより実施される各種演出に対応した音を出力するための各スピーカ２７Ｒ，２７Ｌ，２７ａ，２７ｂ毎の音制御データが格納されている。つまり、これら音制御データは、演出期間（例えば飾り図柄の変動期間）において各スピーカ２７Ｒ，２７Ｌ，２７ａ，２７ｂから出力する効果音または音声の出力態様（音量レベル、音像を定位される位置、エコー等のエフェクトの有無等）が時系列的に音源データとともに記述されたデータの集まりである。
【０１２６】
このように、本実施例では、図４に示すように、演出制御基板８０には演出制御用マイクロコンピュータ８１、音声処理ＩＣ１７３、ＶＤＰ２６２が個別に搭載されている。このうち演出制御用マイクロコンピュータ８１と音声処理ＩＣ１７３は、同様に演出制御基板８０に搭載されている報知用ＬＥＤ４００の発光態様によって状態の報知を行うことが可能となっている。
【０１２７】
また、演出制御用マイクロコンピュータ８１には、前述したＲＴＣ２００、設定切替スイッチ３００がローカルに接続されており、ＲＴＣ２００から出力される時刻データが演出制御用マイクロコンピュータ８１に入力され、設定切替スイッチ３００からの信号が演出制御用マイクロコンピュータ８１に入力されるようになっている。
【０１２８】
次に、設定切替スイッチ３００について説明する。図６に示すように、設定切替スイッチ３００は、０〜Ｆまでの計１６個のチャンネルを備えており、これらチャンネルをツマミ３０１を回動操作することで切り替えるセレクタスイッチである。本実施例では、図７に示すように、ホール（遊技場）の店員等が設定切替スイッチ３００のツマミ３０１をチャンネル０〜Ｆのいずれかに切り替えた後にパチンコ遊技機１の電源を入れることで、パチンコ遊技機１の遊技においてスピーカ２７Ｌ，２７Ｒ，２７ａ，２７ｂから出力される音量の初期値と、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量（輝度）の初期値と、遊技者が調整可能な音量及び光量の調整範囲とを設定することが可能となっている。本実施例では、該設定切替スイッチ３００のつまみ３０１を切り替えることで設定される音量の初期値と光量の初期値及び各チャンネルにおける遊技者が調整可能な音量及び光量の調整範囲とを、ホール設定値と定義する。
【０１２９】
具体的には、図７に示すように、光量（輝度）の初期値としては、チャンネル０〜２及びチャンネルＢ〜Ｆは、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量が通常量である『１００％』に割り当てられており、チャンネル３は、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量が通常量に対する『１０％』に割り当てられており、チャンネル４〜７は、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量が通常量に対する『３０％』に割り当てられており、チャンネル８〜Ａは、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量が通常量に対する『６５％』に割り当てられている。尚、本実施例では、ステージ装飾ＬＥＤ２５ｂ、天ランプモジュール５３０、左枠ＬＥＤ２８ｂ、右枠ＬＥＤ２８ｃ、バックライト９ｄの全てを等しく光量を調整する形態を例示しているが、本発明はこれに限定されるものではなく、これらステージ装飾ＬＥＤ２５ｂ、天ランプモジュール５３０、左枠ＬＥＤ２８ｂ、右枠ＬＥＤ２８ｃ、バックライト９ｄの一部のみの光量が調整されるようにしても良い。
【０１３０】
一方、音量の初期値としては、チャンネル０には、スピーカ２７Ｌ，２７Ｒ，２７ａ，２７ｂから音声が出力されない『０（無音）』に割り当てられており、チャンネル１〜２には、スピーカ２７Ｌ，２７Ｒ，２７ａ，２７ｂから極めて小さい音量で音声が出力される『１』に割り当てられており、チャンネル３には、スピーカ２７Ｌ，２７Ｒ，２７ａ，２７ｂから音量『１』よりも大きい音量で音声が出力される『２』に割り当てられており、チャンネル４には、スピーカ２７Ｌ，２７Ｒ，２７ａ，２７ｂから音量『２』よりも大きい音量で音声が出力される『３』に割り当てられており、チャンネル５には、スピーカ２７Ｌ，２７Ｒ，２７ａ，２７ｂから音量『３』よりも大きい音量で音声が出力される『４』に割り当てられており、チャンネル６には、スピーカ２７Ｌ，２７Ｒ，２７ａ，２７ｂから音量『４』よりも大きい音量で音声が出力される『５』に割り当てられており、チャンネル７には、スピーカ２７Ｌ，２７Ｒ，２７ａ，２７ｂから音量『５』よりも大きい音量で音声が出力される『６』に割り当てられており、チャンネル８には、スピーカ２７Ｌ，２７Ｒ，２７ａ，２７ｂから音量『６』よりも大きい音量で音声が出力される『７』に割り当てられている。尚、本実施例では、全てのスピーカ２７Ｌ，２７Ｒ，２７ａ，２７ｂの音量を調整するようにしているが、本発明はこれに限定されるものではなく、これらスピーカ２７Ｌ，２７Ｒ，２７ａ，２７ｂの一部のみの音量が調整されるようにしても良い。
【０１３１】
また、音量の初期値としては、チャンネル９には、スピーカ２７Ｌ，２７Ｒ，２７ａ，２７ｂから音量『７』よりも大きい音量で音声が出力される『８』に割り当てられており、チャンネルＡには、スピーカ２７Ｌ，２７Ｒ，２７ａ，２７ｂから音量『８』よりも大きい音量で音声が出力される『９』に割り当てられており、チャンネルＢには、スピーカ２７Ｌ，２７Ｒ，２７ａ，２７ｂから音量『９』よりも大きい音量で音声が出力される『１０』に割り当てられており、チャンネルＣには、スピーカ２７Ｌ，２７Ｒ，２７ａ，２７ｂから音量『１０』よりも大きい音量で音声が出力される『１１』に割り当てられており、チャンネルＤには、スピーカ２７Ｌ，２７Ｒ，２７ａ，２７ｂから音量『１１』よりも大きい音量で音声が出力される『１２』に割り当てられており、チャンネルＥには、スピーカ２７Ｌ，２７Ｒ，２７ａ，２７ｂから音量『１２』よりも大きい音量で音声が出力される『１３』に割り当てられており、チャンネルＦには、スピーカ２７Ｌ，２７Ｒ，２７ａ，２７ｂから音量『１３』よりも大きい音量で音声が出力される『１４』に割り当てられている。
【０１３２】
更に、本実施例におけるパチンコ遊技機１では、ホール（遊技場）の店員等が設定切替スイッチ３００のツマミ３０１をチャンネル０〜Ｆのいずれかに切り替えた後にパチンコ遊技機１の電源を入れることで、詳細は後述するが、遊技者が操作ボタン５１６及び操作レバー６００を操作することにより、切り替えられたチャンネル０〜Ｆに応じた範囲にて、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量及びスピーカ２７Ｌ，２７Ｒ，２７ａ，２７ｂから出力される音量を、遊技者が調整することが可能となっている。つまり、設定切替スイッチ３００のツマミ３０１をチャンネル０〜Ｆのいずれかに切り替えることにより、上述した初期値とともに、遊技者が調整可能な光量（輝度）と音量の範囲（調整可能範囲）を設定できるようになっている。
【０１３３】
具体的には、チャンネル０〜２では、遊技者は、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を『１００％』、『６５％』、『３０％』の中から選択して調整可能であるとともに、スピーカ２７Ｌ，２７Ｒ，２７ａ，２７ｂから出力される音量を『０』、『１』の中から選択して調整可能となっている。
【０１３４】
また、チャンネル５〜Ａでは、遊技者は、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を『１００％』、『６５％』、『３０％』の中から選択して調整可能であるとともに、スピーカ２７Ｌ，２７Ｒ，２７ａ，２７ｂから出力される音量を『２』、『３』、『４』、『５』、『６』、『７』、『８』、『９』の中から選択して調整可能となっており、チャンネルＢ〜Ｆでは、遊技者は、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を『１００％』、『７５％』、『５０％』の中から選択して調整可能であるとともに、スピーカ２７Ｌ，２７Ｒ，２７ａ，２７ｂから出力される音量を『２』、『３』、『４』、『５』、『６』、『７』、『８』、『９』、『１０』、『１１』、『１２』、『１３』、『１４』の中から選択して調整可能となっている。
【０１３５】
尚、チャンネル３及びチャンネル４は、パチンコ遊技機１の消費電力を抑えるための節電モードとして、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を初期値である『１０％』または『３０％』から遊技者の調整が不可能となっているとともに、スピーカ２７Ｌ，２７Ｒ，２７ａ，２７ｂから出力される音量を初期値である『２』または『３』から遊技者の調整が不可能となっている。このように、パチンコ遊技機１をチャンネル３及びチャンネル４の節電モードに設定することによって遊技者による音量の変更を規制することで、遊技場において火災や地震等の災害が発生した場合に発せられる警報音が、パチンコ遊技機１から出力される音声によってかき消されてしまうことを防止することができ、災害時における遊技者の避難等をスムーズに促すことができる。尚、本実施例では、遊技者が操作ボタン５１６及び操作レバー６００を操作することで設定される音量と光量とを、遊技者設定値と定義する。
【０１３６】
更に、パチンコ遊技機１をチャンネル３及びチャンネル４の節電モードに設定することで遊技者による音量及び光量の変更が規制されることによって、例えば、遊技場の経営方針としてパチンコ遊技機１の音量及び光量を小さく設定することで遊技場の消費電力を抑制しようとしても、これに反して遊技者によりパチンコ遊技機１の音量及び光量が大きく設定されてしまい、消費電力の抑制ができなくなってしまうことを防止し、パチンコ遊技機１の節電モードによる消費電力の抑制効果を確保することができる。
【０１３７】
尚、本実施例では、遊技者による音量の変更を規制できる節電モードにおいては、音量の初期値を『２』または『３』のみとし、光量の初期値を『１０％』または『３０％』のみとしているが、本発明はこれに限定されるものではなく、節電モードにおける音量の初期値及び光量の初期値としては、これら以外の初期値を設定できるようにしても良い。
【０１３８】
尚、本実施例では、チャンネル５〜Ａでは、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を『１００％』、『６５％』、『３０％』の中から選択して調整可能とし、チャンネルＢ〜Ｆでは、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を『１００％』、『７５％』、『５０％』の中から選択して調整可能としているが、本発明はこれに限定されず、チャンネルＢ〜Ｆでは、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量を、『１００％』、『７５％』、『５０％』に加えて、チャンネル５〜Ａにおいて選択して調整可能な『６５％』と『３０％』を選択して調整可能とすることで、より細かい段階で光量の調整を可能としても良い。
【０１３９】
このように、設定切替スイッチ３００においてチャンネルを切り換えて起動することで、スピーカ２７Ｌ，２７Ｒ，２７ａ，２７ｂから出力される音量の初期値と、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量（輝度）の初期値を調整できるようになっているのに対し、導光板ユニット１１から出力される光の光量（輝度）、つまり、表示用ＬＥＤ６２ａや表示用ＬＥＤ６２ｂの光量（輝度；発光強度）については、図７に示すように、『０』〜『Ｆ』のいずれのチャンネルとしても、常に『１００％』とされることにより、導光板ユニット１１に入射される光の光量（輝度）、つまり、導光板ユニット１１から放射される光の光量（輝度）の調整は不可能とされている。
【０１４０】
尚、本実施例では、導光板ユニット１１における前方導光板表示用ＬＥＤ６２ａや後方導光板表示用ＬＥＤ６２ｂの光量の調整が不可能となっているが、本発明はこれに限定されるものではなく、前方導光板表示用ＬＥＤ６２ａと後方導光板表示用ＬＥＤ６２ｂのいずれか一方の光量の調整を可能としても良い。その場合において、前方導光板表示用ＬＥＤ６２ａの光量の調整を可能した場合には、後方導光板表示用ＬＥＤ６２ｂの光量を調整不能とし、後方導光板表示用ＬＥＤ６２ｂの光量の調整を可能した場合には、前方導光板表示用ＬＥＤ６２ａの光量を調整不能にする。
【０１４１】
次に、パチンコ遊技機１の動作について説明する。パチンコ遊技機１に対して電源が投入され電力供給が開始されると、リセット信号が入力されるリセット端子の入力レベルがハイレベルになり、遊技制御用マイクロコンピュータ１５６（具体的には、ＣＰＵ５６）は、プログラムの内容が正当か否か確認するための処理であるセキュリティチェック処理を実行した後、Ｓ１以降の図示しないメイン処理を開始する。メイン処理において、ＣＰＵ５６は、まず、必要な初期設定を行う。
【０１４２】
初期設定処理において、ＣＰＵ５６は、まず、割込禁止に設定する（Ｓ１）。次に、割込モードを割込モード２に設定し（Ｓ２）、スタックポインタにスタックポインタ指定アドレスを設定する（Ｓ３）。そして、内蔵デバイスの初期化（内蔵デバイス（内蔵周辺回路）であるＣＴＣ（カウンタ／タイマ）及びＰＩＯ（パラレル入出力ポート）の初期化など）を行った後（Ｓ４）、ＲＡＭをアクセス可能状態に設定する（Ｓ５）。尚、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【０１４３】
次いで、ＣＰＵ５６は、入力ポートを介して入力されるクリアスイッチ（例えば、電源基板に搭載されている。）の出力信号（クリア信号）の状態を確認する（Ｓ６）。その確認においてオンを検出した場合には、ＣＰＵ５６は、通常の初期化処理（Ｓ１０〜Ｓ１５）を実行する。
【０１４４】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（Ｓ７）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【０１４５】
電力供給停止時処理が行われたことを確認したら、ＣＰＵ５６は、バックアップＲＡＭ領域のデータチェックを行う（Ｓ８）。この実施例では、データチェックとしてパリティチェックを行う。よって、Ｓ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【０１４６】
チェック結果が正常であれば、ＣＰＵ５６は、遊技制御手段の内部状態と演出制御手段等の電気部品制御手段の制御状態を電力供給停止時の状態に戻すための遊技状態復旧処理（Ｓ４１〜Ｓ４３の処理）を行う。具体的には、ＲＯＭ５４に格納されているバックアップ時設定テーブルの先頭アドレスをポインタに設定し（Ｓ４１）、バックアップ時設定テーブルの内容を順次作業領域（ＲＡＭ５５内の領域）に設定する（Ｓ４２）。作業領域はバックアップ電源によって電源バックアップされている。バックアップ時設定テーブルには、作業領域のうち初期化してもよい領域についての初期化データが設定されている。Ｓ４１及びＳ４２の処理によって、作業領域のうち初期化してはならない部分については、保存されていた内容がそのまま残る。初期化してはならない部分とは、例えば、電力供給停止前の遊技状態を示すデータ（特別図柄プロセスフラグ、確変フラグ、時短フラグなど）、出力ポートの出力状態が保存されている領域（出力ポートバッファ）、未払出賞球数を示すデータが設定されている部分などである。
【０１４７】
また、ＣＰＵ５６は、電力供給復旧時の初期化コマンドとしての停電復旧指定コマンドを送信する（Ｓ４３）。そして、Ｓ１４に移行する。尚、この実施例では、ＣＰＵ５６は、Ｓ４３の処理において、バックアップＲＡＭに保存されていた合算保留記憶数カウンタの値を設定した合算保留記憶数指定コマンドも演出制御基板８０に対して送信する。
【０１４８】
尚、この実施例では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【０１４９】
初期化処理では、ＣＰＵ５６は、まず、ＲＡＭクリア処理を行う（Ｓ１０）。尚、ＲＡＭクリア処理によって、所定のデータ（例えば、普通図柄当り判定用乱数を生成するためのカウンタのカウント値のデータ）は０に初期化されるが、任意の値またはあらかじめ決められている値に初期化するようにしてもよい。また、ＲＡＭ５５の全領域を初期化せず、所定のデータ（例えば、普通図柄当り判定用乱数を生成するためのカウンタのカウント値のデータ）をそのままにしてもよい。また、ＲＯＭ５４に格納されている初期化時設定テーブルの先頭アドレスをポインタに設定し（Ｓ１１）、初期化時設定テーブルの内容を順次作業領域に設定する（Ｓ１２）。
【０１５０】
Ｓ１１及びＳ１２の処理によって、例えば、普通図柄当り判定用乱数カウンタ、特別図柄バッファ、総賞球数格納バッファ、特別図柄プロセスフラグなど制御状態に応じて選択的に処理を行うためのフラグに初期値が設定される。
【０１５１】
また、ＣＰＵ５６は、サブ基板（主基板３１以外のマイクロコンピュータが搭載された基板。）を初期化するための初期化指定コマンド（遊技制御用マイクロコンピュータ１５６が初期化処理を実行したことを示すコマンドでもある。）をサブ基板に送信する（Ｓ１３）。例えば、演出制御用マイクロコンピュータ８１は、初期化指定コマンドを受信すると、演出表示装置９において、遊技機の制御の初期化がなされたことを報知するための画面表示、すなわち初期化報知を行う。
【０１５２】
また、ＣＰＵ５６は、乱数回路５０３を初期設定する乱数回路設定処理を実行する（Ｓ１４）。ＣＰＵ５６は、例えば、乱数回路設定プログラムに従って処理を実行することによって、乱数回路５０３に所定の乱数値の値を更新させるための設定を行う。
【０１５３】
そして、Ｓ１５において、ＣＰＵ５６は、所定時間（例えば２ｍｓ）毎に定期的にタイマ割込がかかるように遊技制御用マイクロコンピュータ１５６に内蔵されているＣＴＣのレジスタの設定を行う。すなわち、初期値として例えば２ｍｓに相当する値が所定のレジスタ（時間定数レジスタ）に設定される。この実施例では、２ｍｓ毎に定期的にタイマ割込がかかるとする。
【０１５４】
初期化処理の実行（Ｓ１０〜Ｓ１５）が完了すると、ＣＰＵ５６は、メイン処理で、表示用乱数更新処理（Ｓ１７）及び初期値用乱数更新処理（Ｓ１８）を繰り返し実行する。表示用乱数更新処理及び初期値用乱数更新処理を実行するときには割込禁止状態に設定し（Ｓ１６）、表示用乱数更新処理及び初期値用乱数更新処理の実行が終了すると割込許可状態に設定する（Ｓ１９）。この実施例では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施例では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ１５６が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０１５５】
尚、この実施例では、リーチ演出は、演出表示装置９において変動表示される演出図柄（演出図柄）を用いて実行される。また、特別図柄の表示結果を大当り図柄にする場合には、リーチ演出は常に実行される。特別図柄の表示結果を大当り図柄にしない場合には、遊技制御用マイクロコンピュータ１５６は、乱数を用いた抽選によって、リーチ演出を実行するか否か決定する。ただし、実際にリーチ演出の制御を実行するのは、演出制御用マイクロコンピュータ８１である。
【０１５６】
タイマ割込が発生すると、ＣＰＵ５６は、図１２に示すＳ２０〜Ｓ３４のタイマ割込処理を実行する。タイマ割込処理において、まず、電源断信号が出力されたか否か（オン状態になったか否か）を検出する電源断検出処理を実行する（Ｓ２０）。電源断信号は、例えば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力回路５８を介して、ゲートスイッチ３２ａ、第１始動口スイッチ１４ａ、第２始動口スイッチ１４ｂ及びカウントスイッチ２３の検出信号を入力し、それらの状態判定を行う（スイッチ処理：Ｓ２１）。
【０１５７】
次に、ＣＰＵ５６は、第１特別図柄表示器８ａ、第２特別図柄表示器８ｂ、普通図柄表示器１０、特別図柄保留記憶表示器１８、普通図柄保留記憶表示器４１の表示制御を行う表示制御処理を実行する（Ｓ２２）。第１特別図柄表示器８ａ、第２特別図柄表示器８ｂ及び普通図柄表示器１０については、Ｓ３２，Ｓ３３で設定される出力バッファの内容に応じて各表示器に対して駆動信号を出力する制御を実行する。
【０１５８】
また、遊技制御に用いられる普通図柄当り判定用乱数等の各判定用乱数を生成するための各カウンタのカウント値を更新する処理を行う（判定用乱数更新処理：Ｓ２３）。ＣＰＵ５６は、更に、初期値用乱数及び表示用乱数を生成するためのカウンタのカウント値を更新する処理を行う（初期値用乱数更新処理、表示用乱数更新処理：Ｓ２４，Ｓ２５）。
【０１５９】
更に、ＣＰＵ５６は、特別図柄プロセス処理を行う（Ｓ２６）。特別図柄プロセス処理では、第１特別図柄表示器８ａ、第２特別図柄表示器８ｂ及び大入賞口を所定の順序で制御するための特別図柄プロセスフラグに従って該当する処理を実行する。ＣＰＵ５６は、特別図柄プロセスフラグの値を、遊技状態に応じて更新する。
【０１６０】
次いで、普通図柄プロセス処理を行う（Ｓ２７）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【０１６１】
また、ＣＰＵ５６は、演出制御用マイクロコンピュータ８１に演出制御コマンドを送出する処理を行う（演出制御コマンド制御処理：Ｓ２８）。
【０１６２】
更に、ＣＰＵ５６は、例えばホール管理用コンピュータに供給される大当り情報、始動情報、確率変動情報などのデータを出力する情報出力処理を行う（Ｓ２９）。
【０１６３】
また、ＣＰＵ５６は、第１始動口スイッチ１４ａ、第２始動口スイッチ１４ｂ及びカウントスイッチ２３の検出信号にもとづく賞球個数の設定などを行う賞球処理を実行する（Ｓ３０）。具体的には、第１始動口スイッチ１４ａ、第２始動口スイッチ１４ｂ及びカウントスイッチ２３のいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０１６４】
この実施例では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１６５】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う（Ｓ３２）。ＣＰＵ５６は、例えば、特別図柄プロセス処理でセットされる開始フラグがセットされると終了フラグがセットされるまで、変動速度が１コマ／０．２秒であれば、０．２秒が経過する毎に、出力バッファに設定される表示制御データの値を＋１する。また、ＣＰＵ５６は、出力バッファに設定された表示制御データに応じて、Ｓ２２において駆動信号を出力することによって、第１特別図柄表示器８ａ及び第２特別図柄表示器８ｂにおける第１特別図柄及び第２特別図柄の変動表示を実行する。
【０１６６】
更に、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（Ｓ３３）。ＣＰＵ５６は、例えば、普通図柄の変動に関する開始フラグがセットされると終了フラグがセットされるまで、普通図柄の変動速度が０．２秒ごとに表示状態（「○」及び「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、Ｓ２２において駆動信号を出力することによって、普通図柄表示器１０における普通図柄の演出表示を実行する。
【０１６７】
その後、割込許可状態に設定し（Ｓ３４）、処理を終了する。
【０１６８】
以上の制御によって、この実施例では、遊技制御処理は２ｍｓ毎に起動されることになる。尚、遊技制御処理は、タイマ割込処理におけるＳ２１〜Ｓ３３（Ｓ２９を除く。）の処理に相当する。また、この実施例では、タイマ割込処理で遊技制御処理が実行されているが、タイマ割込処理では例えば割込が発生したことを示すフラグのセットのみがなされ、遊技制御処理はメイン処理において実行されるようにしてもよい。
【０１６９】
第１特別図柄表示器８ａまたは第２特別図柄表示器８ｂ及び演出表示装置９にハズレ図柄が停止表示される場合には、演出図柄の変動表示が開始されてから、演出図柄の変動表示状態がリーチ状態にならずに、リーチにならない所定の演出図柄の組合せが停止表示されることがある。このような演出図柄の変動表示態様を、変動表示結果がハズレ図柄になる場合における「非リーチ」（「通常ハズレ」ともいう）の変動表示態様という。
【０１７０】
第１特別図柄表示器８ａまたは第２特別図柄表示器８ｂ及び演出表示装置９にハズレ図柄が停止表示される場合には、演出図柄の変動表示が開始されてから、演出図柄の変動表示状態がリーチ状態となった後にリーチ演出が実行され、最終的に大当り図柄とはならない所定の演出図柄の組合せが停止表示されることがある。このような演出図柄の変動表示結果を、変動表示結果が「ハズレ」となる場合における「リーチ」（「リーチハズレ」ともいう）の変動表示態様という。
【０１７１】
この実施例では、第１特別図柄表示器８ａまたは第２特別図柄表示器８ｂに大当り図柄が停止表示される場合には、演出図柄の変動表示状態がリーチ状態になった後にリーチ演出が実行され、最終的に演出表示装置９における「左」、「中」、「右」の各図柄表示エリア９Ｌ、９Ｃ、９Ｒに、演出図柄が揃って停止表示される。
【０１７２】
第１特別図柄表示器８ａまたは第２特別図柄表示器８ｂに小当りである所定の図柄（小当りの種別に対応する所定記号）が停止表示される場合には、演出表示装置９において、演出図柄の変動表示態様が「確変大当り（突確）」である場合と同様に演出図柄の変動表示が行われた後、所定の小当り図柄（確変大当り（突確）図柄と同じ図柄。例えば「３５５」等）が停止表示されることがある。第１特別図柄表示器８ａまたは第２特別図柄表示器８ｂに小当り図柄である所定の図柄（記号）が停止表示されることに対応する演出表示装置９における表示演出を「小当り」の変動表示態様という。
【０１７３】
図１３及び図１４は、主基板３１に搭載される遊技制御用マイクロコンピュータ１５６（具体的には、ＣＰＵ５６）が実行する特別図柄プロセス処理（Ｓ２６）のプログラムの一例を示すフローチャートである。上述したように、特別図柄プロセス処理では第１特別図柄表示器８ａまたは第２特別図柄表示器８ｂ及び大入賞口を制御するための処理が実行される。特別図柄プロセス処理において、ＣＰＵ５６は、第１始動口１５ａに遊技球が入賞したことを検出するための第１始動口スイッチ１４ａがオンしていたら、すなわち、第１始動口１５ａへの始動入賞が発生していたら、該始動入賞に対応する変動表示において、大当りとなるかやスーパーリーチとなるか等を判定し、該判定結果を含む始動入賞時判定結果指定コマンドを送信する第１始動口スイッチ通過処理を実行する（Ｓ３１１，Ｓ３１２）。また、ＣＰＵ５６は、第２始動口１５ｂに遊技球が入賞したことを検出するための第２始動口スイッチ１４ｂがオンしていたら、すなわち第２始動口１５ｂへの始動入賞が発生していたら、大当りとなるかやスーパーリーチとなるか等を判定し、該判定結果を含む始動入賞時判定結果指定コマンドを送信する第２始動口スイッチ通過処理を実行する（Ｓ３１３，Ｓ３１４）。そして、Ｓ３００〜Ｓ３１０のうちのいずれかの処理を行う。第１始動口スイッチ１３ａまたは第２始動口スイッチ１４ｂがオンしていなければ、内部状態に応じて、Ｓ３００〜Ｓ３１０のうちのいずれかの処理を行う。
【０１７４】
Ｓ３００〜Ｓ３１０の処理は、以下のような処理である。
【０１７５】
特別図柄通常処理（Ｓ３００）：特別図柄プロセスフラグの値が０であるときに実行される。遊技制御用マイクロコンピュータ１５６は、特別図柄の変動表示が開始できる状態になると、保留記憶数バッファに記憶される数値データの記憶数（合算保留記憶数）を確認する。保留記憶数バッファに記憶される数値データの記憶数は合算保留記憶数カウンタのカウント値により確認できる。また、合算保留記憶数カウンタのカウント値が０でなければ、第１特別図柄または第２特別図柄の変動表示の表示結果を大当りとするか否かを決定する。大当りとする場合には大当りフラグをセットする。そして、内部状態（特別図柄プロセスフラグ）をＳ３０１に応じた値（この例では１）に更新する。尚、大当りフラグは、大当り遊技が終了するときにリセットされる。
【０１７６】
変動パターン設定処理（Ｓ３０１）：特別図柄プロセスフラグの値が１であるときに実行される。また、変動パターンを決定し、その変動パターンにおける変動時間（可変表示時間：変動表示を開始してから表示結果を導出表示（停止表示）するまでの時間）を特別図柄の変動表示の変動時間とすることに決定する。また、特別図柄の変動時間を計測する変動時間タイマをスタートさせる。そして、演出制御用マイクロコンピュータ８１に対して各種演出制御コマンドを送信するための送信設定を行うとともに、内部状態（特別図柄プロセスフラグ）をＳ３０２に対応した値（この例では２）に更新する。
【０１７７】
表示結果指定コマンド送信処理（Ｓ３０２）：特別図柄プロセスフラグの値が２であるときに実行される。演出制御用マイクロコンピュータ８１に、表示結果指定コマンドを送信する制御を行う。そして、内部状態（特別図柄プロセスフラグ）をＳ３０３に対応した値（この例では３）に更新する。
【０１７８】
特別図柄変動中処理（Ｓ３０３）：特別図柄プロセスフラグの値が３であるときに実行される。変動パターン設定処理で選択された変動パターンの変動時間が経過（Ｓ３０１でセットされる変動時間タイマがタイムアウトすなわち変動時間タイマの値が０になる）すると、内部状態（特別図柄プロセスフラグ）をＳ３０４に対応した値（この例では４）に更新する。
【０１７９】
特別図柄停止処理（Ｓ３０４）：特別図柄プロセスフラグの値が４であるときに実行される。第１特別図柄表示器８ａまたは第２特別図柄表示器８ｂにおける変動表示を停止して停止図柄を導出表示させる。また、演出制御用マイクロコンピュータ８１に、図柄確定指定コマンドを送信する制御を行う。そして、大当りフラグがセットされている場合には、内部状態（特別図柄プロセスフラグ）をＳ３０５に対応した値（この例では５）に更新する。また、小当りフラグがセットされている場合には、内部状態（特別図柄プロセスフラグ）をＳ３０８に対応した値（この例では８）に更新する。大当りフラグ及び小当りフラグのいずれもセットされていない場合には、内部状態（特別図柄プロセスフラグ）をＳ３００に対応した値（この例では０）に更新する。尚、演出制御用マイクロコンピュータ８１は、遊技制御用マイクロコンピュータ１５６が送信する図柄確定指定コマンドを受信すると演出表示装置９において演出図柄が停止されるように制御する。
【０１８０】
大入賞口開放前処理（Ｓ３０５）：特別図柄プロセスフラグの値が５であるときに実行される。大入賞口開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をＳ３０６に対応した値（この例では６）に更新する。尚、大入賞口開放前処理は各ラウンド毎に実行されるが、第１ラウンドを開始する場合には、大入賞口開放前処理は大当り遊技を開始する処理でもある。
【０１８１】
大入賞口開放中処理（Ｓ３０６）：特別図柄プロセスフラグの値が６であるときに実行される。大当り遊技状態中のラウンド表示の演出制御コマンドを演出制御用マイクロコンピュータ８１に送信する制御や大入賞口の閉成条件の成立を確認する処理等を行う。大入賞口の閉成条件が成立し、かつ、まだ残りラウンドがある場合には、内部状態（特別図柄プロセスフラグ）をＳ３０５に対応した値（この例では５）に更新する。また、全てのラウンドを終えた場合には、内部状態（特別図柄プロセスフラグ）をＳ３０７に対応した値（この例では７）に更新する。
【０１８２】
大当り終了処理（Ｓ３０７）：特別図柄プロセスフラグの値が７であるときに実行される。大当り遊技状態が終了したことを遊技者に報知する表示制御を演出制御用マイクロコンピュータ８１に行わせるための制御を行う。また、遊技状態を示すフラグ（例えば、確変フラグや時短フラグ）をセットする処理を行う。そして、内部状態（特別図柄プロセスフラグ）をＳ３００に対応した値（この例では０）に更新する。
【０１８３】
小当り開放前処理（Ｓ３０８）：特別図柄プロセスフラグの値が８であるときに実行される。小当り開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をＳ３０９に対応した値（この例では９）に更新する。
【０１８４】
小当り開放中処理（Ｓ３０９）：特別図柄プロセスフラグの値が９であるときに実行される。大入賞口の閉成タイミングであるか、或いは、大入賞口の再開放タイミングであるかを確認する処理を行うことで、所定の開閉パターン（突確大当りのときの開閉パターンと同一開閉パターン）により、大入賞口の開閉制御を行う。最終の閉成タイミングとなった場合には、内部状態（特別図柄プロセスフラグ）をＳ３１０に対応した値（この例では１０（１０進数））に更新する。
【０１８５】
小当り終了処理（Ｓ３１０）：特別図柄プロセスフラグの値が１０であるときに実行される。小当り遊技状態が終了したことを遊技者に報知する表示制御を演出制御用マイクロコンピュータ８１に行わせるための制御を行う。そして、内部状態（特別図柄プロセスフラグ）をＳ３００に対応した値（この例では０）に更新する。
【０１８６】
次に、演出制御手段である演出制御基板８０の動作を説明する。図１５は、演出制御基板８０に搭載されている演出制御用マイクロコンピュータ８１（具体的には、ＣＰＵ８６）が実行するサブＣＰＵメイン処理を示すフローチャートである。
【０１８７】
サブＣＰＵメイン処理において、ＣＰＵ８６は、まず、割込禁止に設定する（Ｓｓ１）。次に、マスク可能割込の割込モードを設定し（Ｓｓ２）、スタックポインタにスタックポインタ指定アドレスを設定する（Ｓｓ３）。尚、Ｓｓ２では、演出制御用マイクロコンピュータ８１の特定レジスタ（Ｉレジスタ）の値（１バイト）と内蔵デバイスが出力する割込ベクタ（１バイト：最下位ビット０）から合成されるアドレスが、割込番地を示すモードに設定する。また、マスク可能な割込が発生すると、ＣＰＵ８６は、自動的に割込禁止状態に設定するとともに、プログラムカウンタの内容をスタックにセーブする。
【０１８８】
次いで、内蔵デバイスレジスタの設定（初期化）を行う（Ｓｓ４）。Ｓｓ４の処理によって、内蔵デバイス（内蔵周辺回路）であるＣＴＣ（カウンタ／タイマ）及びＰＩＯ（パラレル入出力ポート）の設定（初期化）がなされる。
【０１８９】
この実施例で用いられる演出制御用マイクロコンピュータ８１は、Ｉ／Ｏポート（ＰＩＯ）及びタイマ／カウンタ回路（ＣＴＣ）（いずれも図示せず）も内蔵している。
【０１９０】
次いで、ＣＰＵ８６は、ＲＡＭ８５をアクセス可能状態に設定し（Ｓｓ５）、バックアップ処理として、後述する電源断検出処理（図１７参照）におけるＳｄ２及びＳｄ３の処理が実行されているか否かを、所定のバックアップ領域にチェックデータが格納されているか否かに基づいて判定する（Ｓｓ７）。
【０１９１】
バックアップ処理が実行されていない場合（チェックデータが格納されていない場合）は（Ｓｓ７；Ｎｏ）、Ｓｓ１１に進み、バックアップ処理が実行されている場合（チェックデータが格納されている場合）は（Ｓｓ７；Ｙｅｓ）、ＲＡＭ８５の所定領域に設けられたバックアップデータ記憶領域のデータチェック（この例ではパリティチェック）を行う（Ｓｓ８−）。この実施例では、クリアデータ（００）をチェックサムデータエリアにセットし、チェックサム算出開始アドレスをポインタにセットする。また、チェックサムの対象になるデータ数に対応するチェックサム算出回数をセットする。そして、チェックサムデータエリアの内容とポインタが指すＲＡＭ領域の内容との排他的論理和を演算する。演算結果をチェックサムデータエリアにストアするとともに、ポインタの値を１増やし、チェックサム算出回数の値を１減算する。以上の処理が、チェックサム算出回数の値が０になるまで繰り返される。チェックサム算出回数の値が０になったら、ＣＰＵ８６は、チェックサムデータエリアの内容の各ビットの値を反転し、反転後のデータをチェックサムにする。
【０１９２】
後述する電源断検出処理において、前述の処理と同様の処理によってチェックサムが算出され、チェックサムはチェックデータとしてバックアップデータ記憶領域に保存される。Ｓｓ８では、算出したチェックサムと、チェックデータとして保存されているチェックサムとを比較する。不測の停電等の電力供給停止が生じた後に復旧した場合には、バックアップデータ記憶領域のデータは保存されているはずであるから、チェック結果（比較結果）は正常（一致）になる。チェック結果が正常でないということは、バックアップデータ記憶領域のデータが、電力供給停止時のデータとは異なっている可能性があることを意味する。そのような場合には、バックアップデータ記憶領域に誤ったバックアップデータが記憶されていることになるので、電力供給の停止からの復旧時でない電源投入時に実行される後述する初期化処理（Ｓｓ１１〜Ｓｓ１２の処理）を実行する。
【０１９３】
チェック結果が正常であれば（Ｓｓ８；Ｙｅｓ）、ＣＰＵ８６は、演出制御基板８０を電力供給停止時の状態に戻すための復旧処理を行う。具体的には、ＲＡＭ８５のバックアップデータ記憶領域に格納されているバックアップデータにより、遊技者が遊技中に設定した装飾ＬＥＤ２５ａ、左枠ＬＥＤ２８ｂ、右枠ＬＥＤ２８ｃ、天ランプモジュール５３０、バックライト９ｄ内の各ＬＥＤ等の光量及びスピーカ２７Ｌ，２７Ｒ，２７ａ，２７ｂから発せられる音量等の設定データを復旧し（Ｓｓ９）、ＲＡＭ８５のバックアップデータ記憶領域に格納されているバックアップデータをクリアする（Ｓｓ１０）。そして、Ｓｓ１４の処理に移行する。
【０１９４】
尚、本実施例では、演出制御基板８０の復旧処理において遊技者が遊技中に設定した光量及び音量等の設定データを復旧した後、バックアップデータをクリアしているが、本発明はこれに限定されるものではなく、遊技者が遊技中に設定した光量及び音量等の設定データを復旧した後もバックアップデータは保持したままであっても良いし、これらバックアップデータは、ＳＲＡＭに記憶されることで消えないものであっても良い。また、本実施例におけるバックアップデータとは、前述の遊技者が遊技中に設定した光量及び音量等の設定データの他、電源断検出処理が実行された時点での所定個数（例えば５０個）の演出制御コマンドの受信履歴、保留記憶数、パチンコ遊技機１の電源が投入されている累計時間、遊技球の総発射数、パチンコ遊技機１におけるベースや大当り当選確率等の遊技データ、総出玉数等を含んでいる。
【０１９５】
初期化処理では、ＣＰＵ８６は、ＲＡＭクリア処理を行う（Ｓｓ１１）。そして、装飾ＬＥＤ２５ａ、ステージ装飾ＬＥＤ２５ｂ、左枠ＬＥＤ２８ｂ、右枠ＬＥＤ２８ｃ、天ランプモジュール５３０、バックライト９ｄ等におけるＬＥＤの光量及びスピーカ２７Ｌ，２７Ｒ，２７ａ，２７ｂから発せられる音量等の設定データを初期化する（Ｓｓ１２）。Ｓｓ１０またはＳｓ１２の処理の実行後、ＣＰＵ８６は、演出図柄の変動表示中に実行される演出の決定等に使用するために演出制御基板８０に搭載されている乱数回路（図示せず）を初期設定する乱数回路設定処理を実行する（Ｓｓ１４）。
【０１９６】
そして、ＣＰＵ８６は、音声処理ＩＣ１７３とＶＤＰ２６２の初期化処理を開始し（Ｓｓ１５）、音声処理ＩＣ１７３及びＶＤＰ２６２の初期化処理が完了したか否かを判定する（Ｓｓ１７）。これらの初期化の完了判断は、例えば、初期化が完了して動作可能状態に移行したことを示す所定の信号が音声処理ＩＣ１７３やＶＤＰ２６２から出力されてきたか否かにより判定すれば良い。音声処理ＩＣ１７３及びＶＤＰ２６２の初期化処理が完了していない場合は（Ｓｓ１７；Ｎｏ）、Ｓｓ１７の処理を音声処理ＩＣ１７３及びＶＤＰ２６２の初期化処理の完了まで巡回実施し、音声処理ＩＣ１７３及びＶＤＰ２６２の初期化処理が完了した場合は（Ｓｓ１７；Ｙｅｓ）、音声処理ＩＣ１７３の初期化完了報知を、スピーカ２７Ｌ，２７Ｒ，２７ａ，２７ｂから所定音量の報知音を出力することで開始する（Ｓｓ１７ａ）。この所定音量としては、例えば、音量初期値及び遊技者が設定可能な音量における最大音量としての『１４』が設定されている。尚、本実施例では、音声処理ＩＣ１７３の初期化完了報知をスピーカ２７Ｌ，２７Ｒ，２７ａ，２７ｂから所定音量の報知音を出力するのみで行っているが、本発明はこれに限定されず、音声処理ＩＣ１７３の初期化完了報知は、スピーカ２７Ｌ，２７Ｒ，２７ａ，２７ｂから、例えば最大音量『１４』による報知音の出力とともに、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの『１００％』の光量の発光により行うようにしても良い。そして、該初期化完了報知の報知期間が終了したか否かを判定する（Ｓｓ１７ｂ）。尚、本実施例における初期完了報知の報知期間は１０秒に設定されている。初期化完了報知の報知期間が終了していない場合は（Ｓｓ１７ｂ）、Ｓｓ１７ｂの処理を初期化完了報知期間が終了するまで巡回実施する。
【０１９７】
尚、本実施例では、前述したように、初期化処理において初期化完了報知を実行する形態を例示しているが、本発明はこれに限定されるものではなく、これら初期化完了報知を、サブＣＰＵタイマ割込処理やループ処理において実行することで、これら音声処理ＩＣ１７３及びＶＤＰ２６２の初期化の期間中においてＣＰＵ８６が、タイマ割込によって、初期化以外の処理を実行できるようにしても良い。
【０１９８】
また、この実施例では、音声処理ＩＣ１７３及びＶＤＰ２６２の初期化を同時に実行する形態を例示しているが、本発明はこれに限定されるものではなく、音声処理ＩＣ１７３の初期化とＶＤＰ２６２の初期化と初期化の完了判断とを個別に実施するとともに、各初期化の報知音のパターンを異なるようにして、音声処理ＩＣ１７３の初期化とＶＤＰ２６２のいずれの初期化が完了したのかをスピーカ２７Ｌ，２７Ｒ，２７ａ，２７ｂからの所定音量の報知音にて報知するようにしても良い。
【０１９９】
また、本実施例では、音声処理ＩＣ１７３及びＶＤＰ２６２の初期化の完了報知を所定音量の報知音にて報知しているが、本発明はこれに限定されず、所定音量の報知音における報知は、音声処理ＩＣ１７３及びＶＤＰ２６２の初期化中や、該初期化におけるエラー発生時等に実行するようにしても良い。
【０２００】
また、本実施例において初期化完了報知を行う際に、導光板ユニット１１の表示用ＬＥＤ６２ａ，６２ｂを点灯させて、導光板ユニット１１が正常に作動することを確認できるようにしても良い。その場合には、前方導光板表示用ＬＥＤ６２ａの点灯と後方導光板表示用ＬＥＤ６２ｂの点灯とを交互に行うようにして、前方導光板表示用ＬＥＤ６２ａのみを点灯したときには、前方導光板１１ａの視認困難用画像が後方導光板１１ｂの遊技状態示唆用画像の視認を困難にすることが正常に行えることを確認できるようにし、後方導光板表示用ＬＥＤ６２ｂのみを点灯したときには、後方導光板１１ｂの遊技状態示唆用画像の視認が正常に行えることを確認できるようにすることが望ましい。
【０２０１】
また、ホール（遊技場）側の店員等が操作ボタン５１６等を操作することに応じて、前方導光板表示用ＬＥＤ６２ａのみを点灯したり、後方導光板表示用ＬＥＤ６２ｂのみを点灯したりすることができるようにしても良い。その場合には、操作ボタン５１６等を操作する度に、前方導光板表示用ＬＥＤ６２ａの点灯と後方導光板表示用ＬＥＤ６２ｂの点灯とが交互に行われるようにし、前方導光板１１ａの視認困難用画像が後方導光板１１ｂの遊技状態示唆用画像の視認を困難にすることが正常に行えること、及び、後方導光板１１ｂの遊技状態示唆用画像の視認が正常に行えることを確認できるようにしても良い。
【０２０２】
初期化完了報知の報知期間が終了した場合は（Ｓｓ１７ｂ；Ｙｅｓ）、遊技者が設定した音量及び光量の遊技者設定値が存在するか否かを判定する（Ｓｓ１８）。遊技者設定値が存在する場合は（Ｓｓ１８；Ｙｅｓ）、音量及び光量を該遊技者設定値に設定し（Ｓｓ１９ａ）、遊技者設定値が存在しない場合は（Ｓｓ１８；Ｎｏ）、ＣＰＵ８６が設定切替スイッチ３００にセットされているチャンネルを判定することで、パチンコ遊技機１の音量及び光量に、ホール設定値として該チャンネルに対応する音量の初期値及び光量の初期値を設定する（Ｓｓ１９ｂ）。
【０２０３】
これら遊技者設定値やホール設定値が設定されることにより、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量が調整される一方、導光板ユニット１１の光量は調整されることなく、導光板ユニット１１の光量は常に１００％に維持される。
【０２０４】
次いで、ＣＰＵ８６は、所定時間（例えば４ｍｓ）ごとに定期的にタイマ割込がかかるように演出制御用マイクロコンピュータ８１に内蔵されているＣＴＣのレジスタの設定を行うタイマ割込設定処理を実行する（Ｓｓ２０）。すなわち、初期値として例えば４ｍｓに相当する値が所定のレジスタ（時間定数レジスタ）に設定される。この実施例では、４ｍｓごとに定期的にタイマ割込がかかるとする。
【０２０５】
タイマ割込の設定が完了すると、ＣＰＵ８６は、まず、割込禁止状態にして（Ｓｓ２１）、表示用乱数更新処理（Ｓｓ２２）初期値用乱数更新処理（Ｓｓ２３）とを実行して、再び割込許可状態にする（Ｓｓ２４）。すなわち、ＣＰＵ８６は、初期値用乱数更新処理及び表示用乱数更新処理が実行されるときには割込禁止状態にして、初期値用乱数更新処理及び表示用乱数更新処理の実行が終了すると割込許可状態にする。
【０２０６】
尚、表示用乱数更新処理とは、大当り図柄決定用乱数などの乱数を生成するためのカウンタのカウント値を更新する乱数更新処理を実行するであり、初期値用乱数更新処理とは、初期値用乱数を発生するためのカウンタのカウント値を更新する処理である。初期値用乱数とは、例えば、演出図柄の変動中における演出の態様を決定するための判定用乱数を発生するためのカウンタ等のカウント値の初期値を決定するための乱数である。
【０２０７】
本実施例では、Ｓｓ１５において音声処理ＩＣ１７３とＶＤＰ２６２の初期化処理を開始した後、Ｓｓ１７ａにおいて音声処理ＩＣ１７３のみの初期化完了報知を開始するようになっているが、本発明はこれに限定されるものではなくＳｓ１７ａにおいて音声処理ＩＣ１７３とＶＤＰ２６２の初期化完了報知を同時に実行するようにしても良い。尚、Ｓｓ１７ａにおいて音声処理ＩＣ１７３とＶＤＰ２６２の初期化完了報知を同時に実行する場合には、ＶＤＰ２６２の初期化完了報知を発光により実行する報知用ＬＥＤ等のスピーカ２７Ｌ，２７Ｒ，２７ａ，２７ｂのように、音声処理ＩＣ１７３の初期化完了報知を報知音により報知する報知手段とは異なる報知方法を有する報知手段を個別に設け、該報知用ＬＥＤの発光等によってＶＤＰ２６２の初期化完了を遊技者が把握できるようにしても良い。また、音声処理ＩＣ１７３とＶＤＰ２６２の初期化完了報知を個別に実行する場合には、音声処理ＩＣの初期化完了報知とＶＤＰ２６２の初期化完了報知とを異なるタイミングで実行するようにしても良い。
【０２０８】
また、本実施例では、電源断検出処理において音量及び光量の遊技者設定値をバックアップすることで、電源投入時に該遊技者設定値が存在していれば、パチンコ遊技機１の音量及び光量に該遊技者設定値を設定するようになっているが、本発明はこれに限定されず、電源断検出処理においては、音量及び光量の遊技者設定値をバックアップしないようにしても良い。この場合は、電源投入時に設定切替スイッチがセットされているチャンネルをＣＰＵ８６が判定することで、各チャンネルにおける音量の初期値と光量の初期値とをパチンコ遊技機１の音量と光量に設定すれば良い。
【０２０９】
タイマ割込が発生すると、ＣＰＵ８６は、図１６に示すＳｓ３０〜Ｓｓ３９のサブＣＰＵタイマ割込処理を実行する。サブＣＰＵタイマ割込処理において、まず、ＲＡＭ８５の所定領域に記憶されているタイマ割込フラグをクリアし（Ｓｓ３０）、電源断信号が出力されたか否か（オン状態になったか否か）を検出する電源断検出処理を実行する（Ｓｓ３１）。電源断信号は、例えば電源基板に搭載されている電源監視回路が、遊技機に供給される電源の電圧の低下を検出した場合に出力する。そして、電源断検出処理において、ＣＰＵ８６は、電源断信号が出力されたことを検出したら、必要なデータをバックアップデータ記憶領域に保存する。次いで、コマンド解析処理を実行する（Ｓｓ３２）。Ｓｓ３２にて実行されるコマンド解析処理では、例えば主基板３１の遊技制御用マイクロコンピュータ１５６から送信されて演出制御コマンド受信用バッファに格納されている各種の演出制御コマンドを読み出した後に、その読み出された演出制御コマンドに対応した設定や制御などが行われる。
【０２１０】
Ｓｓ３２にてコマンド解析処理を実行した後には、演出制御プロセス処理を実行する（Ｓｓ３３）。Ｓｓ３３の演出制御プロセス処理では、例えば演出表示装置９の表示領域における演出画像の表示動作、スピーカ２７，２７Ｒ,２７ａ,２７ｂからの音声出力動作、装飾ＬＥＤ２５ａ、ステージ装飾ＬＥＤ２５ｂ、左枠ＬＥＤ２８ｂ、右枠ＬＥＤ２８ｃ、天ランプモジュール５３０、バックライト９ｄといった装飾発光体における点灯動作、演出用模型における駆動動作といった、各種の演出装置を用いた演出動作の制御内容について、主基板３１から送信された演出制御コマンド等に応じた判定や決定、設定などが行われる。
【０２１１】
次いで、大当り図柄決定用乱数などの乱数を生成するためのカウンタのカウント値を更新する乱数更新処理を実行する（Ｓｓ３４）その後、演出設定調整処理を実行する（Ｓｓ３７）。Ｓｓ３７の演出設定調整処理では、パチンコ遊技機１における装飾ＬＥＤ２５ａ、ステージ装飾ＬＥＤ２５ｂ、左枠ＬＥＤ２８ｂ、右枠ＬＥＤ２８ｃ、天ランプモジュール５３０、バックライト９ｄ等の装飾発光体の光量及びスピーカ２７Ｌ,２７Ｒ，２７ａ，２７ｂの音量の調整を遊技者の操作により受け付けて設定する。そして、Ｓｓ３７の演出設定調整処理の終了後は、パチンコ遊技機１において遊技が所定時間行われていない（非遊技状態）ことを条件に遊技者によって設定された音量及び光量の設定値を無効化し、音量及び光量をホール設定値に設定する設定無効化処理（Ｓｓ３８）が行われる。その後、割込許可状態に設定し（Ｓｓ３９）、処理を終了する。
【０２１２】
図１７は、図１６に示されたサブＣＰＵタイマ割込処理における電源断検出処理（Ｓｓ３１）を示すフローチャートである。電源断検出処理では、ＣＰＵ８６は、先ず、電源基板（図示略）からの電源電圧が所定値以下に低下したことを示す電源断信号の入力が有るか否かを判定する（Ｓｄ１）。電源断信号の入力が無い場合は（Ｓｄ１；Ｎｏ）、処理を終了し、電源断信号の入力が有る場合は（Ｓｄ１；Ｙｅｓ）、図２７に示す音量及び光量の遊技者設定データを含むバックアップデータを特定し（Ｓｄ２）、該特定したバックアップデータをＲＡＭ８５に設けられたバックアップデータ記憶領域に格納する（Ｓｄ３）。そして、バックアップデータを復旧させるときに用いるチェックデータを前述したように作成し、バックアップデータ記憶領域に格納した後（Ｓｄ４）、パチンコ遊技機１が電断するまでいずれの処理も実行しないループ処理に移行する。
【０２１３】
本実施例では、電力供給の停止から復旧したときに、電源断検出処理においてバックアップした遊技者設定値に対応した値で装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの輝度が自動的に遊技者設定データに基づく遊技者設定値に設定されるので、再度、遊技者が設定する面倒を解消することができる。
【０２１４】
図１８は、図１６に示されたサブＣＰＵタイマ割込処理における演出制御プロセス処理（Ｓｓ３３）を示すフローチャートである。演出制御プロセス処理では、ＣＰＵ８６は、まず、現在の遊技状態に応じて導光板ユニット１１を制御する導光板ユニット制御処理（Ｓ７９９）を実行する。その後、ＣＰＵ８６は、演出制御プロセスフラグの値に応じてＳ８００〜Ｓ８０６のうちのいずれかの処理を行う。各処理において、以下のような処理を実行する。尚、演出制御プロセス処理では、演出表示装置９の表示状態が制御され、演出図柄（飾り図柄）の変動表示が実現されるが、第１特別図柄の変動に同期した演出図柄（飾り図柄）の変動表示に関する制御も、第２特別図柄の変動に同期した演出図柄（飾り図柄）の変動表示に関する制御も、一つの演出制御プロセス処理において実行される。
【０２１５】
変動パターン指定コマンド受信待ち処理（Ｓ８００）：遊技制御用マイクロコンピュータ１５６から変動パターン指定コマンドを受信しているか否か確認する。具体的には、コマンド解析処理でセットされる変動パターン指定コマンド受信フラグがセットされているか否か確認する。変動パターン指定コマンドを受信していれば、演出制御プロセスフラグの値を演出図柄変動開始処理（Ｓ８０１）に対応した値に変更する。
【０２１６】
演出図柄変動開始処理（Ｓ８０１）：演出図柄（飾り図柄）の変動が開始されるように制御する。そして、演出制御プロセスフラグの値を演出図柄変動中処理（Ｓ８０２）に対応した値に更新する。
【０２１７】
演出図柄変動中処理（Ｓ８０２）：変動パターンを構成する各変動状態（変動速度）の切替タイミング等を制御するとともに、変動時間の終了を監視する。そして、変動時間が終了したら、演出制御プロセスフラグの値を演出図柄変動停止処理（Ｓ８０３）に対応した値に更新する。
【０２１８】
演出図柄変動停止処理（Ｓ８０３）：全図柄停止を指示する演出制御コマンド（図柄確定指定コマンド）を受信したことにもとづいて、演出図柄（飾り図柄）の変動を停止し表示結果（停止図柄）を導出表示する制御を行う。そして、演出制御プロセスフラグの値を当り表示処理（Ｓ８０４）または変動パターン指定コマンド受信待ち処理（Ｓ８００）に対応した値に更新する。
【０２１９】
当り表示処理（Ｓ８０４）：変動時間の終了後、演出表示装置９に大当り或いは小当りの発生を報知するための画面を表示する制御を行う。そして、演出制御プロセスフラグの値を当り遊技中処理（Ｓ８０５）に対応した値に更新する。
【０２２０】
当り遊技中処理（Ｓ８０５）：大当り遊技中或いは小当り遊技中の制御を行う。例えば、大入賞口開放中指定コマンドや大入賞口開放後指定コマンドを受信したら、演出表示装置９におけるラウンド数の表示制御等を行う。そして、演出制御プロセスフラグの値を当り終了演出処理（Ｓ８０６）に対応した値に更新する。
【０２２１】
当り終了演出処理（Ｓ８０６）：演出表示装置９において、大当り遊技状態或いは小当り遊技状態が終了したことを遊技者に報知する表示制御を行う。そして、演出制御プロセスフラグの値を変動パターン指定コマンド受信待ち処理（Ｓ８００）に対応した値に更新する。
【０２２２】
図１９は、図１８に示された演出制御プロセス処理における導光板ユニット制御処理（Ｓ７９９）を示すフローチャートである。導光板ユニット制御処理において、ＣＰＵ８６は、まず、現在の遊技状態が確変状態であるか否かを判定する（Ｓ４０１）。本実施例では、主基板３１から送信される遊技状態指定コマンドを演出制御基板８０が受信したことに基づいて、ＣＰＵ８６が現在の遊技状態が確変状態であるか否かを判定する。ここで、現在の遊技状態が確変状態でない場合は、後述するＳ４０６に進む。一方、現在の遊技状態が確変状態である場合は、Ｓ４０２に進む。
【０２２３】
Ｓ４０２においてＣＰＵ８６は、前方導光板表示用ＬＥＤ６２ａが点灯中であるか否かを判定する。ここで、前方導光板表示用ＬＥＤ６２ａが点灯中でない場合は、Ｓ４０４に進む。一方、前方導光板表示用ＬＥＤ６２ａが点灯中である場合は、Ｓ４０３に進んで前方導光板表示用ＬＥＤ６２ａを消灯した後、Ｓ４０４に進む。
【０２２４】
Ｓ４０４においてＣＰＵ８６は、後方導光板表示用ＬＥＤ６２ｂが点灯中であるか否かを判定する。ここで、後方導光板表示用ＬＥＤ６２ｂが点灯中である場合は、当該導光板ユニット制御処理を終了する。一方、後方導光板表示用ＬＥＤ６２ｂが点灯中でない場合は、Ｓ４０５に進んで後方導光板表示用ＬＥＤ６２ｂを点灯した後、当該導光板ユニット制御処理を終了する。
【０２２５】
Ｓ４０２にて前方導光板表示用ＬＥＤ６２ａが点灯中でない場合に進むＳ４０６において、ＣＰＵ８６は、後方導光板表示用ＬＥＤ６２ｂが点灯中であるか否かを判定する。ここで、後方導光板表示用ＬＥＤ６２ｂが点灯中でない場合は、Ｓ４０８に進む。一方、後方導光板表示用ＬＥＤ６２ｂが点灯中である場合は、Ｓ４０７に進んで後方導光板表示用ＬＥＤ６２ｂを消灯した後、Ｓ４０８に進む。
【０２２６】
Ｓ４０８においてＣＰＵ８６は、前方導光板表示用ＬＥＤ６２ａが点灯中であるか否かを判定する。ここで、前方導光板表示用ＬＥＤ６２ａが点灯中である場合は、当該導光板ユニット制御処理を終了する。一方、前方導光板表示用ＬＥＤ６２ａが点灯中でない場合は、Ｓ４０９に進んで前方導光板表示用ＬＥＤ６２ａを点灯した後、当該導光板ユニット制御処理を終了する。
【０２２７】
尚、本実施例では、現在の遊技状態が確変状態であることを条件に、後方導光板表示用ＬＥＤ６２ｂを点灯表示するようにしているため、確変中に大当りに当った場合（大当り中には通常状態になる）に、この大当り中に後方導光板表示用ＬＥＤ６２ｂを消灯してしまう制御となっているが、確変中に当った場合の大当り中であっても、後方導光板表示用ＬＥＤ６２ｂの点灯表示を継続するように制御しても良い。
【０２２８】
図２３（Ａ）は、通常時（非確変状態）において導光板ユニット１１に表示される画像を示す図であり、図２３（Ｂ）は、確変時（確変状態）に導光板ユニット１１に表示される画像を示す図である。
【０２２９】
図２３（Ａ）に示すように、通常時（非確変状態）においては、前方導光板表示用ＬＥＤ６２ａが点灯中（前方導光板１１ａの表示がＯＮ状態）であるとともに、後方導光板表示用ＬＥＤ６２ｂが消灯中（後方導光板１１ｂの表示がＯＦＦ状態）であるため、導光板ユニット１１には、前方導光板１１ａの視認困難用画像（図２２（Ａ））が発光表示される。この前方導光板１１ａの視認困難用画像が発光表示され、この視認困難用画像が遊技者により視認されるため、後方導光板１１ｂの反射部５１１により形成され、「確変モード」などの文字列で構成される画像（遊技状態示唆用画像）が見えてしまうことを防止できる。
【０２３０】
仮に、視認困難用画像の発光表示が無い場合には、後方導光板表示用ＬＥＤ６２ｂが消灯中であっても、その他の光の入射具合によって、後方導光板１１ｂの反射部５１１により構成された「確変モード」などの文字列で構成される画像（遊技状態示唆用画像）が薄っすらと見えてしまう場合がある。その場合には、現在の遊技状態が確変状態でないにも係らず、遊技者が確変状態であると誤認してしまうおそれがある。本実施例では、後方導光板表示用ＬＥＤ６２ｂが消灯中（遊技状態示唆用画像の非表示中）に、前方導光板１１ａの視認困難用画像が発光表示されることで、現在の遊技状態が確変状態でないにも係らず、遊技者が確変状態であると誤認してしまうことを防止している。
【０２３１】
図２３（Ｂ）に示すように、確変時（確変状態）においては、後方導光板表示用ＬＥＤ６２ｂが点灯中（後方導光板１１ｂの表示がＯＮ状態）であるとともに、前方導光板表示用ＬＥＤ６２ａが消灯中（前方導光板１１ａの表示がＯＦＦ状態）であるため、導光板ユニット１１には、遊技状態示唆用画像（図２２（Ｂ））が発光表示される。前方導光板１１ａの視認困難用画像（図２２（Ａ））は発光表示されないので、前方導光板１１ａを透して後方導光板１１ｂの遊技状態示唆用画像を明瞭に視認することができる。
【０２３２】
図２０は、図１８に示された演出制御プロセス処理における演出図柄変動開始処理（Ｓ８０１）を示すフローチャートである。演出図柄変動開始処理において、ＣＰＵ８６は、まず、変動パターンコマンド格納領域から変動パターンコマンドを読み出す（Ｓ８２１）。尚、変動パターンコマンド格納領域には、主基板３１から受信した変動パターンを特定可能な変動パターンコマンドが格納されている。次いで、変動表示結果指定コマンド格納領域に格納されているデータ（すなわち、受信した変動表示結果指定コマンド）に応じて演出図柄の表示結果（停止図柄）を決定する（Ｓ８２２）。この場合、ＣＰＵ８６は、変動表示結果指定コマンドで指定される表示結果に応じた演出図柄の停止図柄を決定し、決定した演出図柄の停止図柄を示すデータを演出図柄表示結果格納領域に格納する。
【０２３３】
尚、この実施例では、受信した表示結果指定コマンドが確変大当りに該当する第３変動表示結果指定コマンドである場合において、ＣＰＵ８６は、例えば、停止図柄として３図柄が奇数図柄で揃った演出図柄の組合せ（大当り図柄）を決定する。受信した表示結果指定コマンドが非確変大当りに該当する第２変動表示結果指定コマンドである場合においては、例えば、停止図柄として３図柄が偶数図柄で揃った演出図柄の組合せ（大当り図柄）を決定する。また、受信した表示結果指定コマンドが突確或いは小当りに該当する第４変動表示結果指定コマンドまたは第５変動表示結果指定コマンドである場合においては、停止図柄として、予めチャンス目として設定されている図柄の複数の組合せ（例えば「１３５」、「３３４」、「７８７」…などの演出図柄の組合せ）の中から決定する。また、受信した変動表示結果指定コマンドが、ハズレに該当する第１変動表示結果指定コマンドである場合には、停止図柄として３図柄が不揃いとなる演出図柄の組合せ（ハズレ図柄）を決定する。尚、演出図柄の組合の中には、ハズレ図柄並びにチャンス目の双方に含まれるものが存在し、小当りの場合とハズレの場合とで同一の停止図柄となる場合が存在する。
【０２３４】
これら停止図柄の決定においては、ＣＰＵ８６は、例えば、停止図柄を決定するための乱数を抽出し、演出図柄の組合せを示すデータと数値とが対応付けられている停止図柄決定テーブルを用いて、演出図柄の停止図柄を決定すれば良い。すなわち、抽出した乱数に一致する数値に対応する演出図柄の組合せを示すデータを選択することによって停止図柄を決定すれば良い。よって、突確と小当りにおいては、同一の停止図柄が決定される場合があり得る。
【０２３５】
そして、Ｓ８２３に進み、予告演出を実施するか否かとともに、実施を決定した予告演出に関する設定を行う予告演出設定処理を実施する。
【０２３６】
そして、Ｓ８２４に進んで、予告演出の実施が決定されているか否か、具体的には、Ｓ８２３の予告演出設定処理において予告演出の実施が決定されることでセットされる予告実行決定フラグがセットされているか否かを判定する。
【０２３７】
予告実行決定フラグがセットされている場合には、Ｓ８２５＋に進んで、予告演出開始待ち時間を特定し、該特定した待ち時間を予告演出開始待ちタイマにセットした後、Ｓ８２５に進む。
【０２３８】
尚、予告演出開始待ちタイマは演出図柄変動中処理（Ｓ８０２）内にて実行される予告演出処理を実行する毎に−１されるようになっており、該予告演出開始待ちタイマがタイマアウトすることでＳ８２３において設定された予告演出が開始されるようになっている。尚、予告実行決定フラグは、予告演出開始待ちタイマがタイマアウトすることでクリアされる。
【０２３９】
一方、予告実行決定フラグがセットされていない場合には、Ｓ８２５＋を経由することなくＳ８２５に進み、変動パターンコマンドに応じた図柄変動制御パターン（プロセステーブル）を選択する。そして、選択したプロセステーブルのプロセスデータ１におけるプロセスタイマをスタートさせる（Ｓ８２６）。
【０２４０】
そしてＣＰＵ８６は、プロセスデータ１の内容（表示制御実行データ１、ランプ制御実行データ１、音制御実行データ１）に従って演出装置（演出用部品としての演出表示装置９、演出用部品としての各種ランプや演出用部品としてのスピーカ２７、操作ボタン５１６や操作レバー６００）の制御を実行する（Ｓ８２７）。例えば、演出表示装置９において変動パターンに応じた画像を表示させるために、ＶＤＰ２６２に指令を出力する。また、左枠ＬＥＤ２８ｂ、右枠ＬＥＤ２８ｃ、並びに天ランプモジュール５３０内の各ＬＥＤに対して制御信号（ランプ制御実行データ）を出力する。また、スピーカ２７からの音声出力を行わせるために、音声出力基板（図示略）に対して制御信号（音番号データ）を出力する。
【０２４１】
尚、この実施例では、ＣＰＵ８６は、変動パターンコマンドに１対１に対応する変動パターンによる演出図柄の変動表示が行われるように制御するが、ＣＰＵ８６は、変動パターンコマンドに対応する複数種類の変動パターンから、使用する変動パターンを選択するようにしてもよい。
【０２４２】
そして、変動時間タイマに、変動パターンコマンドで特定される変動時間に相当する値を設定する（Ｓ８２８）。また、変動制御タイマに所定時間を設定する（Ｓ８２９）。尚、所定時間は例えば３０ｍｓであり、ＣＰＵ８６は、所定時間が経過する毎に左中右の演出図柄の表示状態を示す画像データをＶＲＡＭに書き込み、ＶＤＰがＶＲＡＭに書き込まれた画像データに応じた信号を演出表示装置９に出力し、演出表示装置９が信号に応じた画像を表示することによって演出図柄の変動が実現される。次いで、演出制御プロセスフラグの値を演出図柄変動中処理（Ｓ８０２）に対応した値に更新し（Ｓ８３０）、後述する演出図柄変動停止処理においてセットされる設定無効化タイマをリセットして（Ｓ８３０）、演出図柄変動開始処理を終了する。
【０２４３】
図２１は、演出制御プロセス処理における演出図柄変動停止処理を示すフローチャートである。演出図柄変動停止処理において、ＣＰＵ８６は、先ず、図柄確定コマンド受信フラグがセットされているか否か確認する（Ｓ８６１）。
【０２４４】
図柄確定コマンド受信フラグがセットされていない場合は（Ｓ８６１；Ｎｏ）、演出図柄変動停止処理を終了し、図柄確定コマンド受信フラグがセットされている場合は（Ｓ８６１；Ｙｅｓ）、図柄確定コマンド受信フラグをリセットし（Ｓ８６２）、演出図柄表示結果格納領域に格納されているデータ（停止図柄を示すデータ）に従って停止図柄を導出表示する制御を行う（Ｓ８６３）。
【０２４５】
次いで、ＣＰＵ８６は、大当りとすることに決定されているか否か確認する（Ｓ８６５）。大当りとすることに決定されているか否かは、例えば、変動表示結果指定コマンド格納領域に格納されている変動表示結果指定コマンドによって確認できる。
【０２４６】
大当りとすることに決定されている場合は（Ｓ８６５；Ｙｅｓ）、演出制御プロセスフラグの値を当り表示処理に応じた値に更新し（Ｓ８６６）、大当りとしないことに決定されている場合は（Ｓ８６５；Ｎｏ）、ＣＰＵ８６は、演出制御プロセスフラグの値を変動パターン指定コマンド受信待ち処理に応じた値に更新する。そして、Ｓ８６６またはＳ８６７の実行後、パチンコ遊技機１において演出図柄の変動表示が実行されない期間を監視する設定無効化タイマに所定期間を設定し（Ｓ８６８）、演出図柄変動停止処理を終了する。
【０２４７】
図２４及び図２５は、図１６に示されたサブＣＰＵタイマ割込処理における演出設定調整処理を示すフローチャートである。演出設定調整処理では、ＣＰＵ８６は、先ず、演出図柄プロセスフラグが０であるか否かを判定する（Ｓｈ１）。演出図柄プロセスフラグが０でない場合は（Ｓｈ１；Ｎｏ）、Ｓｈ２０に進み、演出図柄プロセスフラグが０である場合は（Ｓｈ１；Ｙｅｓ）、保留記憶があるか否かを判定する（Ｓｈ２）。保留記憶数の有無は、主基板３１から受信した演出制御コマンドに含まれる第１保留記憶数通知及び第２保留記憶数通知のコマンドを参照すれば良い。保留記憶がある場合は（Ｓｈ２；Ｙｅｓ）、Ｓｈ２０に進み、保留記憶数が無い場合は（Ｓｈ２；Ｎｏ）、コマンド受信バッファに未解析コマンドが有るか否かを判定する（Ｓｈ３）。コマンド受信バッファに未解析コマンドがある場合は（Ｓｈ３；Ｙｅｓ）、Ｓｈ２０に進み、コマンド受信バッファに未解析コマンドが無い場合は（Ｓｈ３；Ｎｏ）、遊技者によって操作ボタン５１６の長押し操作有りか否かを判定する（Ｓｈ４）。つまり、本実施例では、大当り遊技中または小当り遊技中でなく、且つ保留記憶が存在せず演出図柄が変動していない場合に限り遊技者によって操作ボタン５１６の長押し操作有りか否かを判定している。
【０２４８】
操作ボタン５１６の長押し操作が無い場合は（Ｓｈ４；Ｎｏ）、Ｓｈ２０に進み、操作ボタン５１６の長押し操作が有る場合は（Ｓｈ４；Ｙｅｓ）、節電モードであるか否か、つまり、設定切替スイッチ３００のチャンネルが遊技者により音量及び光量の設定を調整不可能なチャンネル３またはチャンネル４に設定されているか否かを判定する（Ｓｈ５）。節電モードである場合は（Ｓｈ５；Ｙｅｓ）、音量・光量の調整が不可能な旨を、演出表示装置９の表示画面に遊技者による表示や、スピーカ２７Ｌ，２７Ｒ，２７ａ，２７ｂによるエラー音の出力等により報知する音量・光量調整不可能報知の実行中であるか否かを判定する（Ｓｈ１１）。音量・光量調整不可能報知の実行中でない場合には、音量・光量調整不可能報知を開始するとともに、音量・光量調整不可能報知の実行期間に対応する値を報知タイマにセットした後（Ｓｈ１２）、演出設定調整処理を終了する。
【０２４９】
一方、音量・光量調整不可能報知の実行中である場合（Ｓｈ１１；Ｙｅｓ）には、Ｓｈ１３に進んで、報知タイマを１減算した後、該マイナス後の報知タイマがタイマアップしたか否かを判定し（Ｓｈ１４）、タイマアップしていない場合（Ｓｈ１４；Ｎｏ）には演出設定調整処理を終了し、タイマアップしている場合（Ｓｈ１４；Ｙｅｓ）には音量・光量調整不可能報知を終了して演出設定調整処理を終了する。
【０２５０】
また、節電モードでない場合は（Ｓｈ５；Ｎｏ）、設定切替スイッチ３００により設定されているチャンネルがチャンネルＢ〜チャンネルＦのいずれかであるか否かを判定する（Ｓｈ６）。設定切替スイッチ３００により設定されているチャンネルがチャンネルＢ〜チャンネルＦのいずれかである場合は（Ｓｈ６；Ｙｅｓ）、演出表示装置９の画面に、音量を『２〜１４』の範囲で調整可能且つ、光量を『１００％』、『７５％』、『５０％』のから調整可能な設定調整画面を表示し（図２５参照）（Ｓｈ７）、Ｓｈ１１に進む。
【０２５１】
設定切替スイッチ３００により設定されているチャンネルがチャンネルＢ〜チャンネルＦのいずれでもない場合は（Ｓｈ６；Ｎｏ）、設定切替スイッチ３００により設定されているチャンネルがチャンネル５〜チャンネルＡのいずれかであるか否かを判定する（Ｓｈ８）。設定切替スイッチ３００により設定されているチャンネルがチャンネル５〜チャンネルＡのいずれかである場合は（Ｓｈ８；Ｙｅｓ）演出表示装置９の画面に、音量を『２〜９』の範囲で調整可能且つ、光量を『１００％』、『６５％』、『３０％』のから調整可能な設定調整画面を表示し（Ｓｈ９）、Ｓｈ１１に進む。
【０２５２】
設定切替スイッチ３００により設定されているチャンネルがチャンネル５〜チャンネルＡのいずれでもない場合は（Ｓｈ８；Ｎｏ）演出表示装置９の画面に、音量を『０〜１』の範囲で調整可能且つ、光量を『１００％』、『６５％』、『３０％』のから調整可能な設定調整画面を表示し（Ｓｈ１０）、Ｓｈ１１に進む。
【０２５３】
尚、これらＳｈ７、Ｓｈ９及びＳｈ１０における設定調整画面では、具体的には、図２８に示すように、スピーカ２７Ｌ，２７Ｒ，２７ａ，２７ｂの音量を各ステップにおいて定められた範囲で操作レバー６００によって選択可能なダイアログと、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量を各ステップにおいて定められた範囲で操作レバー６００によって選択可能なダイアログとが表示されている。遊技者は、操作レバー６００を前後に傾動させることで両ダイアログの内から１のダイアログを選択可能となっているとともに、操作レバー６００を左右に傾動させることで、選択したダイアログにおける音量または光量を変更可能となっている。そして、遊技者は、最後に操作ボタン５１６を操作することで、スピーカ２７Ｌ，２７Ｒ，２７ａ，２７ｂの音量及び装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量の設定操作を実行することで、該設定操作における音量及び光量を遊技者設定値として設定可能となっている。つまり、遊技者は、操作レバー６００を上下に傾動させることで、音量と光量とから変更を所望する設定を選択し、該選択の後に操作レバー６００の左右への傾動と操作ボタン５１６の操作により、音量と光量とを独立して設定することが可能となっている。
【０２５４】
本実施例では、音量の調整部と光量の調整部とを有する図２８の設定調整画面が表示されるため、遊技者は、所望の音量と輝度とを個別に設定することが可能となるので、音量と輝度とを個別に設定できないことによってパチンコ遊技機１の興趣が低下してしまうことを回避できる。
【０２５５】
また、パチンコ遊技機１の設置状況や遊技場の営業状況に応じて遊技者による設定調整画面からの音量と輝度とを設定することを規制したい場合に、設定切替スイッチ３００においてチャンネルを「３」または「４」に設定する操作を行うことで、遊技者による設定調整画面からの音量と輝度との設定を制限することができる。
【０２５６】
尚、前述したように、本実施例では導光板ユニット１１から出力される光の光量（輝度）の調整は不可能であるため、Ｓｈ７、Ｓｈ９、Ｓｈ１０で演出表示装置９に表示される設定調整画面において光量の設定操作を実行したとしても導光板ユニット１１から出力される光量、つまり表示用ＬＥＤ６２ａ，６２ｂの光量は変化しない。
【０２５７】
このように、本実施例では、ホール（遊技場）側の店員等が設定切替スイッチ３００を操作することで、音量の初期値と光量の初期値の双方を一度に設定できるので、多くのパチンコ遊技機１の音量の初期値と光量の初期値とを設定する際に設定切替スイッチ３００を操作するのみでパチンコ遊技機１の音量の初期値と光量の初期値とを設定する手間を省くことができる一方で、遊技者は、スピーカ２７Ｌ，２７Ｒ，２７ａ，２７ｂから出力される音量と、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄにて出力される光量とを、所望する音量または光量となるように、操作レバー６００及び操作ボタン５１６の操作により音量及び光量の詳細な設定を行うことが可能となっている。
【０２５８】
Ｓｈ７、Ｓｈ９またはＳｈ１０の処理の実行後、ＣＰＵ８６は、遊技者による操作レバー６００の上下方向の傾動操作により変更する設定として音量が選択された場合に、操作レバー６００の左右方向の傾動操作により変更先の音量が選択された後に操作ボタン５１６の操作が行われたか否かを判定することで、音量の設定操作を受け付ける音量設定操作受付処理を実行し（Ｓｈ１１）、該音量設定操作受付処理において、音量の設定操作が受け付けられたか否かを判定する（Ｓｈ１２）。音量の設定操作が受け付けられていない場合は（Ｓｈ１２；Ｎｏ）、Ｓｈ１５に進み、音量の設定操作が受け付けられている場合は（Ｓｈ１２；Ｙｅｓ）、音量をＳｈ１１の処理で設定した選択数値（設定値）に特定し（Ｓｈ１３）、該特定した選択数値（設定値）を音量の遊技者設定値として更新する（Ｓｈ１４）。
【０２５９】
次いで、Ｓｈ１５において、ＣＰＵ８６は、遊技者による操作レバー６００の上下方向の傾動操作により変更する設定として光量が選択された場合に、操作レバー６００の左右方向の傾動操作により変更先の光量が選択された後に操作ボタン５１６の操作が行われたか否かを判定することで、光量の設定操作を受け付ける光量設定操作受付処理を実行し（Ｓｈ１５）、該光量設定操作受付処理において、光量の設定操作が受け付けられたか否かを判定する（Ｓｈ１６）。光量の設定操作が受け付けられていない場合は（Ｓｈ１６；Ｎｏ）、Ｓｈ１９に進み、光量の設定操作が受け付けられている場合は（Ｓｈ１６；Ｙｅｓ）、光量をＳｈ１５の処理で設定した選択数値（設定値）に特定し（Ｓｈ１７）、該特定した選択数値（設定値）を光量の遊技者設定値として更新する（Ｓｈ１８）。
【０２６０】
Ｓｈ１９において、ＣＰＵ８６は、遊技者の操作レバー６００及び操作ボタン５１６の操作によって設定調整画面に表示されている「メニューに戻る」のメニュー項目が選択入力されることで、音量設定操作受付処理または光量設定操作受付処理を終了することが選択されたか否かを判定する（Ｓｈ１９）。音量設定操作受付処理または光量設定操作受付処理を終了することが選択されていない場合は（Ｓｈ１９；Ｎｏ）、演出設定調整処理を終了し、音量設定操作受付処理または光量設定操作受付処理を終了することが選択された場合は（Ｓｈ１９；Ｙｅｓ）、Ｓｈ２１に進む。
【０２６１】
また、図２４に戻り、Ｓｈ２０において、ＣＰＵ８６は、音量設定操作受付処理または光量設定操作受付処理のいずれかの実行中であるか否かを判定する（Ｓｈ２０）。音量設定操作受付処理及び光量設定操作受付処理が実行中でない場合は（Ｓｈ２０；Ｎｏ）、更に、音量・光量調整不可能報知の実行中であるか否かを判定する（Ｓｈ２２）。そして、音量・光量調整不可能報知の実行中である場合（Ｓｈ２２；Ｙｅｓ）には、Ｓｈ２３に進んで、音量・光量調整不可能報知を終了して演出設定調整処理を終了する。一方、音量・光量調整不可能報知の実行中でない場合（Ｓｈ２２；Ｎｏ）には、演出設定調整処理を終了する。
【０２６２】
また、音量設定操作受付処理または光量設定操作受付処理のいずれかが実行中である場合は（Ｓｈ２０；Ｙｅｓ）、音量設定操作受付処理または光量設定操作受付処理を終了し（Ｓｈ２１）、演出設定調整処理を終了する。
【０２６３】
尚、本実施例の演出設定調整処理においては、設定調整画面において音量や光量を選択済みであっても、決定操作が実行されない状態において遊技球の発射による保留記憶や未解析コマンドが有る状態になったときには、選択済みの音量や光量に設定が更新されることなく演出設定調整処理を終了するようにしているが、本発明はこれに限定されるものではなく、遊技球の発射による保留記憶や未解析コマンドが有る状態になったことによって遊技の開始が特定されたときに、設定調整画面において音量や光量を選択済みである場合には、該選択済みの音量や光量に設定を更新するようにしても良い。
【０２６４】
図２６は、図１６に示されたサブＣＰＵタイマ割込処理における設定無効化処理を示すフローチャートである。設定無効化処理では、ＣＰＵ８６は、先ず、スピーカ２７Ｒ，２７Ｌ，２７ａ，２７ｂからの音出力の音量と装飾ＬＥＤ２５ａ、ステージ装飾ＬＥＤ２５ｂ、左枠ＬＥＤ２８ｂ、右枠ＬＥＤ２８ｃ、天ランプモジュール５３０，バックライト９ｄの光量に遊技者による遊技者設定値が有るか否かを判定する（Ｓｒ１）。遊技者設定値が有るか否かは、図２７に示すように、ＲＡＭ８５の所定領域に遊技者設定値が記憶されているか否かで判定すれば良い。遊技者設定値が無い場合は（Ｓｒ１；Ｎｏ）、設定無効化処理を終了し、遊技者設定値が有る場合は（Ｓｒ１；Ｙｅｓ）、演出制御プロセスフラグを参照し、該演出制御プロセスフラグが変動パターン指定コマンド受信待ち処理に対応した値であるか否かを判定する（Ｓｒ３）。つまり、Ｓｒ３では、大当り遊技中または小当り遊技中ではなく、演出図柄の変動が実行されていない状態であるか否かを判定する。演出制御プロセスフラグが変動パターン指定コマンド受信待ち処理に対応した値でない場合は（Ｓｒ３；Ｎｏ）、設定無効化処理を終了し、演出制御プロセスフラグが変動パターン指定コマンド受信待ち処理に対応した値である場合は（Ｓｒ３；Ｙｅｓ）、設定無効化タイマの値を１減算更新し（Ｓｒ４）、設定無効化タイマの値が０であるか否かを判定する（Ｓｒ５）。
【０２６５】
設定無効化タイマの値が０でない場合は（Ｓｒ５；Ｎｏ）、設定無効化処理を終了し、設定無効化タイマの値が０である場合は（Ｓｒ５；Ｙｅｓ）、図２７に示す遊技設定値として記憶されている音量及び光量をクリアし（Ｓｒ６）、該遊技設定値に替えて、音量及び光量を、設定切替スイッチ３００にて設定されているホール設定値の音量及び光量に設定し（Ｓｒ７）、設定無効化処理を終了する。
【０２６６】
本実施例では、遊技終了後に、店員等が特別な操作をしなくとも遊技者設定値に対応した輝度を非操作時設定であるホール設定値の光量（発光強度）に戻されるので、パチンコ遊技機１の利便性を向上させることができるとともに、新たな遊技者に、その前の遊技者における遊技者設定値が無用に引き継がれてしまい、遊技の興趣が低下してしまうことを防ぐことができる。
【０２６７】
このように、非遊技状態である場合に音量及び光量の遊技者設定値をクリアしてホール設定値の音量及び光量を設定することで、遊技者がパチンコ遊技機１における遊技を終了した後、遊技者や遊技場の店員が特別な操作を行うことなく音量及び光量を初期値に戻すことができるので、パチンコ遊技機１の利便性を向上できる上、次の遊技者がパチンコ遊技機１で遊技を開始したとしても、その前の遊技者における音量及び光量の設定値が引き継がれてしまうことを抑制することができる。
【０２６８】
また、本実施例では、非遊技状態が一定期間継続することで無効化タイマが０となると、遊技者設定値として記憶されている音量及び光量をクリアし、音量及び光量をホール設定値に設定しているが、本発明はこれに限定されず、非遊技状態中に日付が変わった場合は、該非遊技状態が一定期間継続していなくとも、遊技者設定値として記憶されている音量及び光量をクリアし、音量及び光量をホール設定値に設定するようにしても良い。
【０２６９】
以上、本実施例のパチンコ遊技機１にあっては、演出制御用マイクロコンピュータ８１（ＣＰＵ８６）が図１９に示す導光板ユニット制御処理において、現在の遊技状態が確変状態でない場合は、後方導光板表示用ＬＥＤ６２ｂを消灯するとともに、前方導光板表示用ＬＥＤ６２ａを点灯して前方導光板１１ａの視認困難用画像の発光表示を行うことで、導光板ユニット１１を用いた演出、つまり遊技状態示唆用画像を表示して確変状態であることを示唆することを行わないときには、反射部５１１の視認が困難になり、反射部５１１によって構成される遊技状態示唆用画像が遊技者に気づかれ難くなるので、遊技状態示唆用画像を表示して確変状態であることを示唆することを行う際に、この導光板ユニット１１を用いた遊技状態示唆用画像の表示の意外性が低下してしまうことを防止できる。
【０２７０】
また、本実施例によれば、演出制御用マイクロコンピュータ８１（ＣＰＵ８６）が図１９に示す導光板ユニット制御処理のＳ４０９において、前方導光板１１ａを発光表示させる前方導光板表示用ＬＥＤ６２ａを点灯することで、例えば、反射部５１１を視認困難にする隠蔽用のシャッタ等の可動部材を設けて、この可動部材の位置を移動させることにより反射部５１１を視認可能にしたり視認困難にしたりすることと比較して、視認困難にする装置を配置するスペースの省スペース化を図ることができる。
【０２７１】
また、本実施例によれば、演出制御用マイクロコンピュータ８１（ＣＰＵ８６）が図１５に示すサブＣＰＵメイン処理のＳｓ１９ａやＳｓ１９ｂにおいて遊技者設定値やホール設定値が設定されて左枠ＬＥＤ２８ｂや右枠ＬＥＤ２８ｃなどの光量が調整されても、導光板ユニット１１の光量は１００％に維持されることで、前方導光板表示用ＬＥＤ６２ａの光量は調整不能となっていることで、左枠ＬＥＤ２８ｂや右枠ＬＥＤ２８ｃなどの発光強度を操作により調整可能とし、かつ前方導光板表示用ＬＥＤ６２ａの発光強度が調整されてしまうことがないので、後方導光板１１ｂの反射部５１１を視認困難とする前方導光板１１ａを発光表示させる前方導光板表示用ＬＥＤ６２ａの発光強度が低下してしまうことを防ぐことができる。
【０２７２】
また、本実施例によれば、演出制御用マイクロコンピュータ８１（ＣＰＵ８６）が図１５に示すサブＣＰＵメイン処理のＳｓ１９ａやＳｓ１９ｂにおいて遊技者設定値やホール設定値が設定されて左枠ＬＥＤ２８ｂや右枠ＬＥＤ２８ｃなどの光量が調整されても、導光板ユニット１１の光量は１００％に維持されることで、後方導光板表示用ＬＥＤ６２ｂの光量は調整不能となっていることで、左枠ＬＥＤ２８ｂや右枠ＬＥＤ２８ｃなどの発光強度を操作により調整可能とし、かつ前方導光板表示用ＬＥＤ６２ａの発光強度が調整されてしまうことがないので、後方導光板１１ｂの内部に光を入射させるために用いる後方導光板表示用ＬＥＤ６２ｂの発光強度が低下してしまうことを防ぐことができる。
【０２７３】
尚、本実施例の導光板ユニット１１では、前方導光板１１ａの視認困難用画像が発光表示されることで、後方導光板１１ｂの遊技状態示唆用画像の視認を困難にしているが、本発明はこれに限定されるものではなく、例えば、光を後面側から前面側に透過可能な透過型の液晶パネルを、後方導光板１１ｂの前方に設けるようにして、この液晶パネルの透過率を適宜変更することで、後方導光板１１ｂの遊技状態示唆用画像の視認を可能にしたり困難にしたりしても良い。
【０２７４】
尚、本実施例の導光板ユニット１１では、前方導光板１１ａの視認困難用画像が発光表示されることで、後方導光板１１ｂの遊技状態示唆用画像の視認を困難にしているが、本発明はこれに限定されるものではなく、視認困難にする隠蔽用のシャッタ等の可動部材を設けて遊技状態示唆用画像の視認を困難にしても良い。例えば、前方導光板１１ａを設けずに、後方導光板１１ｂのみで導光板ユニット１１を構成し、この後方導光板１１ｂの前面側を覆う隠蔽位置と、後方導光板１１ｂの前面側を覆わない退避位置との間で移動可能なシャッタ部材を設けるようにしても良い。そして、通常時（非確変状態）においては、シャッタ部材を隠蔽位置に移動させて、後方導光板１１ｂの遊技状態示唆用画像の視認を困難にするとともに、確変時（確変状態）においては、シャッタ部材を退避位置に移動させて、後方導光板１１ｂに発光表示される遊技状態示唆用画像の視認を可能な状態にする。
【０２７５】
尚、本実施例の導光板ユニット１１では、前方導光板１１ａの視認困難用画像が発光表示されることで視認困難にする対象の画像として、後方導光板１１ｂに描画された画像が用いられ、この後方導光板１１ｂの画像として、現在の遊技状態を示唆する遊技状態示唆用画像が用いられており、確変状態であることを遊技者に示唆するようになっているが、本発明はこれに限定されるものではなく、視認困難にする対象の画像は、その他の遊技状態、例えば、非確変状態であることを示唆する画像であっても良いし、特別可変入賞球装置２０が開放されているラウンド状態であることを示唆する画像であっても良いし、大当り状態であることを示唆する画像であっても良いし、変動表示結果を予告する予告演出用の画像であっても良い。
【０２７６】
尚、本実施例では、導光板ユニット１１が、遊技状態示唆用画像が描画された後方導光板１１ｂと、これを視認困難にする視認困難用画像が描画された前方導光板１１ａとの２枚の導光板により構成されているが、本発明はこれに限定されるものではなく、導光板ユニット１１を３枚や４枚やそれ以上の枚数の導光板により構成しても良い。例えば、それぞれに現在の遊技状態を示唆する画像が描画された複数枚の後方導光板が重畳して設けられても良いし、視認困難用画像が描画された複数枚の前方導光板が重畳して設けられても良い。
【０２７７】
尚、本実施例では、前方導光板１１ａに描画されている視認困難用画像として、遊技とは無関係で無意味な画像である格子模様の画像が用いられているが、本発明はこれに限定されるものではなく、視認困難用画像としてその他の画像を用いても良い。例えば、意味のある絵柄等で構成された画像であっても良く、遊技機メーカのロゴマークや機種のテーマに関する画像であっても良いし、演出に関係する画像（例えば、予告演出に登場するキャラクタ等の画像）であっても良い。
【０２７８】
尚、本実施例では、前方導光板１１ａに描画されている視認困難用画像が、前方導光板１１ａの全面に亘って描画されているが、本発明はこれに限定されるものではなく、前方導光板１１ａの少なくとも一部に視認困難用画像が描画されているものであっても良いし、後方導光板１１ｂにおける遊技状態示唆用画像の描画領域に対応する部分にのみ、視認困難用画像が描画されているものであっても良い。
【０２７９】
尚、本実施例では、導光板ユニット１１の制御を演出制御プロセス処理内の導光板ユニット制御処理（図１８のＳ７９９）で行っているが、本発明はこれに限定されるものではなく、その他の処理で行うようにしても良い。例えば、導光板ユニット１１の後方導光板１１ｂに表示される画像（視認困難用画像によって視認困難にする対象としての画像）が、変動表示に関するものや予告演出に関するものである場合は、演出図柄変動中処理（Ｓ８０２）にて、導光板ユニット１１の制御を行うようにしても良い。このようにすれば、変動表示のタイミングと導光板ユニット１１の画像の切り替えタイミングとを同期させることができる。また、導光板ユニット１１の制御を演出制御プロセス処理以外の処理で行うようにしても良い。例えば、図１６に示すサブＣＰＵタイマ割込処理において、演出制御プロセス処理以外に導光板ユニット制御処理を設けて、この導光板ユニット制御処理にて導光板ユニット１１の制御を行うようにしても良い。
【０２８０】
次に、変形例１について図２９から図３２を用いて説明する。前述した実施例では、操作レバー６００及び操作ボタン５１６を操作することで、スピーカ２７Ｌ，２７Ｒ，２７ａ，２７ｂから出力される音量と、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄから出力される光の光量とを遊技者が設定する形態を例示しているが、本発明はこれに限定されるものではなく、前回の遊技において遊技者が設定した音量及び光量の遊技者設定値を、携帯端末９０１を介してパチンコ遊技機１に入力することで、遊技者がパチンコ遊技機１における遊技毎に操作レバー６００及び操作ボタン５１６を操作することにより音量と光量とを設定する手間を省くようにしても良い。
【０２８１】
図２９は、変形例１における遊技システムを示す構成図である。変形例１の遊技システムは、図２９に示すように、遊技場に設置されたパチンコ遊技機１と、インターネットに接続された管理サーバ９００と、遊技者が携行する携帯端末（携帯電話機）９０１と、から構成され、パチンコ遊技機１と管理サーバ９００とは、携帯端末９０１の２次元コード読み取り機能及びインターネットへの接続機能を介してデータのやり取りを行うことが可能となっている。
【０２８２】
また、この遊技システムにおけるパチンコ遊技機１は、大当り遊技中または小当り遊技中ではなく、保留記憶が存在せずに演出図柄の変動が実行されていない非遊技状態において、遊技者によって操作ボタン５１６が操作されることで、図示しないメニュー画面が演出表示装置９の表示画面に表示するようになっている。パチンコ遊技機１は、該メニュー画面において遊技者によって更に操作レバー６００及び操作ボタン５１６が操作されることで、図３０に示すように、今回の遊技における遊技関連情報を２次元コードとして出力するようになっている。尚、遊技関連情報としては、今回の遊技における大当り回数、スーパーリーチ回数、クリアミッション数等の遊技に直接関わる遊技情報の他、遊技者設定値として遊技者が設定したスピーカ２７Ｌ，２７Ｒ，２７ａ，２７ｂから出力される音量の設定値と、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量の設定値と、が含まれている。
【０２８３】
これら２次元コードに含まれる遊技関連情報は、携帯端末９０１の２次元コード読み取り機能により読み取られた後、携帯端末９０１のインターネットへの接続機能により管理サーバ９００に送信され、該管理サーバ９００に記憶される。
【０２８４】
一方、遊技者がパチンコ遊技機１において遊技を開始する際には、遊技者は、携帯端末９０１を用いて管理サーバ９００にアクセスすることで、管理サーバ９００から管理サーバ９００で記憶されている遊技関連情報を含むパスワードを携帯端末９０１にて受信する。
【０２８５】
また、パチンコ遊技機１は、前記メニュー画面が演出表示装置９の表示画面に表示されている状態で、遊技者によって更に操作レバー６００及び操作ボタン５１６が操作されることで、図３１に示すように、遊技者が携帯端末９０１にて受信した遊技関連情報を含むパスワードを入力するためのパスワード入力画面を表示するようになっている。パチンコ遊技機１は、該パスワード入力画面を表示している状態で遊技者が操作レバー６００及び操作ボタン５１６を操作することで、パスワードを受け付ける。
【０２８６】
図３２に示すように、パスワードを受け付けたパチンコ遊技機１は、該受け付けたパスワードを解析することで、大当り回数、スーパーリーチ回数、クリアミッション数、遊技者設定値として遊技者が設定したスピーカ２７Ｌ，２７Ｒ，２７ａ，２７ｂから出力される音量の設定値、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量の設定値等の遊技関連情報を抽出する。そして、大当り回数、スーパーリーチ回数、クリアミッション数等の遊技情報を今回の遊技において加算可能なように所定領域にセットし、遊技者設定値として遊技者が設定したスピーカ２７Ｌ，２７Ｒ，２７ａ，２７ｂから出力される音量の設定値、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量の設定値を遊技情報とは異なる所定領域（遊技者設定データ記憶領域）に格納する。
【０２８７】
そして、パチンコ遊技機１が節電モードであるか否か、つまり、設定切替スイッチ３００のチャンネルが遊技者により音量及び光量の設定を調整不可能なチャンネル３またはチャンネル４に設定されているか否かを判定する。
【０２８８】
パチンコ遊技機１が節電モードである場合は、遊技者設定としてのスピーカ２７Ｌ，２７Ｒ，２７ａ，２７ｂから出力される音量、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄから出力される光の光量をセットせず、節電モードにおける音量の初期値と光量の初期値とでスピーカ２７Ｌ，２７Ｒ，２７ａ，２７ｂからの音量の出力と装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄからの光の出力を行う。
【０２８９】
また、パチンコ遊技機１が節電モードでない場合は、音量の遊技者設定値がホール設定値の調整可能範囲内、つまり、設定切替スイッチ３００のチャンネルが０〜２の場合は、音量が『０』または『１』であるか否か、設定切替スイッチ３００のチャンネルが５〜Ａの場合は、音量が『２』〜『９』の範囲内であるか否か、設定切替スイッチ３００のチャンネルがＢ〜Ｆの場合は、音量が『２』〜『１４』の範囲内であるか否かを判定する。
【０２９０】
音量の遊技者設定値がホール設定値の調整可能範囲内である場合は、パチンコ遊技機１における音量に、遊技者設定値をセットし、音量の遊技者設定値がホール設定値の調整可能範囲外である場合は、パチンコ遊技機１における音量を、遊技者が設定可能な音量の値の中から最も音量の遊技者設定値に近い値をセットする。
【０２９１】
具体的には、設定切替スイッチ３００によって設定されているチャンネルが０〜２のいずれかである場合、音量の遊技者設定値が『０』または『１』であれば、パチンコ遊技機１における音量に該遊技者設定値をセットし、音量の遊技者設定値が『２』〜『１４』のいずれかであれば、パチンコ遊技機１における音量に『１』をセットする。また、設定切替スイッチ３００によって設定されているチャンネルが５〜Ａのいずれかである場合、音量の遊技者設定値が『２』〜『９』のいずれかであれば、パチンコ遊技機１における音量に該遊技者設定値をセットし、音量の遊技者設定値が『１０』〜『１４』のいずれかであれば、パチンコ遊技機１における音量に『９』をセットし、音量の遊技者設定値が『０』または『１』であれば、パチンコ遊技機１における音量に『２』をセットする。また、設定切替スイッチ３００によって設定されているチャンネルがＢ〜Ｆのいずれかである場合、音量の遊技者設定値が『２』〜『１４』のいずれかであれば、パチンコ遊技機１における音量に該遊技者設定値をセットし、音量の遊技者設定値が『０』または『１』であれば、パチンコ遊技機１における音量に『２』をセットする。
【０２９２】
そして、光量の遊技者設定値と、設定切替スイッチ３００によりセットされているチャンネルにおける遊技者が設定可能な光量の値とを比較し、パチンコ遊技機１における光量を、遊技者が設定可能な光量の値の中から最も光量の遊技者設定値に近い値をセットする。
【０２９３】
具体的には、設定切替スイッチ３００によって設定されているチャンネルが０〜２または５〜Ａのいずれかである場合は、光量の遊技者設定値が『１００％』、『６５％』、『３０％』のいずれかであれば、パチンコ遊技機１における光量に該遊技者設定値をセットし、光量の遊技者設定値が『７５％』または『５０％』であれば、パチンコ遊技機１における光量に『６５％』をセットする。また、設定切替スイッチ３００によって設定されているチャンネルがＢ〜Ｆのいずれかである場合は、光量の遊技者設定値が『１００％』であれば、パチンコ遊技機１における光量に該遊技者設定値をセットし、光量の遊技者設定値が『６５％』であれば、パチンコ遊技機１における光量に『７５％』をセットし、光量の遊技者設定値が『３０％』であれば、パチンコ遊技機１における光量に『５０％』をセットする。
【０２９４】
そして遊技者が前記メニュー画面において操作レバー６００及び操作ボタン５１６を操作することで遊技を終了すると、パチンコ遊技機１は、前記所定領域に格納されている大当り回数、スーパーリーチ回数、クリアミッション数等の遊技情報を今回の遊技における遊技情報に更新し、該更新した遊技情報と遊技者設定としてのスピーカ２７Ｌ，２７Ｒ，２７ａ，２７ｂから出力される音量を示す音量データ、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄから出力される光の光量を示す光量データと、を含む遊技関連情報から２次元コードを生成し、図３０に示すように、生成した２次元コードを演出表示装置９の表示画面に表示する。尚、パチンコ遊技機１は、２次元コードを演出表示装置９の表示画面に表示することで、該パチンコ遊技機１に記憶されている遊技者設定値を消去するようにしても良い。
【０２９５】
遊技者は、前述したように、該２次元コードを携帯端末９０１によって読み取った後、２次元コードに含まれている大当り回数、スーパーリーチ回数、クリアミッション数、音量データ、光量データ等の遊技関連情報を携帯端末９０１のインターネットへの接続機能を介して管理サーバ９００に送信する。
【０２９６】
このように、変形例１におけるパチンコ遊技機１にあっては、遊技者が遊技毎に音量及び光量を別途調整する手間を省くことができるとともに、パチンコ遊技機１側で許容されている許容範囲内で、遊技者が所望する音量及び光量に最も近い音量及び光量を自動的に設定することができる。
【０２９７】
尚、該変形例１では、遊技を開始する際に携帯端末９０１を用いて管理サーバ９００にアクセスすることで、管理サーバ９００から管理サーバ９００で記憶されている遊技関連情報を含むパスワードを携帯端末９０１にて受信し、遊技者が該パスワードを演出表示装置９の表示画面に表示されるパスワード入力画面から入力することで、スピーカ２７Ｌ，２７Ｒ，２７ａ，２７ｂから出力される音量、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄから出力される光の光量をパチンコ遊技機１に設定可能としたが、本発明はこれに限定されず、管理サーバ９００に記憶されている音量の音量データ及び光量の光量データは、携帯端末９０１を用いて管理サーバ９００にアクセスすることで、予め遊技者の所望の設定値に設定可能とし、遊技者がパチンコ遊技機１において遊技を行うためにパスワードを管理サーバ９００から受信する際には、予め遊技者の所望の設定値に設定された音量の音量データ及び光量の光量データを含むパスワードが出力され、パチンコ遊技機１において遊技者の所望の設定値の音量及び光量が設定されるようにしても良い。
【０２９８】
次に、変形例２について図３３を用いて説明する。前述した実施例では、ＣＰＵ８６が演出図柄変動開始処理のＳ８２３の処理を実行することで、予告演出の設定を行って予告演出を実行するようになっているが、本発明はこれに限定されるものではなく、例えば、ＲＴＣ２００から取得する時刻情報に基づいて、複数台のパチンコ遊技機１において一斉に実行される一斉演出を実行するようにしても良い。
【０２９９】
尚、このように、一斉演出を実行する場合には、個々のパチンコ遊技機１において光量の調整が遊技者において実施されても、導光板ユニット１１の光量は１００％に維持されるので、導光板ユニット１１を用いて視認困難用画像が表示されている場合には、後方導光板１１ｂの反射部５１１を見えないようにする状態を維持できる。特に、一斉演出の実行中には、他のパチンコ遊技機１の発光が導光板ユニット１１に進入して後方導光板１１ｂの反射部５１１が見えてしまう可能性が高まるので、そのような状態を防止することができる。また、導光板ユニット１１を用いて遊技状態示唆用画像が表示されている場合には、該遊技状態示唆用画像が明瞭に見える状態を維持できる。
【０３００】
図３３は、変形例２での演出制御プロセス処理において実行される特別演出処理を示すフローチャートである。尚、変形例２の演出制御プロセス処理においては、前述した導光板ユニット制御処理（Ｓ７９９）を実行した後に、特別演出処理を実行し、その後、演出制御プロセスフラグに応じてＳ８００〜Ｓ８０６のいずれかの処理を実行するようになっている。
【０３０１】
変形例２の特別演出処理では、ＣＰＵ８６は、先ず、一斉演出が実行中であるか否かを示す一斉演出実行中フラグがセットされているか否かを判定する（Ｓ６０１）。一斉演出実行中フラグがセットされていない場合は（Ｓ６０１；Ｎｏ）、ＲＴＣ２００から現在時刻情報を取得し（Ｓ６０２）、該取得した現在時刻情報が一斉演出の開始時刻を示す時刻情報であるか否かを判定する（Ｓ６０３）。取得した現在時刻情報が一斉演出の開始時刻を示す時刻情報でない場合は（Ｓ６０３；Ｎｏ）、特別演出処理を終了し、取得した現在時刻情報が一斉演出の開始時刻を示す時刻情報である場合は（Ｓ６０３；Ｙｅｓ）、一斉演出実行中フラグをセットする（Ｓ６０４）。
【０３０２】
そして、一斉演出期間タイマに一斉演出期間を示す値を設定するとともに（Ｓ６０６）、一斉演出制御パターンを選択し（Ｓ６０７）、一斉演出プロセスタイマをスタートする。尚、本実施例で選択される一斉演出制御パターンは、各パチンコ遊技機１の演出表示装置９において、予め設定された同一の一斉演出用の特別画像を表示し、かつ装飾用ＬＥＤを同一のタイミングで発光及び点滅させる演出制御パターンである。
【０３０３】
Ｓ６０８の処理の実行後は、ＣＰＵ８６は、一斉演出プロセスデータ１の内容に従って導光板ユニット１１の制御を実行し（Ｓ６０９）、特別演出処理を終了する。
【０３０４】
また、Ｓ６０１の処理において一斉演出実行中フラグがセットされている場合は（Ｓ６０１；Ｙｅｓ）、ＣＰＵ８６は、一斉演出プロセスタイマを−１するとともに（Ｓ６３０）一斉演出期間タイマを−１し（Ｓ６３１）、一斉演出期間タイマがタイマアウトしたか否かを判定する（Ｓ６３２）。一斉演出期間タイマがタイマアウトしている場合は（Ｓ６３２；Ｙｅｓ）、演出表示装置９に表示された一斉演出用の特別画像の表示を消去（終了）し（Ｓ６３３）、一斉演出実行中フラグをクリアして（Ｓ６３４）特別演出処理を終了する。
【０３０５】
Ｓ６３２の処理において一斉演出期間タイマがタイマアウトしていない場合は（Ｓ６３２；Ｎｏ）、ＣＰＵ８６は、一斉演出プロセスタイマがタイマアウトしたか否かを判定する（Ｓ６３５）。一斉演出プロセスタイマがタイマアウトしていない場合は（Ｓ６３５；Ｎｏ）、特別演出処理を終了し、一斉演出プロセスタイマがタイマアウトしている場合は（Ｓ６３５；Ｙｅｓ）、一斉演出プロセスデータを切り替えるとともに（Ｓ６３６）、次の一斉演出プロセスタイマをスタートする（Ｓ６３７）。そして、次の一斉演出プロセスデータの内容に従って導光板ユニット１１の制御を実行して特別演出処理を終了する。
【０３０６】
次に、変形例３について図３４を用いて説明する。前述した実施例では、演出表示装置９に設定調整画面が表示されている状態で遊技者が操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量（輝度）を遊技者設定値として調整可能とする一方で、導光板ユニット１１から出力される光量は調整不可能となっているが、本発明はこれに限定されるものではなく、導光板ユニット１１の光量（表示用ＬＥＤ６２ａ，６２ｂから出力される光量）を、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量とともに操作ボタン５１６及び操作レバー６００を操作することで調整可能としても良い。
【０３０７】
但し、この場合は、変形例３として図３４に示すように、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値が『１００％』である場合は、導光板ユニット１１から出力される光量の遊技者設定値を『１００％』に設定する。
【０３０８】
また、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『７５％』に設定した場合は、導光板ユニット１１から出力される光量の遊技者設定値を『９０％』に設定する。
【０３０９】
また、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『６５％』に設定した場合は、導光板ユニット１１から出力される光量の遊技者設定値を『８０％』に設定する。
【０３１０】
また、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『６５％』に設定した場合は、導光板ユニット１１から出力される光量の遊技者設定値を『８０％』に設定する。
【０３１１】
また、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『５０％』に設定した場合は、導光板ユニット１１から出力される光量の遊技者設定値を『７５％』に設定する。
【０３１２】
また、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『３０％』に設定した場合は、導光板ユニット１１から出力される光量の遊技者設定値を『６０％』に設定する。
【０３１３】
尚、これら導光板ユニット１１の光量設定は、前述したＳｓ１９ａにおいて、遊技者設定値に基づいて、該遊技者設定値に対応する前述した設定値（光量設定）を設定すれば良い。
【０３１４】
このように、導光板ユニット１１の光量を、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とともに操作ボタン５１６及び操作レバー６００を操作することで遊技者が調整可能とする場合は、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量の変化割合よりも少ない変化割合とすることで、遊技者設定値よりも導光板ユニット１１の光量が高くなるように調整されるので、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量調整によって、各導光板１１ａ，１１ｂの反射部５１０，５１１による画像が視認し難くなってしまうことを防ぐことができる。
【０３１５】
また、前記実施例では、遊技者設定値として、設定切替スイッチ３００のセットされているチャンネルに応じて、音量を０〜１４の範囲で段階的に設定可能とし、光量を３０％〜１００％の範囲で段階的に設定可能としたが、本発明はこれに限定されず、遊技者設定値としての音量と光量とは、設定切替スイッチ３００のセットされているチャンネルに応じた範囲内であれば、少なくともいずれか一方を無段階に設定可能としても良い。
【０３１６】
また、前記実施例では、ホール（遊技場）の店員等が設定切替スイッチ３００のつまみ３０１をチャンネル０〜Ｆのいずれかに切り替えることで、スピーカ２７Ｌ，２７Ｒ，２７ａ，２７ｂから出力される音量の初期値と、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量の初期値とを、一括して各チャンネルに対応した値に設定したが、本発明はこれに限定されず、音量の初期値を設定するための音量用設定切替スイッチと光量の初期値を設定するための光量用設定切替スイッチとを設けることで、ホール（遊技場）の店員等が音量の初期値と光量の初期値とを個別に設定可能としても良い。
【０３１７】
また、前記実施例では、遊技中における所定のタイミングで演出を実行するために操作される操作レバー６００及び操作ボタン５１６を、スピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とを設定するために使用したが、本発明はこれに限定されず、これら操作レバー６００及び操作ボタン５１６とは個別に、スピーカ２７Ｌ，２７Ｒ，２７ａ，２７ｂから出力される音量と、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とを設定するため音量・光量設定用の操作部をパチンコ遊技機１の遊技者が操作可能な位置に設け、遊技者は、該操作部を操作することで、スピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とを設定するようにしても良い。
【０３１８】
また、前記実施例では、大当り遊技中または小当り遊技中でなく、且つ保留記憶が存在せず演出図柄が変動していない場合に限り、遊技者が操作ボタン５１６を操作することで演出図柄プロセスフラグが０であり、保留記憶及び未解析コマンドが無い場合、つまり、大当り遊技中または小当り遊技中ではなく、保留記憶が存在せずに演出図柄の変動が実行されていない非遊技状態に限り、操作ボタン５１６を長押し操作することでスピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量を設定可能としたが、本発明はこれに限定されず、演出図柄の変動中や大当り遊技中または小当り遊技中においても、遊技者が操作ボタン５１６を操作することでスピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量を設定可能としてもよい。
【０３１９】
また、前記実施例では、設定無効化タイマが大当り遊技中または小当り遊技中ではなく、保留記憶が存在せずに演出図柄の変動が実行されていない非遊技状態が所定期間継続する（設定無効化タイマが０となる）ことで、設定無効化処理において音量及び光量の遊技者設定値をクリアしたが、本発明はこれに限定されず、打球誘導レール（図示略）等の遊技球の通過経路近傍に遊技球の発射を検知するための発射センサを設け、該発射センサにおいて遊技球の発射を所定期間検出しないことで設定無効化処理において音量及び光量の遊技者設定値をクリアするようにしても良い。
【０３２０】
また、前記実施例では、ホール（遊技場）の店員等が設定切替スイッチ３００のツマミ３０１をチャンネル０〜Ｆのいずれかに切り替えた後にパチンコ遊技機１の電源を入れることで、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄにて出力される光量の初期値及びスピーカ２７Ｌ，２７Ｒ，２７ａ，２７ｂから出力される音量の初期値を設定したが、本発明はこれに限定されず、パチンコ遊技機１の電源を入れた後であっても、ホール（遊技場）の店員等が設定切替スイッチ３００のツマミ３０１をチャンネル０〜Ｆのいずれかに切り替えることで、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄにて出力される光量の初期値及びスピーカ２７Ｌ，２７Ｒ，２７ａ，２７ｂから出力される音量の初期値を設定できるようにしても良い。
【０３２１】
次に、変形例４について図３５から図３８を用いて説明する。前述した実施例では、２枚の導光板１１ａ，１１ｂのみで構成された導光板ユニット１１を例示したが、変形例４の導光板ユニット１１’は、２枚の導光板１１ａ，１１ｂと液晶パネル１２とを備えている。尚、これら２枚の導光板１１ａ，１１ｂと液晶パネル１２とは、前記実施例と同様に、演出制御基板８０の演出制御用マイクロコンピュータ８１のＣＰＵ８６が制御するようになっている。
【０３２２】
図３５に示すように、液晶パネル１２は、導光板１１ａ，１１ｂの後方位置に離間して設けられており、液晶パネル１２の表示面（前面）は、導光板１１ａ，１１ｂの表示面（前面）から所定距離Ｋ１の間隔を空けて配置されている。更に、遊技者の視点位置は、導光板ユニット１１の表示面（前面）の前方側に所定距離Ｋ２の間隔を空けた位置と想定している。
【０３２３】
尚、前方導光板１１ａには、前記実施例と同様に、反射部５１０により視認困難用画像（図２２（Ａ）参照）が形成され、後方導光板１１ｂには、前記実施例と同様に、反射部５１１により遊技状態示唆用画像（図２２（Ｂ）参照）が形成されている。
【０３２４】
そして、図３７（Ａ）及び図３８（Ａ）に示すように、通常時（非確変状態）においては、前方導光板表示用ＬＥＤ６２ａが点灯中（前方導光板１１ａの表示がＯＮ状態）であるとともに、後方導光板表示用ＬＥＤ６２ｂが消灯中（後方導光板１１ｂの表示がＯＦＦ状態）であり、前方導光板１１ａの視認困難用画像が発光表示される。このときに、液晶パネル１２には、視認困難用画像と同様の格子模様の画像が表示（液晶パネル１２の表示がＯＮ状態）される。
【０３２５】
また、図３７（Ｂ）及び図３８（Ｂ）に示すように、確変時（確変状態）においては、後方導光板表示用ＬＥＤ６２ｂが点灯中（後方導光板１１ｂの表示がＯＮ状態）であるとともに、前方導光板表示用ＬＥＤ６２ａが消灯中（前方導光板１１ａの表示がＯＦＦ状態）であり、後方導光板１１ｂの遊技状態示唆用画像が発光表示される。このときに、液晶パネル１２には、遊技状態示唆用画像と同様の「確変モード」などの文字列で構成される画像が表示（液晶パネル１２の表示がＯＮ状態）される。
【０３２６】
すなわち、各導光板１１ａ，１１ｂに表示される画像と同様の画像を液晶パネル１２に表示して、各導光板１１ａ，１１ｂの画像と液晶パネル１２の画像とが重畳して表示される。このように、各導光板１１ａ，１１ｂに表示される表示画像に、液晶パネル１２に表示される画像を重ねて表示することにより、各導光板１１ａ，１１ｂに表示される表示画像を目立たせることができる。
【０３２７】
尚、この変形例４では、各導光板１１ａ，１１ｂに表示される画像と同様の画像を液晶パネル１２に表示しているが、本発明はこれに限定されるものではなく、各導光板１１ａ，１１ｂに表示される画像と同様の画像以外の画像を液晶パネル１２に表示するものであっても良い。例えば、各導光板１１ａ，１１ｂに表示する画像を所定のキャラクタの画像として、液晶パネル１２に表示する画像を背景の画像としても良い。更に、各導光板１１ａ，１１ｂに表示する画像と全く関連のない画像を液晶パネル１２に表示するようにしても良い。
【０３２８】
尚、液晶パネル１２は、導光板１１ａ，１１ｂの後方位置に離間して設けられているため、各導光板１１ａ，１１ｂに表示される画像と液晶パネル１２に表示される画像とは完全に同一ではなく、遊技者の視点位置から見たときに、各導光板１１ａ，１１ｂの画像と液晶パネル１２の画像とが重畳して見えるように、液晶パネル１２に表示される画像の形状を若干補正して表示する。
【０３２９】
また、各導光板１１ａ，１１ｂに表示される画像と液晶パネル１２に表示される画像とは、その大きさ（サイズ）が異なっているもの、液晶パネル１２に表示される画像である格子模様や「確変モード」などの文字列は、導光板１１ａ，１１ｂに表示される画像と同一のものとなっている。
【０３３０】
次いで、図３６を参照して、液晶パネル１２に表示される画像の表示態様について説明する。図３６（Ａ）は、液晶パネル１２と各導光板１１ａ，１１ｂと遊技者の視線との関係を概念的に示しており、図３６（Ｂ）は、液晶パネル１２及び各導光板１１ａ，１１ｂを遊技者から見た状態、特に遊技者の視点から液晶パネル１２及び各導光板１１ａ，１１ｂに表示される各画像を視認したときの各画像の見た目の大きさの違いについて概念的に図示している。
【０３３１】
図３６（Ａ）に示すように、導光板１１ａ，１１ｂに表示する画像Ｇ１，Ｇ２と同じ画像Ｇ１’，Ｇ２’を液晶パネル１２にも表示するようになっている。尚、導光板１１ａ，１１ｂに表示する画像Ｇ１，Ｇ２よりも、液晶パネル１２に表示する画像Ｇ１’，Ｇ２’が若干拡大した画像となっている（Ｇ１＞Ｇ１’、Ｇ２＞Ｇ２’）。
【０３３２】
尚、遊技者の視点位置から導光板１１ａ，１１ｂの画像Ｇ１，Ｇ２を見たときの画像の大きさ（立体角）は、液晶パネル１２の画像Ｇ１’，Ｇ２’を見たときの画像の大きさ（立体角）よりも大きくなる。そのため、導光板１１ａ，１１ｂの画像Ｇ１，Ｇ２と液晶パネル１２の画像Ｇ１’，Ｇ２’とを遊技者の視点位置から見た場合に、同じ大きさの画像に見えるように、液晶パネル１２の画像Ｇ１’，Ｇ２’を導光板１１ａ，１１ｂの画像Ｇ１，Ｇ２よりも若干拡大して表示する。つまり、遊技者の視点位置と、導光板１１ａ，１１ｂの画像Ｇ１，Ｇ２上の所定部位と、該導光板１１ａ，１１ｂの画像Ｇ１，Ｇ２上の所定部位に対応する液晶パネル１２上の画像の対応位置と、が略１直線上に存在するように拡大（補正）して液晶パネル１２の画像Ｇ１’，Ｇ２’を表示している。そのため、遊技者には、導光板１１ａ，１１ｂの画像Ｇ１，Ｇ２と液晶パネル１２の画像Ｇ１’，Ｇ２’とがほぼ同じ大きさに見えるようにしている（図３６（Ｂ）参照）。
【０３３３】
尚、この液晶パネル１２の画像Ｇ１’、Ｇ２の拡大の比率は、液晶パネル１２と導光板１１ａ，１１ｂと間の所定距離Ｋ１に対応して設定される。当該所定距離Ｋ１（図３５参照）が大きくなれば、液晶パネル１２の画像Ｇ１’、Ｇ２の拡大の比率も大きくなる。
【０３３４】
また、変形例４では、遊技者の視点位置が液晶パネル１２及び導光板１１ａ，１１ｂの中央位置と同じ位置に配置されることを想定している。この視点位置から液晶パネル１２及び導光板１１ａ，１１ｂを視認した場合に、導光板１１ａ，１１ｂの中央位置に表示される画像Ｇ１と液晶パネル１２の中央位置に表示される画像Ｇ１’との大きさの差異よりも、導光板１１ａ，１１ｂの四隅に表示される画像Ｇ２と液晶パネル１２の四隅に表示される画像Ｇ２’との大きさの差異の方がより大きくなる。
【０３３５】
尚、液晶パネル１２に画像Ｇ１’，Ｇ２’を表示するときに、遊技者の視点位置から見たときに、液晶パネル１２の画像Ｇ１’，Ｇ２’が導光板１１ａ，１１ｂの画像Ｇ１，Ｇ２と重複する位置に表示される。例えば、遊技者が導光板１１ａ，１１ｂの中央位置の画像Ｇ１を視認したときの視点位置の立体角の範囲内に、液晶パネル１２の中央位置の画像Ｇ１’が納まるように表示され、遊技者が導光板１１ａ，１１ｂの四隅の各画像Ｇ２を視認したときの視点位置の立体角の範囲内に、液晶パネル１２の四隅の各画像Ｇ２’が納まるように表示される。つまり、遊技者には、導光板１１ａ，１１ｂの画像Ｇ１，Ｇ２に液晶パネル１２の画像Ｇ１’、Ｇ２’が重なって見えるようにしている（図３６（Ｂ）参照）。
【０３３６】
尚、遊技者の視点位置から見たときに、中央位置の画像Ｇ１、Ｇ１’と四隅の画像Ｇ２、Ｇ２’とでは、大きさの差異以外にも形状の歪みも生じるようになっている。また、中央位置の画像Ｇ１，Ｇ１’については、形状の歪みは殆ど生じないが、四隅の画像Ｇ２，Ｇ２’では、特に表示画面のサイズが大きくなるほど、導光板１１ａ，１１ｂの画像Ｇ２と液晶パネル１２の画像Ｇ２’との間に形状の歪み（差異）が生じやすくなる。そこで、遊技者の視点位置から見たときに、導光板１１ａ，１１ｂの画像Ｇ２とほぼ同じ形状になるように、液晶パネル１２に表示される画像Ｇ２’の形状を若干補正して表示する。
【０３３７】
このように液晶パネル１２に表示される画像は、視認困難用画像や遊技状態示唆用画像を若干補正した画像となっており、遊技者の視点位置から見た場合には、導光板１１ａ，１１ｂの画像が液晶パネル１２の画像と同じ大きさに見えるとともに、互いの画像が重複して表示されるようになっている。
【０３３８】
以上、変形例４の導光板ユニット１１’にあっては、前方導光板１１ａ及び後方導光板１１ｂの画像と液晶パネル１２に表示される画像とが重複して表示されることで、導光板ユニット１１’に表示される画像を目立たせることができる。
【０３３９】
尚、変形例４の導光板ユニット１１’では、前方導光板１１ａの視認困難用画像が発光表示されることで、後方導光板１１ｂの遊技状態示唆用画像の視認を困難にしているが、本発明はこれに限定されるものではなく、視認困難にするシャッタ等の可動部材を設けて遊技状態示唆用画像の視認を困難にしても良い。
【０３４０】
例えば、前方導光板１１ａを設けずに、後方導光板１１ｂのみで導光板ユニット１１’を構成し、この後方導光板１１ｂの前面側に近接して配置される視認妨害位置と、後方導光板１１ｂの前面側から退避される退避位置との間で移動可能なシャッタ部材を設けるようにしても良い。尚、このシャッタ部材の前面側には、視認妨害用の絵柄として格子模様の絵柄を描画しておく。尚、シャッタ部材の前面側に視認妨害用の装飾を施しても良い。そして、通常時（非確変状態）においては、シャッタ部材を視認妨害位置に移動させるとで、シャッタ部材に描画された視認妨害用の絵柄が見えるようにし、後方導光板１１ｂの反射部（図示略）により形成され、「確変モード」などの文字列で構成される画像（遊技状態示唆用画像）が見えてしまうことを防止する。また、確変時（確変状態）においては、シャッタ部材を退避位置に移動させて、後方導光板１１ｂに発光表示される遊技状態示唆用画像の視認を行える状態にする。
【０３４１】
次に、変形例５について図３９及び図４０を用いて説明する。前述した実施例では、視認困難用画像が前方側に配置される前方導光板１１ａに形成されているとともに、遊技状態示唆用画像が後方側に配置される後方導光板１１ｂに形成されていたが、変形例５の導光板ユニット１１’’では、遊技状態示唆用画像が前方側に配置される前方導光板１１ｃに形成されているとともに、視認困難用画像が後方側に配置される後方導光板１１ｄに形成されている。
【０３４２】
図４０（Ａ）に示すように、通常時（非確変状態）においては、後方導光板表示用ＬＥＤ（図示略）が点灯中（後方導光板１１ｄの表示がＯＮ状態）であるとともに、前方導光板表示用ＬＥＤ（図示略）が消灯中（前方導光板１１ｃの表示がＯＦＦ状態）であるため、導光板ユニット１１’’には、後方導光板１１ｄの反射部（図示略）により描画された視認困難用画像が発光表示される。この後方導光板１１ｄの視認困難用画像が発光表示され、この視認困難用画像が前方導光板１１ｃを透して遊技者により視認されるため、前方導光板１１ｃの反射部（図示略）により形成され、「確変モード」などの文字列で構成される画像（遊技状態示唆用画像）が見えてしまうことを防止できる。
【０３４３】
図４０（Ｂ）に示すように、確変時（確変状態）においては、前方導光板表示用ＬＥＤ（図示略）が点灯中（前方導光板１１ｃの表示がＯＮ状態）であるとともに、後方導光板表示用ＬＥＤ（図示略）が消灯中（後方導光板１１ｄの表示がＯＦＦ状態）であるため、導光板ユニット１１’’には、前方導光板１１ｃの反射部（図示略）により描画された遊技状態示唆用画像が発光表示される。後方導光板１１ｄの視認困難用画像は発光表示されないので、前方導光板１１ｃの遊技状態示唆用画像を明瞭に視認することができる。
【０３４４】
以上、変形例５の導光板ユニット１１’’にあっては、演出制御用マイクロコンピュータ８１（ＣＰＵ８６）が導光板ユニット制御処理において、現在の遊技状態が確変状態でない場合は、前方導光板表示用ＬＥＤを消灯するとともに、後方導光板表示用ＬＥＤを点灯して後方導光板１１ｄの視認困難用画像の発光表示を行うことで、導光板ユニット１１’’を用いた演出、つまり遊技状態示唆用画像を表示して確変状態であることを示唆することを行わないときには、反射部の視認が困難になり、反射部によって構成される遊技状態示唆用画像が遊技者に気づかれ難くなるので、遊技状態示唆用画像を表示して確変状態であることを示唆することを行う際に、この導光板ユニット１１’’を用いた遊技状態示唆用画像の表示の意外性が低下してしまうことを防止できる。
【０３４５】
尚、変形例５の導光板ユニット１１’’では、後方導光板１１ｄの視認困難用画像が発光表示されることで、前方導光板１１ｃの遊技状態示唆用画像の視認を困難にしているが、本発明はこれに限定されるものではなく、視認困難にするシャッタ等の可動部材を設けて遊技状態示唆用画像の視認を困難にしても良い。
【０３４６】
例えば、後方導光板１１ｄを設けずに、前方導光板１１ｃのみで導光板ユニット１１’’を構成し、この前方導光板１１ｃの後面側に近接して配置される視認妨害位置と、前方導光板１１ｃの後面側から退避される退避位置との間で移動可能なシャッタ部材を設けるようにしても良い。尚、このシャッタ部材の前面側には、視認妨害用の絵柄として格子模様の絵柄を描画しておく。尚、シャッタ部材の前面側に視認妨害用の装飾を施しても良い。そして、通常時（非確変状態）においては、シャッタ部材を視認妨害位置に移動させるとで、前方導光板１１ｃを透してシャッタ部材に描画された視認妨害用の絵柄が見えるようにし、前方導光板１１ｃの反射部（図示略）により形成され、「確変モード」などの文字列で構成される画像（遊技状態示唆用画像）が見えてしまうことを防止できる。また、確変時（確変状態）においては、シャッタ部材を退避位置に移動させて、前方導光板１１ｃに発光表示される遊技状態示唆用画像の視認を行える状態にする。
【０３４７】
次に、変形例６のパチンコ遊技機１について説明する。変形例６において遊技制御用マイクロコンピュータ１５６が演出制御基板８０に対して送信する演出制御コマンドには、各種のエラーが発生した場合に、当該エラーの発生を報知することを指定するエラー報知指定コマンドや、各種のエラー状態が解除された場合に、当該エラーの報知を解除することを指定するエラー解除指定コマンドが含まれる。
【０３４８】
この変形例６における演出制御基板８０の演出制御用マイクロコンピュータ８１のＣＰＵ８６は、発生したエラーの重要度に応じてエラー報知の態様を異ならせている。
【０３４９】
尚、「重要度」は、遊技機によって所定の基準で定められるエラー報知の重要度である。当該重要度は、安全性からの基準、不正行為を防止する観点からの基準、遊技者へ注意喚起する観点からの基準、及び店舗管理の観点からの基準など様々な基準に基づき定義され、遊技機の製造メーカで設定される。例えば、安全性に関するエラー、不正な手法で利益を獲得する不正行為の防止に関するエラー、遊技者への注意喚起に関するエラーの順に重要度が高くなるように遊技機の製造メーカで設定し、このエラーの設定内容は、演出制御基板８０のＲＯＭ８４にテーブルとして格納する。
【０３５０】
この変形例６では、重要度として「低」、「高」の２種類が設定されており、不正行為の防止に関するエラー（電波エラーや磁気センサ感知など）が「高」、注意喚起に関するエラー（下皿満タンエラーや球切れエラーなど）が「低」に設定されている。尚、エラー報知の重要度の設定・変更を遊技機の製造メーカが行う場合に限定されるものではなく、遊技場の店員や管理者によって、エラー報知の重要度を設定・変更するようにしてもよい。また、エラーの重要度により、エラー報知の態様を分類するため異常種別を設けている。尚、この変形例６では、重要度が「低」に設定されたエラーは、異常種別が第１異常種別であり、重要度が「高」に設定されたエラーは、異常種別が第２異常種別であるとする。
【０３５１】
具体的には、賞球エラーは、重要度が「低」であり、異常種別が「第１異常種別」である。賞球エラー報知は、遊技機の電源投入後に賞球エラーが発生してから電源がオフされるまで実行される。演出制御用マイクロコンピュータ８１（ＣＰＵ８６）は、賞球エラー報知を行う場合、遊技枠側の全ランプ（左枠ＬＥＤ２８ｂ、右枠ＬＥＤ２８ｃ、天ランプモジュール５３０の各ＬＥＤ、賞球ＬＥＤ５１）を点灯（全点灯）させるとともに、スピーカ２７にエラー音Ａ（音量：大）及び演出音（音量：小）を出力させる制御を行う。また、ＣＰＵ８６は、演出表示装置９に「賞球エラー電源をお切りください」と表示させる制御を行うようにしても良い。この場合、演出表示装置９において遊技演出による表示（例えば、飾り図柄の変動表示）が行なわれている場合には、演出表示装置９に「賞球エラー電源をお切りください」という文字列を重畳表示させる。尚、以下の説明では、遊技枠側の全ランプを「枠ランプ」とも総称する。尚、演出音（音量：小）を出力させる制御は、演出音の音量を必ずしも小さく制御する必要はなく、エラー音Ａの音量に対して相対的に小さくなるように制御すればよい。例えば、演出音の音量を小さくせずに、エラー音Ａの音量を大きくすればよい。
【０３５２】
また、遊技機が備える電波センサにより感知される電波エラーは、重要度が「高」であり、異常種別が「第２異常種別」である。電波エラー報知は、遊技機の電源投入後に電波エラーが発生してから電源がオフされるまで実行される。ＣＰＵ８６は、電波エラー報知を行う場合、枠ランプを全点灯させるとともにエラー報知のために導光板を点滅発光させる（例えば、導光板ユニット１１における前方導光板表示用ＬＥＤ６２ａと後方導光板表示用ＬＥＤ６２ｂとを交互に点滅表示する）。更に、ＣＰＵ８６は、スピーカ２７にエラー音Ｂ（音量：大）を出力させ、演出音の音量をゼロにさせる制御を行う。また、ＣＰＵ８６は、演出表示装置９に「電波エラー電源をお切りください」と表示させる制御を行う。この場合、演出表示装置９において遊技演出による表示が行なわれている場合には、演出表示装置９に「電波エラー電源をお切りください」という文字列を重畳表示させる。
【０３５３】
また、遊技機が備える磁気センサにより感知される磁気センサ感知エラーは、重要度が「高」であり、異常種別が「第２異常種別」である。磁気センサ感知エラー報知は、遊技機の電源投入から５分間または磁気センサ感知エラーが発生してから当該エラーが解除されるまで実行される。ＣＰＵ８６は、磁気センサ感知エラー報知を行う場合、枠ランプを全点灯させるとともにエラー報知のために導光板を点滅発光させる。更に、ＣＰＵ８６は、スピーカ２７にエラー音Ｂ（音量：大）を出力させ、演出音の音量をゼロにさせる制御を行う。また、ＣＰＵ８６は、演出表示装置９に「磁気エラー」と表示させる制御を行う。この場合、演出表示装置９において遊技演出による表示が行なわれている場合には、演出表示装置９に「磁気エラー」という文字列を重畳表示させる。
【０３５４】
また、スイッチ（ＳＷ）異常エラーは、重要度が「高」であり、異常種別が「第２異常種別」である。スイッチ異常エラー報知は、遊技機の電源投入から５分間またはエラーが発生してから解除されるまで実行される。ＣＰＵ８６は、スイッチ異常エラー報知を行う場合、枠ランプを全点灯させるとともにエラー報知のために導光板を点滅発光させる。更に、ＣＰＵ８６は、スピーカ２７にエラー音Ｂ（音量：大）を出力させ、演出音の音量をゼロにさせる制御を行う。また、ＣＰＵ８６は、演出表示装置９に「エラー１」と表示させる制御を行う。この場合、演出表示装置９において遊技演出による表示が行なわれている場合には、演出表示装置９に「エラー１」という文字列を重畳表示させる。
【０３５５】
また、不正入賞エラーは、重要度が「低」であり、異常種別が「第１異常種別」である。不正入賞エラー報知は、遊技機の電源投入から３０秒間またはエラーが発生してから解除されるまで実行される。ＣＰＵ８６は、不正入賞エラー報知を行う場合、枠ランプを全点灯させ、スピーカ２７にエラー音Ｃ（音量：大）を出力させ、演出音の音量をゼロにさせる制御を行う。また、ＣＰＵ８６は、演出表示装置９に「不正入賞エラー」と表示させる制御を行う。この場合、演出表示装置９において遊技演出による表示が行なわれている場合には、演出表示装置９に「不正入賞エラー」という文字列を重畳表示させる。
【０３５６】
また、遊技機が備えるドア開放センサが感知するドア開放エラーは、重要度が「低」であり、異常種別が「第１異常種別」である。ドア開放エラー報知は、エラーが発生してから解除されるまで実行される。ＣＰＵ８６は、ドア開放エラー報知を行う場合、枠ランプを全点灯させ、スピーカ２７に「扉が開いています」とのエラー報知音（音量：大）及び演出音（音量：小）を出力させる。
【０３５７】
また、ドア開放エラーは、遊技枠の開放状態の発生から開放状態が解除されるまで（例えば、遊技枠が開放されており、ドア開放センサの検出信号が入力されている間）実行される。ＣＰＵ８６は、ドア開放エラー報知を行う場合、枠ランプを全点灯させ、スピーカ２７に「扉が開いています」とのエラー報知音（音量：大）とともに演出音（音量：小）を出力させる。
【０３５８】
また、下皿満タンエラー報知は、重要度が「低」であり、異常種別が「第１異常種別」である。下皿満タンエラー報知は、下皿の満タン状態の発生から満タン状態が解除されるまで（例えば、満タンスイッチ１９の検出信号が入力されている間）実行される。ＣＰＵ８６は、満タンエラー報知を行う場合、「玉を抜いて下さい」との音声（音量：大）とともに演出音（音量：小）を出力させる。また、演出表示装置９に「玉を抜いて下さい」と表示させる制御を行う。この場合、演出表示装置９において遊技演出による表示が行なわれている場合には、演出表示装置９に「玉を抜いて下さい」という文字列を重畳表示させる。
【０３５９】
また、球切れエラーは、重要度が「低」であり、異常種別が「第１異常種別」である。球切れエラー報知は、球切れ発生から球切れ状態が解除されるまで（例えば、球切れスイッチ４３の検出信号が入力されている間）実行される。ＣＰＵ８６は、球切れエラー報知を行う場合、枠ランプを全点灯させる。
【０３６０】
以上から、ＣＰＵ８６は、遊技枠側のランプの発光及び導光板ユニット１１の導光板の発光表示によりエラーを遊技者や店員などに報知する。具体的には、ＣＰＵ８６は、エラーの種別が第１異常種別の場合には枠ランプを発光させ、第２異常種別の場合には、枠ランプの発光及び導光板ユニット１１における前方導光板表示用ＬＥＤ６２ａと後方導光板表示用ＬＥＤ６２ｂとを交互に点滅表示することによりエラー報知を行う。また、効果的なエラー報知を行うために、ＣＰＵ８６は、エラーが検出されていない場合の導光板の表示態様（発光パターン、表示パターン、発光色）と、エラーが検出された場合の表示手段の表示態様とを異ならせる。また、ＣＰＵ８６は、制御を複雑にしないために、第１異常種別の場合の枠ランプの発光態様（全点灯）と、第２異常種別の場合の枠ランプの発光態様（全点灯）とが同じになるように制御している。
【０３６１】
また、ＣＰＵ８６は、スピーカ２７からエラー報知音を出力させることでエラーを遊技者などに報知する。具体的には、ＣＰＵ８６は、エラーの種別が第１異常種別の場合にはスピーカ２７に演出音とともにエラー報知音を出力させ、第２異常種別の場合には、演出音を出力させずにエラー報知音のみを出力させる。また、第１異常種別の場合のエラー報知音は、演出音より大きい音量である。尚、エラー報知で導光板ユニット１１を発光表示するエラーは、エラー報知で演出音の音量をゼロに制御するエラーとなるように、両エラーを完全に一致させてもよい。
【０３６２】
また、この変形例６では、遊技制御用マイクロコンピュータ１５６から送信されるエラー報知指定コマンドやエラーの設定内容を格納したテーブルに基づいて、演出制御用マイクロコンピュータ８１が、発生している異常の重要度を判定する場合について説明したが、本発明はこれに限定されるものではなく、例えば、遊技制御用マイクロコンピュータ１５６が、エラーの設定内容を格納したテーブルをＲＯＭ５４に格納しておき、異常の重要度まで判定した状態の異常種別を指定するコマンドを演出制御用マイクロコンピュータ８１に送信してもよい。そして、演出制御用マイクロコンピュータ８１は、受信した異常種別を指定するコマンドに基づき、異常報知を行う。
【０３６３】
また、この変形例６において、異常の重要度は、時間帯に応じて設定が変更される場合であってもよい。例えば、ドア開放エラーは、昼間等の営業時間内においては店員などがドアを開く場合もあるため重要度が「低」として設定されるが、夜間などの営業時間外では通常ドアが開放されることはないため、重要度が「高」として設定される。
【０３６４】
以上、変形例６のパチンコ遊技機１にあっては、第１異常種別の場合には、左枠ＬＥＤ２８ｂや右枠ＬＥＤ２８ｃを発光させて異常報知を行い、第２異常種別の場合には、表示用ＬＥＤ６２ａ，６２ｂを発光させて導光板ユニット１１の発光表示を行うとともに、左枠ＬＥＤ２８ｂや右枠ＬＥＤ２８ｃを発光させて異常報知を行うことで、異常の重要度に応じて、異常報知を適切に実行することが可能となる。
【０３６５】
以上、本発明の実施例を図面により説明してきたが、具体的な構成はこれら実施例に限られるものではなく、本発明の要旨を逸脱しない範囲における変更や追加があっても本発明に含まれる。
【０３６６】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０３６７】
また、前記実施例では、変動時間及びリーチ演出の種類等の変動態様を示す変動パターンを演出制御用のＣＰＵ８６に通知するために、変動を開始するときに１つの変動パターン指定コマンドを送信する例を示したが、２つ乃至それ以上のコマンドにより変動パターンを演出制御用のＣＰＵ８６に通知するようにしてもよい。具体的には、２つのコマンドにより通知する場合、ＣＰＵ５６は、１つ目のコマンドでは、例えば、擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信するようにしてもよい。この場合、演出制御用のＣＰＵ８６は２つのコマンドの組合せから導かれる変動時間に基づいて変動表示における演出制御を行うようにすればよい。
【０３６８】
尚、ＣＰＵ５６の方では２つのコマンドのそれぞれにより変動時間を通知し、それぞれのタイミングで実行される具体的な変動態様については演出制御用のＣＰＵ８６の方で選択を行うようにしてもよい。２つのコマンドを送る場合、同一のタイマ割込内で２つのコマンドを送信するようにしてもよく、１つ目のコマンドを送信した後、所定期間が経過してから（例えば次のタイマ割込において）２つ目のコマンドを送信するようにしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターン指定コマンドとして記憶しておかなければならないデータ量を削減することができる。
【０３６９】
また、前記実施例では、遊技球を打球発射装置により遊技領域よりも下方から打ち出す形態を例示したが、本発明はこれに限定されるものではなく、例えば、前記打球発射装置をパチンコ遊技機１における遊技領域の上方位置に設けることによって、遊技球を遊技領域の上方位置から打ち出すようにしても良い。
【０３７０】
また、前記実施例では、始動入賞口を、第１始動入賞口と第２始動入賞口の２つとした形態を例示しているが、本発明はこれに限定されるものではなく、始動入賞口を１つのみとしても良いし、始動入賞口を３以上としても良い。
【０３７１】
また、前記実施例では、特別図柄を、第１特図と第２特図の２つとした形態を例示しているが、本発明はこれに限定されるものではなく、特別図柄を１つのみとしても良いし、特別図柄を３以上としても良い。
【０３７２】
前記遊技者にとって有利な状態とは、遊技者が多くの遊技媒体を獲得できる遊技者にとって有利な特定遊技状態（大当り等）や、獲得できる遊技媒体の期待値が異なる複数種類の特定遊技状態（ラウンド数が異なる大当り等）や、通常遊技状態よりも賞球払出の条件が成立しやすくなる高ベース状態（時短状態）や、前記特定遊技状態となる確率が高い高確率遊技状態（高確率状態）や高確低ベース状態（潜伏確変状態）、特別リーチ状態（例えば、スーパーリーチ等）、当該変動パターンが大当り変動パターンに基づく変動パターンである状態等が含まれる。
【０３７３】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンにも適用可能である。
【０３７４】
また、前記実施例では、パチンコ遊技機１に本発明が適用された導光板ユニット１１を設けるようにしているが、本発明はこれに限定されるものではなく、例えば、スロットマシンにおいて本発明が適用された導光板ユニットを設ける場合には、通常の遊技状態のときには、視認困難用画像を表示するとともに、遊技用価値の減少量を抑えつつゲームを行うことが可能な再遊技高確率状態（いわゆるリプレイタイム）に制御されるときや、遊技者にとって有利な状態としてＡＴ（アシストタイム）に制御されるときなどは、この制御状態を示唆する制御状態示唆画像を導光板ユニット１１に表示するようにしても良い。
【０３７５】
また、前記実施例では、パチンコ遊技機１において遊技者が操作ボタン５１６を長押しすることで音量及び光量を変更可能としたが、本発明はこれに限定されるものではなく、スロットマシンにおいて音量及び光量を変更する場合は、例えば、演出用ボタンやＭＡＸベットボタン、リールの停止ボタンの長押し等によってスロットマシンの演出表示装置に図３０に示すような音量及び光量を調整可能な設定調整画面を表示し、演出用ボタンやＭＡＸベットボタン、リールの停止ボタン等の操作によって音量及び光量を変更可能とすれば良い。
【符号の説明】
【０３７６】
１        パチンコ遊技機
９        演出表示装置
１１      導光板ユニット
１１ａ    第１導光板
１１ｂ    第２導光板
３１      主基板
８０      演出制御基板
８１      演出制御用マイクロコンピュータ
８６      ＣＰＵ
１５６    遊技制御用マイクロコンピュータ
【図１】
0006404628.tif 000002
【図２】
0006404628.tif 000003
【図３】
0006404628.tif 000004
【図４】
0006404628.tif 000005
【図５】
0006404628.tif 000006
【図６】
0006404628.tif 000007
【図７】
0006404628.tif 000008
【図８】
0006404628.tif 000009
【図９】
0006404628.tif 000010
【図１０】
0006404628.tif 000011
【図１１】
0006404628.tif 000012
【図１２】
0006404628.tif 000013
【図１３】
0006404628.tif 000014
【図１４】
0006404628.tif 000015
【図１５】
0006404628.tif 000016
【図１６】
0006404628.tif 000017
【図１７】
0006404628.tif 000018
【図１８】
0006404628.tif 000019
【図１９】
0006404628.tif 000020
【図２０】
0006404628.tif 000021
【図２１】
0006404628.tif 000022
【図２２】
0006404628.tif 000023
【図２３】
0006404628.tif 000024
【図２４】
0006404628.tif 000025
【図２５】
0006404628.tif 000026
【図２６】
0006404628.tif 000027
【図２７】
0006404628.tif 000028
【図２８】
0006404628.tif 000029
【図２９】
0006404628.tif 000030
【図３０】
0006404628.tif 000031
【図３１】
0006404628.tif 000032
【図３２】
0006404628.tif 000033
【図３３】
0006404628.tif 000034
【図３４】
0006404628.tif 000035
【図３５】
0006404628.tif 000036
【図３６】
0006404628.tif 000037
【図３７】
0006404628.tif 000038
【図３８】
0006404628.tif 000039
【図３９】
0006404628.tif 000040
【図４０】
0006404628.tif 000041